(57)【要約】  サージカルアパレルシステム（１０）である。このシステムは、サージカルガーメント（１２）およびサージカルヘルメット（２０）を備える。ヘルメットは、遠位面に凹部を有する下顎バー（２４）と、凹部内に配設され、下顎バーの前記遠位面に近接して位置決めされた結合部材（４８）とを備える。サージカルガーメントは、透明フェイスシールド（１８）と、透明フェイスシールドに結合された取り付け要素（５８）とを備える。取り付け要素は、ヘルメットの結合部材に対して取り外し可能に係合するように構成された近位面を有するヘッドを備える。前記第１の取り付け要素が前記第１の結合部材に係合した場合に、ヘッドの一部が前記下顎バーの前記遠位面に近接して位置決めされる。
2021512231.tif 000002
【特許請求の範囲】
【請求項１】
周辺機器を含むサージカルアパレルシステムであって、
着用者の頭部に装着されるサージカルヘルメットであり、
遠位面を有し、前記遠位面において凹部を規定する下顎バーと、
前記凹部内に配設され、前記下顎バーの前記遠位面に近接して位置決めされた遠位面を有し、強磁性材料または磁性材料の一方を含む第１の結合部材と、
を備えたフェイスフレームを備えた、サージカルヘルメットと、
前記サージカルヘルメットの上方に少なくとも一部が配設され、医療環境と前記着用者との間に微生物バリアを設けるように構成されたサージカルガーメントであり、
前記サージカルヘルメットの上方に少なくとも一部が配設された場合に、前記着用者の顔面の前方に位置決めされるように構成された開口を規定するサージカル布と、
前記サージカル布の前記開口内に配設され、上部、下部、第１の表面、および反対の第２の表面を備えた透明フェイスシールドと、
前記透明フェイスシールドに結合され、前記強磁性材料または前記磁性材料の他方を含み、近位面を有するヘッドを備えた第１の取り付け要素で、前記ヘッドが、前記サージカルガーメントの少なくとも一部が前記サージカルヘルメットの上方に配設された場合に、前記第１の結合部材に対して取り外し可能に係合するように構成された、第１の取り付け要素と、
を備え、前記ヘッドの前記近位面が、前記第１の取り付け要素が前記第１の結合部材に係合した場合に、前記下顎バーの前記遠位面に近接して位置決めされた、サージカルガーメントと、
を備えた、サージカルアパレルシステム。
【請求項２】
前記サージカルヘルメットが、前記下顎バー内に配設され、前記第１の結合部材に隣接して位置決めされたセンサをさらに備え、
前記センサが、前記第１の結合部材に隣り合う前記第１の取り付け要素の存在を検出することによって、前記サージカルガーメントの第１の取り付け要素が前記サージカルヘルメットに結合されたタイミングを検出するように構成された、請求項１に記載のサージカルアパレルシステム。
【請求項３】
前記第１の結合部材が、磁性材料を含み、前記第１の取り付け要素が、強磁性材料を含み、
前記センサが、前記第１の結合部材に対する前記第１の取り付け要素の近接性に少なくとも部分的に基づいて、前記第１の結合部材を囲む磁界の変化を検出するように構成されたホール効果センサである、請求項２に記載のサージカルアパレルシステム。
【請求項４】
前記第１の結合部材が、強磁性材料を含み、前記第１の取り付け要素が、磁性材料を含み、
前記センサが、前記第１の結合部材に対する前記第１の取り付け要素の近接性に少なくとも部分的に基づいて、前記第１の結合部材を囲む磁界の変化を検出するように構成されたホール効果センサである、請求項２に記載のサージカルアパレルシステム。
【請求項５】
前記第１の結合部材が
前記遠位面の反対の近位面と、
前記第１の結合部材の前記近位面および前記遠位面を通って延び、前記第１の結合部材の両側部を規定する横断面と、
をさらに備え、
前記第１の結合部材が、前記横断面を横切って分極した磁性材料を含む、請求項１〜４のいずれか１項に記載のサージカルアパレルシステム。
【請求項６】
前記第１の結合部材が
前記遠位面の反対の近位面と、
前記第１の結合部材の前記近位面および前記遠位面を通って延び、前記第１の結合部材の両側部を規定する横断面と、
をさらに備え、
前記第１の結合部材が、当該第１の結合部材の前記両側部の一方が第１の極性を備え、前記両側部の他方が第２の極性を備えるように、前記横断面を横切って分極した磁性材料を含む、請求項１〜５のいずれか１項に記載のサージカルアパレルシステム。
【請求項７】
前記近位面および前記遠位面それぞれの外縁が前記第１の結合部材の中心軸を規定し、
前記横断面が、前記第１の結合部材の前記中心軸と交差するように構成された、請求項５または６に記載のサージカルアパレルシステム。
【請求項８】
前記サージカルヘルメットが、前記横断面上で前記第１の結合部材に隣接して位置決めされたセンサをさらに備え、
前記センサが、前記第１の結合部材に隣り合う前記第１の取り付け要素の存在を検出することによって、前記サージカルガーメントの第１の取り付け要素が前記サージカルヘルメットに結合されたタイミングを検出するように構成された、請求項５〜７のいずれか１項に記載のサージカルアパレルシステム。
【請求項９】
前記第１の取り付け要素が、前記透明フェイスシールドへの横力の印加に応じた前記サージカルガーメントの前記サージカルヘルメットからの分離に抗するように成形された、請求項１〜８のいずれか１項に記載のサージカルアパレルシステム。
【請求項１０】
前記ヘッドの前記近位面が、前記第１の結合部材に係合するように構成され、
前記第１の取り付け要素の前記近位面が、前記第１の取り付け要素が前記第１の結合部材に係合した場合に、前記下顎バーの前記遠位面に近接して位置決めされた、請求項１〜９のいずれか１項に記載のサージカルアパレルシステム。
【請求項１１】
前記透明フェイスシールドが、前記サージカルガーメントの着用者側に配設され、両外側縁部間に配設された開口部を備えたタブをさらに備え、
前記タブが、前記開口部が突起に係合した場合に、位置合わせチャネル内に少なくとも一部が配設されるように構成された、請求項１〜１０のいずれか１項に記載のサージカルアパレルシステム。
【請求項１２】
前記透明フェイスシールドが、前記上部において第１の開口部をさらに備え、
前記サージカルヘルメットが、位置合わせチャネルを備えた頂部ビームをさらに備え、
前記頂部ビームが、前記位置合わせチャネルに少なくとも一部が配設され、前記フェイスシールドの前記上部において前記第１の開口部に係合するように構成された突起をさらに備えた、請求項１〜１１のいずれか１項に記載のサージカルアパレルシステム。
【請求項１３】
前記透明フェイスシールドが、当該透明フェイスシールドの前記上部から延び、両外側縁部を備えたタブをさらに備え、
前記透明フェイスシールドの前記第１の開口部の少なくとも一部が、前記タブ内に配設され、
前記タブが、前記第１の開口部が前記突起に係合した場合に、前記位置合わせチャネル内に少なくとも一部が配設されるように構成された、請求項１２に記載のサージカルアパレルシステム。
【請求項１４】
前記第１の取り付け要素の前記ヘッドが、前記近位面の反対の遠位面と、当該ヘッドの前記遠位面から遠位方向に延びたポストとをさらに備えた、請求項１〜１３のいずれか１項に記載のサージカルアパレルシステム。
【請求項１５】
前記第１の取り付け要素の前記ポストが、近位部および遠位部をさらに備え、
前記近位部が第１の寸法を有し、前記遠位部が第２の寸法を有し、前記ポストが、前記第１の寸法が前記第２の寸法よりも大きくなるように構成され、
前記透明フェイスシールドが、前記下部において第２の開口部をさらに備え、
前記第１の取り付け要素の前記ポストの前記遠位部の少なくとも一部が、前記第２の開口部に配設され、前記近位部が、前記透明フェイスシールドに隣接して、前記ヘッドの前記遠位面を前記透明フェイスシールドの前記第１の表面から離間させた、請求項１４に記載のサージカルアパレルシステム。
【請求項１６】
前記サージカルヘルメットが、前記下顎バーの前記遠位面において第２の凹部内に配設され、前記第１の結合部材と同じ材料を含む第２の結合部材を備え、
前記サージカルガーメントが、前記第１の取り付け部材と同じ材料を含む第２の取り付け部材を備え、前記第２の取り付け部材が、前記第１の取り付け部材および当該第２の取り付け部材が前記透明フェイスシールドの両側部に結合されるように、前記透明フェイスシールドに結合され、
前記第２の取り付け部材が、前記サージカルガーメントの少なくとも一部が前記サージカルヘルメットの上方に配設された場合に、前記第２の結合部材に対して取り外し可能に係合するように構成された、請求項１〜１５のいずれか１項に記載のサージカルアパレルシステム。
【請求項１７】
周辺機器を含むサージカルアパレルシステムであって、
着用者の頭部に装着されるサージカルヘルメットであり、
第１の部材を備えた頂部ビームと、
前記頂部ビームから延び、遠位面を備え、前記遠位面において凹部を規定する下顎バーと、
前記下顎バーの前記凹部内に少なくとも一部が配設され、強磁性材料または磁性材料の一方を含む結合部材と、
を備え、前記下顎バーがセンサを備えた、フェイスフレームを備えた、サージカルヘルメットと、
前記サージカルヘルメットの上方に少なくとも一部が配設され、医療環境と着用者との間に微生物バリアを設けるように構成されたサージカルガーメントであり、
開口を備えたサージカル布と、
前記サージカル布の前記開口内に配設され、上部および下部を有する透明フェイスシールドで、前記サージカルヘルメットの前記第１の部材に対して取り外し可能に係合され、前記サージカルヘルメットに対して当該透明フェイスシールドを位置合わせするように構成された、当該透明フェイスシールドの前記上部における第１の開口部を備えた、透明フェイスシールドと、
前記強磁性材料または前記磁性材料の他方を含み、前記結合部材に対して取り外し可能に係合して、前記サージカルガーメントを前記サージカルヘルメットに結合するように構成された取り付け要素と、
を備えた、サージカルガーメントと、
を備え、
前記センサが、前記取り付け要素が前記結合部材と係合したタイミングを検出し、前記取り付け要素の前記結合部材との係合に基づいて、前記周辺機器の動作と関連する信号を送信するように位置決めおよび構成された、サージカルアパレルシステム。
【請求項１８】
前記センサに結合され、前記センサから前記信号を受信するように構成されたコントローラをさらに備え、
前記コントローラが、前記センサからの前記信号に基づいて、前記周辺機器の動作特性を制御するように構成された、請求項１７に記載のサージカルアパレルシステム。
【請求項１９】
前記センサが、第１の状態と第２の状態との間で切り替わるように構成され、
前記センサが、前記サージカルガーメントの少なくとも一部が前記サージカルヘルメットの上方に配設され、前記取り付け要素が前記結合部材と係合した場合に、前記第１の状態となるように構成され、
前記センサが、前記サージカルガーメントが前記サージカルヘルメットから分離され、前記取り付け要素が前記結合部材から分離された場合に、前記第２の状態となるように構成され、
前記センサが、前記第１の状態または前記第２の状態であることに少なくとも部分的に基づいて、前記信号を生成するように構成された、請求項１８に記載のサージカルアパレルシステム。
【請求項２０】
前記コントローラが、前記サージカルガーメントの少なくとも一部が前記サージカルヘルメットの上方に配設されたことを示す前記信号を前記センサから受信した際に、規定の第１の期間にわたって、前記周辺機器への電力の伝送を遅延させるように構成された、請求項１９に記載のサージカルアパレルシステム。
【請求項２１】
前記コントローラが、前記サージカルガーメントが前記サージカルヘルメットから分離されたことを示す前記信号を前記センサから受信した際に、規定の第２の期間にわたって、前記周辺機器への電力の伝送を継続するように構成された、請求項１９または２０に記載のサージカルアパレルシステム。
【請求項２２】
前記サージカルヘルメットに結合され、前記コントローラと連通し、前記周辺機器の動作と関連するデータを格納するように構成されたメモリデバイスをさらに備えた、請求項２１に記載のサージカルアパレルシステム。
【請求項２３】
前記コントローラと連通し、携帯型エネルギー源の電力レベルを検出するとともに、前記携帯型エネルギー源の電力レベルに基づいて、エネルギー信号を前記コントローラに伝達するように構成されたエネルギーセンサをさらに備え、
前記コントローラが、前記エネルギーセンサからの前記エネルギー信号に基づいて、前記周辺機器のユーザ設定と関連するデータを前記メモリデバイスに伝達して格納するように構成された、請求項２２に記載のサージカルアパレルシステム。
【請求項２４】
前記コントローラが、前記携帯型エネルギー源の残存電力レベルが閾値に達したことを前記エネルギーセンサからの前記エネルギー信号が示す場合に、前記周辺機器の前記ユーザ設定と関連するデータを前記メモリデバイスに伝達して格納するように構成された、請求項２３に記載のサージカルアパレルシステム。
【請求項２５】
前記メモリデバイスが、前記センサが前記第１の状態である限り、前記周辺機器の前記ユーザ設定を格納するように構成され、
前記コントローラが、前記携帯型エネルギー源の交換に際し、格納された前記ユーザ設定に基づいて、前記周辺機器の動作を再開させるように構成された、請求項２４に記載のサージカルアパレルシステム。
【請求項２６】
前記メモリデバイスが、前記センサが前記第１の状態から前記第２の状態に切り替わり、前記携帯型エネルギー源が前記サージカルヘルメットから切り離された場合に、前記周辺機器の前記ユーザ設定をクリアするように構成された、請求項２５に記載のサージカルアパレルシステム。
【請求項２７】
前記メモリデバイスが、前記サージカルガーメントの複数の特性と関連するデータを格納するように構成され、
前記センサが、前記サージカルヘルメットの上方に少なくとも一部が配設された前記サージカルガーメントの複数の構成のうちの１つを識別するように構成され、
前記コントローラが、前記サージカルガーメントの前記複数の構成のうちの前記識別された１つに少なくとも部分的に基づいて、前記周辺機器の少なくとも１つの動作特性を制御するように構成された、請求項１７〜２６のいずれか１項に記載のサージカルアパレルシステム。
【請求項２８】
前記結合部材が、磁性材料を含み、前記取り付け要素が、強磁性材料を含み、
前記センサが、前記結合部材に対する前記取り付け要素の近接性に少なくとも部分的に基づいて、前記結合部材を囲む磁界の変化を検出するように構成されたホール効果センサである、請求項１７〜２７のいずれか１項に記載のサージカルアパレルシステム。
【請求項２９】
前記第１の結合部材が、
前記遠位面の反対の近位面と、
前記第１の結合部材の前記近位面および前記遠位面を通って延び、前記第１の結合部材の両側部を規定する横断面と、
をさらに備え、
前記第１の結合部材が、前記横断面を横切って分極した磁性材料を含む、請求項１７〜２７のいずれか１項に記載のサージカルアパレルシステム。
【請求項３０】
前記第１の結合部材が
前記遠位面の反対の近位面と、
前記第１の結合部材の前記近位面および前記遠位面を通って延び、前記第１の結合部材の両側部を規定する横断面と、
をさらに備え、
前記第１の結合部材が、当該第１の結合部材の前記両側部の一方が第１の極性を備え、前記両側部の他方が第２の極性を備えるように、前記横断面を横切って分極した磁性材料を含む、請求項１７〜２７のいずれか１項に記載のサージカルアパレルシステム。
【請求項３１】
前記近位面および前記遠位面それぞれの外縁が前記第１の結合部材の中心軸を規定し、
前記横断面が、前記第１の結合部材の前記中心軸と交差するように構成された、請求項２９または３０に記載のサージカルアパレルシステム。
【請求項３２】
前記サージカルヘルメットが、前記横断面上で前記第１の結合部材に隣接して位置決めされたセンサをさらに備え、
前記センサが、前記第１の結合部材に隣り合う前記第１の取り付け要素の存在を検出することによって、前記サージカルガーメントの第１の取り付け要素が前記サージカルヘルメットに結合されたタイミングを検出するように構成された、請求項２９〜３１のいずれか１項に記載のサージカルアパレルシステム。
【請求項３３】
周辺機器を含むサージカルアパレルシステムであって、
着用者の頭部に装着され、フェイスフレームを備えたサージカルヘルメットであり、前記フェイスフレームが、
当該フェイスフレームの幅方向全体に延び、位置合わせチャネルを規定する頂部ビームと、
前記位置合わせチャネル内に少なくとも一部が配設された突起と、
を備えた、サージカルヘルメットと、
前記サージカルヘルメットの上方に少なくとも一部が配設され、医療環境と前記着用者との間に微生物バリアを設けるサージカルガーメントアセンブリであり、
前記サージカルヘルメットの上方に少なくとも一部が配設された場合に、前記着用者の顔面の前方に位置決めされるように構成された開口を規定するサージカル布と、
前記サージカル布の前記開口内に配設され、上部および下部を備えた透明フェイスシールドと、
前記透明フェイスシールドの前記上部の外周から延びたタブと、
を備え、前記タブが、前記突起の少なくとも一部を受容するようにサイズ規定された結合開口部の少なくとも一部を規定する、サージカルガーメントアセンブリと、
を備え、
前記タブおよび前記位置合わせチャネルが、前記タブが前記位置合わせチャネル内に位置決め可能で、前記結合開口部が前記突起の上方で摺動可能となるように、相補的にサイズ規定された、サージカルアパレルシステム。
【請求項３４】
前記サージカルヘルメットが、
前記頂部ビームから延び、フェイスフレームを規定するように構成され、遠位面および前記遠位面における凹部を備えた下顎バーと、
前記下顎バーの前記凹部内に配設され、遠位面を備え、磁性材料で形成された第１の結合部材と、
をさらに備え、
前記透明フェイスシールドが、近位面を備え、強磁性材料で形成され、前記サージカルガーメントの少なくとも一部が前記サージカルヘルメットの上方に配設された場合に、前記第１の結合部材に対して取り外し可能に結合するように構成された第１の取り付け要素をさらに備えた、請求項３３に記載のサージカルアパレルシステム。
【請求項３５】
前記第１の取り付け部材の前記近位面が、前記サージカルガーメントの少なくとも一部が前記サージカルヘルメットの上方に配設された場合に、前記第１の結合部材の前記遠位面に係合するように構成され、
前記第１の結合部材が、当該第１の結合部材の前記遠位面が、前記下顎バーの前記遠位面に近接して位置決めされるように、前記下顎バーの前記凹部内に配設された、請求項３４に記載のサージカルアパレルシステム。
【請求項３６】
前記第１の取り付け部材の前記近位面が、前記サージカルガーメントの少なくとも一部が前記サージカルヘルメットの上方に配設された場合に、前記下顎バーの前記遠位面に近接して位置決めされるように構成された、請求項３５に記載のサージカルアパレルシステム。
【請求項３７】
サージカルアパレルシステムを動作させる方法であって、
前記サージカルアパレルシステムを用意するステップであって、前記システムが、
個人の頭部に装着されるように構成されたサージカルヘルメットと、
前記サージカルヘルメットに対して取り外し可能に結合され、医療環境と着用者との間に微生物バリアを設けるように構成されたサージカルガーメントと、を備え、
前記サージカルヘルメットが、
外科手術中に当該サージカルヘルメットを着用している前記個人の動作を容易化するように構成された周辺機器と、
前記サージカルガーメントの当該サージカルヘルメットへの結合を検出するとともに、当該サージカルヘルメットに結合されている前記サージカルガーメントの有無に少なくとも部分的に基づいて信号を生成するように構成された検出器と、
前記検出器および前記周辺機器と連通したコントローラと、を備え、かつ、
前記システムが、前記サージカルヘルメットと取り外し可能に相互接続され、前記コントローラと連通した携帯型エネルギー源を備えている、ステップと、
前記携帯型エネルギー源を前記サージカルヘルメットに結合するステップと、
前記検出器を利用して、前記サージカルガーメントが前記サージカルヘルメットに結合されたかを検出するステップと、
前記ガーメントが結合されているかに少なくとも部分的に基づいて、前記周辺機器の動作特性を制御するステップと、
前記コントローラが前記検出器から前記信号を受信した場合に、前記携帯型エネルギー源から前記周辺機器にエネルギーを伝送するステップと、
を含む、方法。
【請求項３８】
前記サージカルヘルメットが、
当該サージカルヘルメットに結合され、前記コントローラと連通し、前記周辺機器の動作と関連するデータを格納するように構成されたメモリデバイスと、
前記コントローラと連通し、前記携帯型エネルギー源の残存電力レベルを検出するとともに、前記携帯型エネルギー源の電力レベルに基づいて、エネルギー信号を前記コントローラに伝達するように構成されたエネルギーセンサと、
をさらに備えた、請求項３７に記載の方法。
【請求項３９】
前記サージカルガーメントの少なくとも一部が前記サージカルヘルメットの上方に配設されるように、前記サージカルガーメントを前記サージカルヘルメットに結合するステップをさらに含む、請求項３８に記載の方法。
【請求項４０】
前記エネルギー信号を前記エネルギーセンサから前記コントローラに伝達するステップと、
前記携帯型エネルギー源の残存電力レベルが閾値に達したことを前記エネルギーセンサからの前記エネルギー信号が示す場合に、前記周辺機器のユーザ設定を格納するステップと、
をさらに含む、請求項３９に記載の方法。
【請求項４１】
前記周辺機器の前記ユーザ設定を前記メモリデバイスに格納するステップと、
前記サージカルガーメントが前記サージカルヘルメットに結合されたことを示す前記信号を前記検出器が前記コントローラに伝達し続ける間、前記携帯型エネルギー源を第２の携帯型エネルギー源と交換するステップと、
前記メモリデバイスに格納された前記ユーザ設定に基づいて、前記周辺機器を再開させるステップと、
をさらに含む、請求項４０に記載の方法。
【請求項４２】
前記サージカルガーメントが前記サージカルヘルメットから分離され、前記携帯型エネルギー源が前記サージカルヘルメットから切り離されたことを示す前記信号を前記検出器が前記コントローラに伝達する場合に、前記メモリデバイスに格納された前記周辺機器の前記ユーザ設定を消去するステップをさらに含む、請求項４１に記載の方法。
【請求項４３】
前記周辺機器のユーザ設定を前記メモリデバイスに格納するステップと、
前記携帯型エネルギー源が前記サージカルヘルメットと相互接続されている間に、前記サージカルガーメントを前記サージカルヘルメットから分離するステップと、
前記サージカルガーメントが前記サージカルヘルメットから分離されたことを示す前記信号を前記検出器から受信した際に、前記周辺機器の動作を停止するステップと、
前記携帯型エネルギー源が前記サージカルヘルメットと相互接続され続けている間に、第２のサージカルガーメントを前記サージカルヘルメットに結合するステップと、
前記メモリデバイスに格納された前記ユーザ設定に基づいて、前記周辺機器を再開させるステップと、
をさらに含む、請求項４１に記載の方法。
【請求項４４】
前記サージカルガーメントが前記サージカルヘルメットから分離され、前記携帯型エネルギー源が前記サージカルヘルメットから切り離されたことを示す前記信号を前記検出器が前記コントローラに伝達する場合に、前記メモリデバイスに格納された前記周辺機器の前記ユーザ設定を消去するステップをさらに含む、請求項４３に記載の方法。
【請求項４５】
前記メモリデバイスが、前記サージカルガーメントの複数の構成と関連するデータを格納するように構成され、
当該方法が、
前記検出器を用いて、前記サージカルヘルメットに結合された前記サージカルガーメントの前記複数の構成のうちの１つを識別するステップと、
前記サージカルガーメントの前記識別した構成を前記コントローラに伝達するステップと、
前記サージカルガーメントの前記識別した構成に少なくとも部分的に基づいて、前記周辺機器の少なくとも１つの動作特性と関連するコマンドを伝達するステップと、
をさらに含む、請求項４３に記載の方法。
【請求項４６】
前記サージカルガーメントの少なくとも一部が前記サージカルヘルメットの上方に配設されるように、前記サージカルガーメントを前記サージカルヘルメットに結合するステップをさらに含む、請求項４１〜４５のいずれか１項に記載の方法。
【請求項４７】
前記サージカルガーメントが前記サージカルヘルメットに結合されたことを示す前記信号を前記検出器から受信するステップと、
前記検出器からの前記信号の受信後、規定の第１の期間にわたって、前記携帯型エネルギー源から前記周辺機器への電力の伝送を遅延させるステップと、
をさらに含む、請求項４６に記載の方法。
【請求項４８】
前記サージカルガーメントが前記サージカルヘルメットに結合されないように、前記サージカルガーメントを前記サージカルヘルメットから分離するステップをさらに含む、請求項４６に記載の方法。
【請求項４９】
前記サージカルガーメントが前記サージカルヘルメットから分離されたことを示す前記信号を前記検出器から受信するステップと、
前記検出器からの前記信号の受信後、規定の第２の期間にわたって、前記周辺機器への電力の伝送を継続するステップと、
をさらに含む、請求項４８に記載の方法。
【請求項５０】
サージカルガーメントをサージカルヘルメットに取り付ける方法であり、前記サージカルヘルメットが、位置合わせチャネルおよび前記位置合わせチャネル内に少なくとも一部が配設された第１の部材を規定する頂部ビームと、第１の取り付け凹部および第２の取り付け凹部を規定する下顎バーとを備え、前記下顎バーが、前記第１の取り付け凹部内に少なくとも一部が配設された第１の磁石および前記第２の取り付け凹部内に少なくとも一部が配設された第２の磁石を含む、方法であって、
上部から延びたタブ内に少なくとも一部が配設された第１の開口部を備えた透明フェイスシールドと、前記透明フェイスシールドの底部に結合され、それぞれが凹面を有する第１の取り付け要素および第２の取り付け要素とを含み、裏返しになったサージカルガーメントを用意するステップと、
前記透明フェイスシールドの前記タブの少なくとも一部が前記位置合わせチャネル内となるように、前記サージカルガーメントを位置決めするステップと、
前記サージカルヘルメットの前記第１の部材が前記第１の開口部を通って延びるように、前記サージカルガーメントを配置するステップと、
前記透明フェイスシールドを着用者の顔面の前方に位置決めするように、前記フェイスシールドの前記第１の開口部と前記第１の部材との間の界面周りで前記サージカルガーメントを操作するステップと、
を含む、方法。
【請求項５１】
前記第１の強磁性取り付け要素の少なくとも一部が前記第１の取り付け凹部内となり、前記第２の強磁性取り付け要素の少なくとも一部が前記第２の取り付け凹部内となって、前記操作するステップの後に、前記第１の強磁性取り付け要素および前記第２の強磁性取り付け要素が前記第１の磁石および前記第２の磁石に取り付けられるように、前記透明フェイスシールドを位置決めするステップをさらに含む、請求項５０に記載の方法。
【請求項５２】
前記サージカルガーメントが、無菌パッケージにて提供され、
当該方法が、前記透明フェイスシールドの前記タブの少なくとも一部が前記位置合わせチャネル内となるように、前記サージカルガーメントを位置決めするステップに先立って、前記パッケージを開封するとともに、前記サージカルガーメントの少なくとも一部を前記パッケージから取り出すステップをさらに含む、請求項５０または５１に記載の方法。
【発明の詳細な説明】
【技術分野】
【０００１】
本願は、２０１８年１月２６日に出願された米国仮特許出願第６２／６２２，５２０号および２０１８年５月２４日に出願された米国仮特許出願第６２／６７６，１３５号の優先権および利益を主張する２０１８年１２月１８日に出願された米国特許出願第１６／２２３，５２３号の優先権および利益を主張するものであり、そのすべての内容を本明細書に援用する。
【背景技術】
【０００２】
外科手術においては、手術従事者と患者との間に無菌バリアを設けるため、個人用保護システムが使用される。具体的に、従来のシステムは、トーガまたはフードを支持するヘルメットを具備する。このシステムは、無菌バリアを確立したい医療従事者／手術従事者が着用する。トーガまたはフードは、透明なフェイスシールドを具備する場合がある。ヘルメットは、ファンを含む換気ユニットを具備する。換気ユニットは、空気が着用者の周りで循環するように、トーガ／フードを通じて空気を取り込む。これにより、トーガ／フードに閉じ込められる熱の量およびこの空間に溜まるＣＯ２の量の両者が減る。さらに、手術部位を照らすように指向され得る照明のヘルメットへの取り付けが知られている。
【０００３】
従来のトーガまたはフードは、ヘルメットに対して取り外し可能に結合されるように構成されていた。これにより、トーガ／フードは、外科手術の後にヘルメットから取り外して、廃棄することができる。個人用保護システムの以前の設計には、トーガ／フードをヘルメットに結合するフックおよび／または一般的なファスナを含んでいた。ただし、個人用保護システムの以前の設計で利用されていたファスナには、多くの制約があった。
【発明の概要】
【０００４】
本開示は、一般的にはサージカルアパレルシステムに関する。サージカル（手術用／外科用／防護用）アパレルシステムは、サージカルヘルメットに取り付けられるように構成可能なサージカルガーメントアセンブリを備え、このサージカルガーメントアセンブリは、当該システムを着用している個人と周囲環境との間にバリアを設けるように採用可能である。
【０００５】
例示的な一構成は、サージカルヘルメットに取り付けられるように構成され、取り付け部材を一体的に含むサージカルガーメントを備え、サージカルガーメントをサージカルヘルメットに対して取り外し可能に結合するように構成されたサージカルアパレルシステムを提供する。取り付け部材は、サージカルガーメントにより形成された微生物バリアの着用者側でサージカルヘルメットに対して取り外し可能に結合するように構成されていてもよい。サージカルヘルメットは、取り付け部材に嵌め合い係合することによって、サージカルガーメントを当該サージカルヘルメットに対して取り外し可能に結合するように構成されたヘルメット結合器アセンブリを備えていてもよい。ヘルメット結合器アセンブリは、サージカルヘルメットに対するサージカルガーメントの位置に少なくとも部分的に基づいて、検出器に対して選択的に係合するように構成された可動部材をさらに備えていてもよい。このスイッチは、サージカルヘルメットの周辺機器の動作特性を制御するように構成されたコントローラに対して通信可能に接続されていてもよい。
【０００６】
別の例示的な構成において、サージカルアパレルシステムは、医療環境と着用者との間に微生物バリアを設けるように構成されたサージカルガーメントを備えていてもよい。サージカルガーメントは、位置合わせチャネル内に少なくとも一部が配設されたフックおよび下顎バーを含むサージカルヘルメットの上方に配設されるように構成されていてもよい。下顎バーは、少なくとも２つの磁性結合部材を含んでいてもよい。サージカルガーメントは、サージカルヘルメットの上方に少なくとも一部が配設されるように構成された第１の材料を備えていてもよい。第１の材料は、サージカルヘルメットの上方に配設された場合に、着用者の顔面の前方に位置決めされるように構成された開口を備えていてもよい。サージカルガーメントは、第１の材料の前記開口内に配設された透明フェイスシールドをさらに備えていてもよい。透明フェイスシールドは、第１の表面および反対の第２の表面と、上部および下部と、サージカルヘルメットの突起に対して取り外し可能に係合することにより、サージカルヘルメットに対して第１の材料を位置合わせするように構成された当該透明フェイスシールド中の第１の開口部とを備えていてもよい。サージカルガーメントは、第１の開口部の両側部上で透明フェイスシールドの下部に固定可能な第１の取り付け要素および第２の取り付け要素をさらに備えていてもよい。第１の取り付け要素および第２の取り付け要素はそれぞれ、当該第１の取り付け要素および当該第２の取り付け要素を透明フェイスシールドに固定するように構成された保持機構を備えていてもよい。第１の取り付け要素および第２の取り付け要素の少なくとも一方は、少なくとも部分的に強磁性材料を含んでいてもよく、第１の取り付け要素および第２の取り付け要素の少なくとも一方は、微生物バリアの着用者側に凹部を規定し、それぞれ、サージカルヘルメットの磁性結合部材のうちの１つに対して取り外し可能に係合するように構成されている。
【０００７】
さらに別の例示的な構成において、サージカルアパレルシステムは、医療環境と着用者との間に微生物バリアを設けるように構成されたサージカルガーメントを備えていてもよい。サージカルガーメントは、少なくとも２つの磁性結合部材を含むサージカルヘルメットの上方に配設されるように構成されていてもよい。サージカルガーメントは、サージカルヘルメットの上方に少なくとも一部が配設されるように構成された第１の材料を備えていてもよい。第１の材料は、開口を備えていてもよい。サージカルガーメントは、第１の材料の開口内に配設された透明フェイスシールドをさらに備えていてもよい。透明フェイスシールドは、第１の表面および反対の第２の表面と、上部および下部と、前記第１の材料の着用者側に配設され、サージカルヘルメットに対して取り外し可能に係合する第１の結合器とを備えていてもよい。また、サージカルガーメントは、第１の取り付け要素および第２の取り付け要素を備えていてもよい。第１の取り付け要素および第２の取り付け要素は、透明フェイスシールドの下部に固定されていてもよい。また、第１の取り付け要素および第２の取り付け要素はそれぞれ、当該第１の取り付け要素および当該第２の取り付け要素を透明フェイスシールドに固定するように構成された保持機構を備えていてもよい。第１の取り付け要素および第２の取り付け要素の少なくとも一方は、強磁性材料を含むとともに、前記微生物バリアの前記着用者側に凹部を規定していてもよい。凹部は、サージカルヘルメットの磁性結合部材に対して取り外し可能に係合するように構成されていてもよい。
【０００８】
さらに別の例示的な構成において、サージカルアパレルシステムは、医療環境と着用者との間に微生物バリアを設けるように構成されたサージカルガーメントを備えていてもよい。サージカルガーメントは、少なくとも２つの磁性結合部材を含むサージカルヘルメットの上方に配設されるように構成されていてもよい。サージカルガーメントは、サージカルヘルメットの上方に少なくとも一部が配設されるように構成された第１の材料を備えていてもよい。第１の材料は、開口を備えていてもよい。サージカルガーメントは、第１の材料の開口内に配設された透明フェイスシールドをさらに備えていてもよい。透明フェイスシールドは、上部および下部を備えていてもよい。サージカルガーメントは、前記第１の材料の着用者側に配設され、サージカルヘルメットに対して取り外し可能に係合するように構成された第１の結合器をさらに備えていてもよい。また、サージカルガーメントは、第１の取り付け要素および／または第２の取り付け要素を備えていてもよい。第１の取り付け要素および第２の取り付け要素は、透明フェイスシールドの下部に固定されていてもよい。第１の取り付け要素および第２の取り付け要素はそれぞれ、遠位面および近位面を含むヘッドを備えていてもよい。また、第１の取り付け要素および第２の取り付け要素はそれぞれ、ヘッドの前記遠位面から延びたポストを備えていてもよい。ポストは、遠位部と、ヘッドの遠位面に隣接するように構成された近位部とを備えていてもよい。近位部が第１の寸法を有し、遠位部が第２の寸法を有し、第１の寸法が第２の寸法より大きくてもよい。第１の取り付け要素および第２の取り付け要素それぞれのヘッドは、強磁性材料をさらに含み、各ヘッドの前記近位面は、サージカルヘルメットの磁性結合部材のうちの１つに対して取り外し可能に係合するように構成されていてもよい。
【０００９】
さらに別の例示的な構成において、ヘルメットと併用されるように構成された保護用アパレルシステムは、環境と着用者との間にバリアを設けるようにしてもよい。ヘルメットは、位置合わせチャネル内に少なくとも一部が配設された突起および下顎バーを含んでいてもよい。下顎バーは、少なくとも２つの磁性結合部材を含んでいてもよい。保護用アパレルシステムは、ヘルメットの上方に少なくとも一部が配設されるように構成されたシェルをさらに備えていてもよい。シェルは、ヘルメットの上方に少なくとも一部配設された場合に、着用者の顔面の前方に位置決めされるように構成された開口を備えていてもよい。また、保護用アパレルシステムは、シェルの開口内に配設された透明フェイスシールドを備えていてもよい。透明フェイスシールドは、上部および下部を備えていてもよい。保護用アパレルシステムは、ヘルメットの位置合わせチャネルにより、ヘルメットに対してシェルを位置合わせする外側縁部を備えたシェルの着用者側のタブをさらに備えていてもよい。タブは、ヘルメットの突起に対して取り外し可能に係合することにより、ヘルメットに対して前記シェルを位置合わせするように構成された第１の開口部を備えていてもよい。保護用アパレルシステムは、第１の開口部の両側部上で透明フェイスシールドの下部に固定された第１の取り付け要素および第２の取り付け要素をさらに備えていてもよい。第１の取り付け要素および第２の取り付け要素の少なくとも一方は、少なくとも部分的に強磁性材料を含むとともに、前記バリアの前記着用者側に結合凹部を規定する。第１の取り付け要素および第２の取り付け要素ならびに／または結合凹部は、ヘルメットの磁性結合部材に対して取り外し可能に係合するように構成されている。
【００１０】
さらに別の例示的な構成において、ヘルメットと併用されるように構成された保護用アパレルシステムは、環境と着用者との間にバリアを設けるようにしてもよい。ヘルメットは、位置合わせチャネル内に少なくとも一部が配設された突起および下顎バーを含んでいてもよい。下顎バーは、少なくとも２つの磁性結合部材を含んでいてもよい。保護用アパレルシステムは、ヘルメットの上方に少なくとも一部が配設されるように構成されたシェルを備えていてもよい。シェルは、ヘルメットの上方に少なくとも一部配設された場合に、着用者の顔面の前方に位置決めされるように構成された開口を備えていてもよい。保護用アパレルシステムは、シェルの開口内に配設された透明フェイスシールドをさらに備えていてもよい。透明フェイスシールドは、第１の表面および反対の第２の表面と、上部および下部とを備えていてもよい。保護用アパレルシステムは、ヘルメットの位置合わせチャネルにより、ヘルメットに対してシェルを位置合わせする外側縁部を有する前記シェルの着用者側のタブをさらに備えていてもよい。保護用アパレルシステムは、前記タブに少なくとも一部が形成され、ヘルメットの突起に対して取り外し可能に係合することにより、ヘルメットに対してシェルを位置合わせするように構成された第１の開口部をさらに備えていてもよい。保護用アパレルシステムは、タブの前記第１の開口部の両側部上で前記透明フェイスシールドの前記下部に固定された第１の取り付け要素および第２の取り付け要素をさらに備えていてもよい。第１の取り付け要素および第２の取り付け要素はそれぞれ、透明フェイスシールドの第１の表面よりも第２の表面に近く位置決めされた保持機構を備えていてもよい。第１の取り付け要素および第２の取り付け要素は、少なくとも部分的に強磁性材料を含むとともに、前記バリアの前記着用者側に各結合凹部を規定していてもよい。第１の取り付け要素および第２の取り付け要素ならびに／または結合凹部は、ヘルメットの磁性結合部材に対して取り外し可能に係合するように構成されている。
【００１１】
当業者には、本開示の上記および他の構成、特徴、および利点が明らかとなるであろう。本開示は、これらの構成、実施形態、特徴、および／または利点に制限される意図もなければ、これらにより制限される意図もない。
【００１２】
以下、図面を参照して、例示的な実例を詳細に示す。図面は、模式的な実施形態および／または例示的な構成を表すが、必ずしも原寸に比例しておらず、例示的な一構成の革新的な一態様をよりよく図示および説明するため、特定の特徴を誇張している場合がある。さらに、本明細書に記載の例示的な実例は、何ら網羅的でもなければ、図面に示すとともに以下の詳細な説明に開示する詳細な形態および構成に限定されることも制限されることも意図しない。
【００１３】
添付の図面に関連して考慮する場合に、以下の詳細な説明を参照することによって、より深く理解されるほどに、本開示の利点が容易に認識されるであろう。
【図面の簡単な説明】
【００１４】
【図１】サージカルフードおよびサージカルヘルメットを具備するサージカルアパレルシステムの第１の構成の斜視図である（サージカルヘルメットを仮想的に示す）。
【図２】図１のサージカルアパレルシステムのサージカルヘルメットの斜視図である。
【図３】図１に示すサージカルヘルメットの下顎バーに結合されたサージカルガーメントの部分斜視図である。
【図４Ａ】サージカルフードがサージカルヘルメットに結合された状態の図１のサージカルアパレルシステムのヘッドバンドの第１の構成の部分模式上面図である。
【図４Ｂ】サージカルフードがサージカルヘルメットに結合された状態の図１のサージカルアパレルシステムのヘッドバンドの第２の構成の部分模式上面図である。
【図５】サージカルフードおよびサージカルヘルメット（仮想的に示す）を具備するサージカルアパレルシステムの第２の構成の斜視図である。
【図６】図５のサージカルアパレルシステムのサージカルヘルメットの斜視図である。
【図７】図５に示すサージカルヘルメットの下顎バーに結合されたサージカルガーメントの部分斜視図である。
【図８】結合機構の第１の構成を含む図５のサージカルアパレルシステムのコントローラハウジングの内部の部分斜視図である。
【図９Ａ】図８の結合機構の第１の構成の第１の状態の拡大断面図である。
【図９Ｂ】サージカルガーメントがサージカルヘルメットに結合された図８の結合機構の第１の構成の第２の状態の拡大断面図である。
【図１０Ａ】図８の結合機構の第２の構成の第１の状態の拡大断面図である。
【図１０Ｂ】図８の結合機構の第２の構成の第２の状態の拡大断面図である。
【図１１】図８の結合機構の第３の構成の拡大断面図である。
【図１２Ａ】図８の結合機構の第４の構成の拡大断面図である。
【図１２Ｂ】図８の結合機構の第５の構成の拡大断面図である。
【図１３Ａ】透明フェイスシールドから延びたタブの第１の構成を伴うサージカルフードを具備するサージカルアパレルシステムの第３の構成の斜視図である（サージカルヘルメットを仮想的に示す）。
【図１３Ｂ】透明フェイスシールドから分離されたタブの第２の構成を伴うサージカルフードの代替構成を含むサージカルアパレルシステムの第３の構成の斜視図である（サージカルヘルメットを仮想的に示す）。
【図１４】位置合わせチャネルおよび下顎バー中の結合部材を含む図１３Ａおよび図１３Ｂのサージカルヘルメットの斜視図である。
【図１５Ａ】図１４のヘルメットの位置合わせチャネルの拡大斜視図である。
【図１５Ｂ】図１４のヘルメットの位置合わせチャネルの拡大上面図である。
【図１６Ａ】結合部材に隣接して位置決めされた検出器を含む図１４のヘルメットの下顎バー中の結合部材のうちの１つの斜視図である。
【図１６Ｂ】図１６Ａの結合部材のうちの１つの断面図である。
【図１７Ａ】図１４のヘルメットの結合部材の第１の構成の斜視図である。
【図１７Ｂ】図１４のヘルメットの結合部材の第１の構成の上面図である。
【図１８Ａ】取り付け要素を取り付ける開口部を含む図１６Ａのサージカルアパレルシステムの透明フェイスシールドの前面の斜視図である。
【図１８Ｂ】取り付け部材が結合された図１３Ａのサージカルアパレルシステムの透明フェイスシールドの後面の斜視図である。
【図１８Ｃ】図１８Ｂに示すように透明フェイスシールドに結合された取り付け部材のうちの１つの拡大図である。
【図１８Ｄ】図１３Ａおよび図１３Ｂのサージカルアパレルシステムの透明フェイスシールドに結合されたサージカルフードの取り付け要素の第１の構成の部分断面図である。
【図１９Ａ】図１３Ａおよび図１３Ｂのサージカルアパレルシステムのサージカルフードの取り付け要素の第１の構成の前面図である。
【図１９Ｂ】図１３Ａおよび図１３Ｂのサージカルアパレルシステムのサージカルフードの取り付け要素の第１の構成の前面斜視図である。
【図１９Ｃ】図１３Ａおよび図１３Ｂのサージカルアパレルシステムのサージカルフードの取り付け要素の第１の構成の後面斜視図である。
【図２０Ａ】図１３Ａおよび図１３Ｂのサージカルアパレルシステムの透明フェイスシールドに取り付け要素を固定する保持部材の後面斜視図である。
【図２０Ｂ】図１３Ａおよび図１３Ｂのサージカルアパレルシステムの透明フェイスシールドに取り付け要素を固定する保持部材の後面図である。
【図２０Ｃ】図１３Ａおよび図１３Ｂのサージカルアパレルシステムの透明フェイスシールドに取り付け要素を固定する保持部材の断面図である。
【図２０Ｄ】図１３Ａおよび図１３Ｂのサージカルアパレルシステムの透明フェイスシールドに取り付け要素を結合する保持部材の側面図である。
【図２１Ａ】フェイスシールドのサージカルヘルメットへの結合に先立って、サージカルヘルメットの下顎バーおよび頂部ビームに対して位置決めされた図１３Ａのサージカルガーメントのフェイスシールドの斜視図である。
【図２１Ｂ】サージカルヘルメットの頂部ビームの位置合わせチャネル内に位置決めされたタブを含む、フェイスシールドのサージカルヘルメットへの結合の遷移に際して、サージカルヘルメットの下顎バーおよび頂部ビームに対して位置決めされた図１３Ａのサージカルガーメントのフェイスシールドの斜視図である。
【図２１Ｃ】サージカルヘルメットに結合された図１３Ａのサージカルアパレルシステムのフェイスシールドの斜視図である。
【図２２Ａ】図１３Ａ〜図１６Ｃの結合部材に結合された図１８Ｄの取り付け部材の第１の構成の部分断面図である。
【図２２Ｂ】取り付け要素が結合部材に隣接して位置決めされた場合に検出器に対してサージカルヘルメットの結合部材を囲む磁界の模式図である。
【図２２Ｃ】取り付け要素がない場合に、検出器に対してサージカルヘルメットの結合部材を囲む磁界の模式図である。
【図２３Ａ】図１３Ａおよび図１３Ｂのサージカルアパレルシステムのサージカルフードと併用される取り付け要素の第２の構成の前面図である。
【図２３Ｂ】図２３Ａの取り付け要素の第２の構成の前面斜視図である。
【図２４Ａ】図１３Ａおよび図１３Ｂのサージカルアパレルシステムのサージカルフードと併用される取り付け要素の第３の構成の前面図である。
【図２４Ｂ】図２４Ａの取り付け要素の第３の構成の前面斜視図である。
【図２５Ａ】図１３Ａおよび図１３Ｂのサージカルアパレルシステムのサージカルフードと併用される取り付け要素の第４の構成の前面図である。
【図２５Ｂ】図２５Ａの取り付け要素の第４の構成の前面斜視図である。
【図２６Ａ】図１３Ａおよび図１３Ｂのサージカルアパレルシステムのサージカルフードと併用され、磁性材料インサートを含む取り付け要素の第５の構成の前面図である。
【図２６Ｂ】図２６Ａの取り付け要素の第５の構成の断面図である。
【図２７Ａ】図１３Ａおよび図１３Ｂのサージカルアパレルシステムのサージカルフードと併用される取り付け要素の第６の構成の前面図である。
【図２７Ｂ】図２７Ａの取り付け要素の第６の構成の前面斜視図である。
【図２８Ａ】図１３Ａおよび図１３Ｂのサージカルアパレルシステムのサージカルフードと併用される取り付け要素の第７の構成の前面図である。
【図２８Ｂ】図２８Ａの取り付け要素の第７の構成の前面斜視図である。
【図２９Ａ】図１３Ａおよび図１３Ｂのサージカルアパレルシステムのフェイスシールドの一部に結合された取り付け要素の第８の構成の前面斜視図である。
【図２９Ｂ】フェイスシールドの一部に結合された図２９Ａの取り付け要素の第８の構成の前面斜視図である。
【図３０】図１３Ａおよび図１３Ｂのサージカルアパレルシステムのサージカルフードと併用される取り付け要素および結合部材の第９の構成の模式図である。
【図３１】図１３Ａおよび図１３Ｂのサージカルアパレルシステムのサージカルフードと併用される取り付け要素および結合部材の第１０の構成の模式図である。
【図３２】図１３Ａおよび図１３Ｂのサージカルアパレルシステムのサージカルフードと併用される取り付け要素および結合部材の第１１の構成の模式図である。
【図３３】図１３Ａおよび図１３Ｂのサージカルアパレルシステムのサージカルフードと併用される取り付け要素および結合部材の第１２の構成の模式図である。
【図３４】サージカルヘルメットと併用されるサージカルフードのさらに別の例示的な構成の斜視図である。
【図３５】図３４のサージカルフードおよびサージカルヘルメットを具備するサージカルアパレルシステムの第４の構成の斜視図である（サージカルヘルメットを仮想的に示す）。
【図３６】図３５のサージカルヘルメットの部分分解図である。
【発明を実施するための形態】
【００１５】
医療提供者と患者との間に確実なバリアを維持することによって、医療処置または検査中の粒子または異物の交換および／または移動を防止することが何よりも重要である。医療処置および外科手術中、医療提供者は、図１に示すサージカルアパレルシステム１０等のサージカルアパレルシステムとして知られるアセンブリを着用する場合がある。
【００１６】
したがって、サージカルアパレルシステム１０は、サージカルヘルメット２０に取り付けられるように構成されたサージカルガーメント１２を備えたサージカルガーメントアセンブリを備えていてもよい。サージカルガーメント１２は、着用者と周囲環境との間に、微生物バリア等のバリアを設けるように構成されている。サージカルガーメント１２により形成されたバリアは、着用者および患者の両者に利益となり得る。サージカルガーメント１２により設けられるバリアは、外科手術の最中に生成され得る患者からの流体または固体の物質粒子に着用者が接触する可能性を実質的に取り除き得る。バリアは実質的に、外科手術に際して、着用者により放出された如何なる異物をも患者へと移動しないようにすることができる。
【００１７】
図１を参照して、サージカルガーメント１２は、サージカルヘルメット２０および着用者の頭部の少なくとも一部を覆うように構成されたサージカル布１４を具備していてもよい。サージカルガーメント１２は、図１に示すように、フードまたはシェルとして構成されていてもよい。フードまたはシェル１２は、着用者が着用した場合に、頭部を覆うとともに、首の下方にわずかの距離しか延びないと考えられるサージカルガーメント１２を表すことが了解される。ただし、図面には示していないものの、サージカルガーメント１２はさらに、トーガ、シート、またはジャケットとして構成されていてもよいと考えられる。トーガ１２は、着用者が着用した場合に、フードと同様に頭部を覆うとともに、少なくとも腰まで延びるサージカルガーメント１２を表すことが了解される。
【００１８】
サージカルガーメント１２は、水、ごみ、および他の汚染物質をはじくことおよび／または吸収することに役立つように、任意好適なサージカル布１４または布地の組み合わせにより製造されていてもよい。サージカル布１４は、複数の層を具備していてもよい。このような１つの層は、微生物バリアを依然として維持しつつガスを通過させ得る微多孔膜であってもよい。特定の構成において、サージカル布１４は、血液浸透抵抗に関するＡＳＴＭ  Ｆ１６７０−９８規格および／またはウイルス侵入抵抗に関するＡＳＴＭ  Ｆ１６７１−９７Ｂ規格を満たすものである。サージカル布１４の非限定的な一例において、サージカルガーメント１２のサージカル布１４は、約０．０５〜０．２０ミクロンの範囲の細孔サイズを有する。ただし、サージカル布１４は、他の細孔サイズも考えられる。
【００１９】
さらに、サージカルガーメント１２は、相互に結合された複数の異なる布地で構成されることにより、バリアを規定していてもよいと考えられる。たとえば、サージカルガーメント１２は主として、バリアサージカル布１４およびフィルタ布１６により構成されていてもよい。フィルタ布１６は、上述のバリアサージカル布１４よりも透過性ひいては通気性が高くてもよい。フィルタ布１６は、着用者の頭部の上方または着用者の頭部の頭頂近く等、微生物粒子がバリアを通過するリスクが低いエリアに位置付けられ、バリアを通る空気の循環に役立つように構成されていてもよい。バリアサージカル布１４は、接着剤、縫製、溶接、またはこれらの組み合わせ等、任意好適な手段によってフィルタ布１６に取り付けられていてもよい。
【００２０】
図１に示すように、サージカルガーメント１２は、フェイスシールド１８をさらに備えていてもよい。サージカルガーメント１２のフェイスシールド１８の部分によれば、着用者は、サージカルガーメント１２が設けるバリアを透かして見ることができる。フェイスシールド１８は、大略シート状構造であり、厚さが約１ｍｍ以下であってもよい。フェイスシールド１８は、サージカルガーメント１２のサージカル布１４に形成された開口または切り抜き部に組み付けおよび／または取り付けがなされていてもよい。サージカル布１４は、縫製、スナップ、面ファスナ、接着剤、溶接、またはこれらの組み合わせによって、フェイスシールド１８の外縁または縁部周りに取り付けられていてもよい。フェイスシールド１８は、ポリカーボネート等の透明材料により構成されていてもよい。このような１つのポリカーボネートは、Ｓａｂｉｃにより商標ＬＥＸＡＮ（ＴＭ）として販売されている。また、サージカルガーメント１２のフェイスシールド１８は、明るい光に対する高曝露から着用者の眼を保護するように色付けされていてもよい。さらに、フェイスシールド１８は、後述の通り、湾曲してさまざまな頭部サイズに対応し得るように、可撓性であってもよい。
【００２１】
フェイスシールド１８は、その頂部に近接した開口５６をさらに備えていてもよい。開口５６は、大略矩形状であってもよい。さらに、図面には示していないものの、開口５６は、円形状、長円形状、正方形状、または任意の類似する多角形状で構成されていてもよいと考えられる。また、開口５６は、フェイスシールド１８の両端間で大略中心に位置付けられ、位置合わせ要素および／またはセンタリング機構として機能するようになっていてもよい。さらに、開口５６は、サージカル布１４のフェイスシールド１８への取り付け点の上方でフェイスシールド１８上に位置決めされることにより、サージカル布１４が開口５６を覆って、着用者と環境との間でサージカルガーメント１２が設けるバリアを維持するようにしてもよい。たとえば、図１に示すように、サージカルガーメント１２のサージカル布１４は、フェイスシールド１８の開口５６の下方位置で、フェイスシールド１８の頂点に取り付けられている。
【００２２】
また、サージカルガーメント１２は、その周りに位置決めされた１つまたは複数の取り付け要素５８を具備していてもよい。取り付け要素５８は、ガーメントファスナまたは第２の部材と称する場合もある。取り付け要素５８は、サージカルガーメント１２をサージカルヘルメット２０に対して解除可能に固定するように構成されている。取り付け要素５８は、任意好適な形態であってもよく、また、金属タック、リベット、ボタン、磁石、面ファスナ、スナップ、または同様の種類のファスナを単独または組み合わせにて含んでいてもよい。図１に示すように、取り付け要素５８は、フェイスシールド１８の着用者側から内方に延びるように、サージカルガーメント１２のフェイスシールド１８に組み付けられていてもよい。また、図面には示していないものの、取り付け要素５８は、バリアサージカル布１４および／またはフィルタ布１６への組み付けを含めて、サージカルガーメント１２周りのその他任意の位置または場所に位置決めされていてもよい。取り付け要素５８は、接着剤、リベット、スナップ、同様の組み付け機器、またはこれらの組み合わせによって、フェイスシールド１８および／または布１４／１６に組み付けられていてもよい。
【００２３】
図１および図２を再び参照して、サージカルアパレルシステム１０の例示的な一構成を詳しく説明する。このシステムは、サージカルガーメント１２およびサージカルヘルメット２０を具備していてもよい。サージカルガーメント１２は、サージカルヘルメット２０の上方に載置されるフードまたはトーガとして構成されていてもよい。図１に示すフード構成において、サージカルガーメント１２は、サージカルヘルメット２０の上方に位置決めされ、サージカルヘルメット２０を取り囲むとともに、これに対応して、サージカルアパレルシステム１０を着用している人の頭部を取り囲むことにより、着用者の顔面および頭部の後部を覆うように構成されていてもよい。あるいは、サージカルガーメント１２がトーガとして構成されているなら、トーガがサージカルヘルメット２０の上方に位置決めされ、サージカルヘルメット２０を取り囲むとともに、これに対応して、サージカルアパレルシステム１０を着用している人の頭部、腕、肩、および胴体を取り囲むように構成されていてもよい。サージカルヘルメット２０の上方に載置するため、サージカルガーメント１２は通常、後述のようにフェイスシールド１８がサージカルヘルメット２０に対して位置合わせおよび固定された状態で裏返されることになる。フェイスシールド１８がサージカルヘルメット２０に対して位置決めされたら、通常は、サージカル布１４のその他の部分が着用者の頭部の上方に引っ張られて、サージカルヘルメット２０の露出した構成要素および着用者の頭部を覆うことになる。
【００２４】
図２を参照して、この図は、サージカルアパレルシステム１０の一部として利用可能なサージカルヘルメット２０の例示的な一構成を示している。図２のサージカルヘルメット２０は、ヘッドバンド２２を具備する。ヘッドバンド２２は、着用者の頭部を囲むとともにサージカルヘルメット２０を支持するように構成されていてもよい。ヘッドバンド２２は、着用者の頭部の一般的な形状に適合し得る大略可撓性または柔軟性の材料により構成されていてもよい。ヘッドバンド２２は、そのサイズ／形状を調整するように構成されたヘッドバンド制御アセンブリ３８を備えていてもよい。ヘッドバンド制御アセンブリ３８は、着用者が操作してヘッドバンド２２のサイズを調整可能な制御部材３９を備えていてもよい。たとえば、図２に示すように、制御部材３９は、回転可能なノブまたはレバーを備えていてもよい。着用者が制御部材３９を一方向に回転させた場合、ヘッドバンド制御アセンブリ３８は、ヘッドバンド２２のサイズすなわち円周を小さくするように構成されていてもよい。あるいは、着用者が制御部材３９を逆方向に回転させた場合、ヘッドバンド制御アセンブリ３８は、ヘッドバンド２２のサイズすなわち円周を大きくするように構成されていてもよい。これにより、サージカルヘルメット２０のヘッドバンド２２は、特定個人の頭部のサイズおよび／または形状に関わらず、その個人の頭部にしっかりと嵌るように調整および／またはカスタマイズされ得る。
【００２５】
サージカルヘルメット２０は、ヘッドバンド２２により支持され、ヘッドバンド２２の上方に位置付けられたシェル３２をさらに具備する。シェル３２は、個人用保護システム１０を着用している個人の頭部に適合するように、弓形状に構成されていてもよい。他のヘルメット設計も考えられる。空隙または開放内部空間を規定するように、シェル３２の多くの部分が形成されていてもよい。たとえば、シェル３２は、中央空間を備えていてもよい。中央空間は、シェル３２の後部に向かって位置付けられていてもよい。シェル３２の頂部には、中央空間へのアクセスを可能にする取り込み開口または開口部が存在していてもよい。また、シェル３２は、当該シェル３２の前部に近接した前部空間および当該シェル３２の後部に近接した後部空間等、付加的な空間を含んでいてもよい。これら付加的な空間は、シェル３２内でダクト状の構造または通路を形成するように構成されていてもよい。あるいは、これら付加的な空間は、中央空間に相互接続されていてもよい。
【００２６】
サージカルヘルメット２０は、１つまたは複数の電動周辺機器３０を具備していてもよく、換気アセンブリ、照明、カメラ、マイク、他の通信機器、冷却機器、またはこれらの組み合わせが挙げられるが、これらに限定されない。これらの機器は、サージカルヘルメット２０に対してさまざまな場所および配向で組み付けおよび／または取り付けがなされていてもよい。周辺機器３０はそれぞれ、対応する周辺機器の動作状態に影響を及ぼすコマンドを受信するように構成されていてもよい。たとえば、周辺機器３０はそれぞれ、オン／オフコマンドを受信可能である。あるいは、周辺機器３０は、その１つまたは複数の設定を変更するコマンドを受信するようにしてもよい。このような構成により、サージカルヘルメット２０の着用者は、外科手術中にさまざまな周辺機器３０の動作状態を制御することができる。具体的な一例において、周辺機器が換気アセンブリ３０である場合、この換気アセンブリ３０は、作動の制御および／または当該換気アセンブリ３０のファンの速度の調整を行うさまざまなコマンドを受信するように構成されていてもよい。あるいは、周辺機器が冷却機器３０である場合、この冷却機器３０は、冷却ストリップが与える冷却出力の強度を制御するコマンドを受信するように構成されていてもよい。周辺機器がマイク３０である場合、このマイク３０は、当該マイクが生成する可聴信号の音量を制御するコマンドを受信するように構成されていてもよい。周辺機器が照明３０である場合、この照明３０は、発光の方向および／または強度を制御するコマンドを受信するように構成されていてもよい。当然のことながら、周辺機器３０は、当該周辺機器３０の動作を制御する他種のコマンドに応答するように構成されていてもよい。
【００２７】
サージカルガーメント１２を含むサージカルアパレルシステム１０を着用者の頭部に着用すると、必然的に、着用者の通常の呼吸の結果として、サージカルガーメント１２内の二酸化炭素が増加するとともに温度が上昇し得る。また、サージカルガーメント１２の下の温度が上昇すると、着用者および／またはフェイスシールド１８上の水蒸気が増加して、着用者の視界の妨げとなり得る。このような望ましくない影響を防止するため、サージカルアパレルシステム１０のサージカルヘルメット２０は、換気アセンブリ、冷却機器等、上述の１つまたは複数の周辺機器３０の取り付けおよび／または具備を行うように構成されていてもよい。サージカルヘルメット２０、周辺機器２０、およびサージカルガーメント１２の特定の特徴については、米国特許第６，４８１，０１９号、第６，６２２，３１１号、第６，９７３，６７７号、第７，７３５，１５６号、第７，７５２，６８２号、第８，２３４，７２２号、第８，２８２，２３４号、第８，４０７，８１８号、第８，８１９，８６９号、および第９，１７３，４３７号のうちの１つまたは複数を参照可能であり、これらを本明細書に援用する。
【００２８】
図２に示す換気アセンブリ３０は、サージカルアパレルシステム１０のサージカルヘルメット２０に組み込み可能な周辺機器３０の一例である。換気アセンブリ３０をサージカルヘルメット２０の一体的構成要素として示しているが、当然のことながら、上述のその他の周辺機器３０はそれぞれ、サージカルヘルメット２０の一体的構成要素であってもよいし、サージカルヘルメット２０に対して取り外し可能に結合されていてもよい。図２に示すサージカルヘルメット２０は、シェル３２の中央空間内に位置決めされた換気アセンブリ３０を備える。換気アセンブリ３０は、ファンブレード、インペラ、プロペラ、ファンホイール、または空気の移動を誘発するように構成された類似のブレード機構を具備していてもよい。ブレードは、電源により給電された場合に当該ブレードを回転させるように構成されたモータに結合されていてもよい。ブレードが作動すると、換気アセンブリ３０は、シェル３２の頂点にある取り込み開口を通じてシェル３２の中央空間に空気を引き込むように構成されている。シェル３２の付加的な空間が中央空間に接続され、中央空間に引き込まれた空気を分散させるダクトとして機能するようになっていてもよい。
【００２９】
例示的な換気アセンブリ３０は、シェル３２の前部において前部空間から前方に延び、前部ノズル４０に連結する前部ベローズ３６を具備していてもよい。前部ノズル４０は、ヘッドバンド２２の前部に組み付けられていてもよい。換気アセンブリ３０は、シェル３２の後部において後部空間から後部ノズル（図示せず）まで延びた後部ベローズ３４をさらに具備していてもよい。後部ノズルは、ヘッドバンド２２の後部に組み付けられていてもよい。サージカルヘルメット２０の換気アセンブリ３０が作動した場合、ファンがサージカルガーメント１２を通じて、シェル３２の頂点にある開口へと空気を引き込み、付加的な空間を通じて外方に分散させる。たとえば、換気アセンブリ３０は、サージカルガーメント１２のフィルタ布１６を通じて空気を引き込むように構成されていてもよい。その後、空気は、前部ベローズ３６および後部ベローズ３４をそれぞれ通じて排出される。前部ベローズ３６を流れた空気は、着用者の顔面の前方の前部ノズル４０を通じて排出される。前部ノズル４０を通じて排出された空気は、フェイスシールド１８に対する排出および／または着用者の顔面への排出が行われるようになっていてもよい。後部ベローズ３４を流れた空気は、後部ノズルを通じて排出される。後部ノズルは、ヘッドバンド２２の下方で開放されるように位置決めされている。後部ノズルから排出された空気は、着用者の首の後部に対して排出され得る。
【００３０】
サージカルヘルメット２０の前部ノズル４０は、ブロック４２を具備していてもよい。ブロック４２は、ヘッドバンド２２またはヘッドバンド２２と一体のサージカルヘルメット２０の構成要素に組み付けられた前部ノズル４０の部分である。システム１０の図示の形態において、ブロック４２は、ヘッドバンド２２の一部であるストラップ４４に組み付けられている。
【００３１】
前部ノズル４０はさらに、突起４６を含むように構成されていてもよい。突起４６は、前部ノズル４０の前縁から上方に突出している。図２に見られるように、突起４６は、前部ノズル４０の上面から外方に突出している。以下に詳しく説明する通り、突起４６は、サージカルガーメント１２のサージカルヘルメット２０への取り付けおよび／または固定に利用されるようになっていてもよい。他の構成において、突起４６は、フェイスフレームの頂部ビーム２９またはサージカルヘルメット２０のシェル３２等、サージカルヘルメット２０の他の部分から延びていてもよい。
【００３２】
サージカルヘルメット２０は、ヘッドバンド２２の前部から下方に延びた下顎バー２４を具備していてもよい。下顎バー２４は、第１のポスト２６Ａおよび第２のポスト２６Ｂを備えていてもよい。第１のポスト２６Ａおよび第２のポスト２６Ｂはそれぞれ、ヘッドバンド２２のストラップ４４の両側に結合された第１の端部２７Ａ、２７Ｂを備えていてもよい。第１および第２のポスト２６Ａ、２６Ｂは、第１の端部２７Ａ、２７Ｂを介してヘッドバンド２２に結合されるとともに、ヘッドバンド２２の両側から延びるように構成されていてもよい。下顎バー２４は、大略可撓性または柔軟性の材料により構成されていてもよい。
【００３３】
ポスト２６Ａ、２６Ｂの対向する自由端の間には、ビーム２８が延びている。下顎バー２４は、サージカルヘルメット２０を着用している人の顎の下方でわずか前方にビーム２８が位置付けられるように形成されている。ビーム２８は、ポスト２６Ａ、２６Ｂの自由端から外方に曲げられていてもよい。下顎バー２４は、サージカルヘルメット２０が着用者の頭部に固定された場合に着用者の顔面の前方に位置決めされ、顔面を大略囲むように、ヘッドバンド２２から外方に延びていてもよい。
【００３４】
磁石、面ファスナ、金属リベット、スナップ、または同様の種類のファスナ等、複数の結合部材４８が下顎バー２４に組み付けられ、サージカルガーメント１２のフェイスシールド１８に対する位置合わせおよび／または取り付けがなされるように構成されていてもよい。各結合部材４８は、ポスト２６Ａ、２６Ｂの対向する自由端および／またはビーム２８の隣接両端部に近接して、下顎バー２４上に位置決めされていてもよい。あるいは、サージカルヘルメット２０の結合部材４８は、任意好適な方法での配置あるいは構成によって、上述の通り、フェイスシールド１８の相補取り付け要素５８と協働することにより、サージカルガーメント１２をサージカルヘルメット２０に対して解除可能に固定することも可能である。たとえば、前部ノズル４０から延びた突起４６は、サージカルガーメント１２上で相補取り付け要素５８と協働するように構成された結合部材４８で置き換えられるようになっていてもよい。
【００３５】
上述の通り、ここで図１および図２の両者を参照して、システム１０の一構成においては、フェイスシールド１８がその上縁に近接する開口５６を備えていてもよい。フェイスシールド１８の開口５６は、サージカルヘルメット２０の前部ノズル４０またはサージカルヘルメットの別の部分から突出した突起４６を受容するように構成されていてもよい。開口５６および突起４６は、フェイスシールド１８および／またはサージカルガーメント１２をサージカルヘルメット２０に対して解除可能に結合するように構成されていてもよい。さらに、開口５６および突起４６は、システム１０が装着された場合にフェイスシールド１８が着用者の顔面の前方に位置決めされるように、フェイスシールド１８をサージカルヘルメット２０と位置合わせするように構成された位置合わせ機構として機能するようになっていてもよい。図面には示していないものの、付加的な開口５６をフェイスシールド１８が含み、フェイスシールド１８の開口５６に対して対応するように配置された付加的な突起４６を含むようにサージカルヘルメット２０が構成されていてもよいと考えられることが了解されるものとする。たとえば、ヘッドバンド２２および／または前部ノズル４０から複数の突起４６が延びていてもよく、また、フェイスシールド１８は、サージカルガーメント１２をサージカルヘルメット２０に取り付ける際に複数の突起４６に対して解除可能に係合する相補開口５６を含むように構成されていてもよい。
【００３６】
さらに、上述の通り、フェイスシールド１８および／またはサージカル布１４は、サージカルガーメント１２の周りに配置された複数の取り付け要素５８を備えていてもよい。図１および図３に示すサージカルガーメント１２の例示的な構成において、サージカルガーメント１２の取り付け要素５８は、サージカルヘルメット２０の突起４６がフェイスシールド１８の開口５６に装着され、フェイスシールド１８が下顎バー２４およびヘッドバンド２２のストラップ４４の周りで曲がっている場合に、ガーメント取り付け要素５８がそれぞれサージカルヘルメット２０上の相補磁石またはその他の好適な結合部材４８に隣接して係止するように、フェイスシールド１８上に配置および／または位置決めされていてもよい。図１に示すシステム１０の例示的な構成ならびに図３のフェイスシールド１８および下顎バー２４の断面図を参照して、サージカルガーメント１２は、フェイスシールド１８の頂部に近接した開口５６を備えており、フェイスシールド１８の外縁の周りに複数の取り付け要素５８が位置決めされている。取り付け要素５８は、サージカルヘルメット２０の下顎バー２４上の相補磁石４８に嵌め合い係合するように、フェイスシールド１８の外縁周りで離間していてもよい。図面に示すサージカルガーメント１２は開口５６を備えるものの、この開口５６は、特定の構成では不要とも考えられる。あるいは、取り付け要素５８は、サージカルヘルメット２０に対してフェイスシールド１８の結合および／または位置合わせを行うように構成されていてもよい。
【００３７】
動作において、フェイスシールド１８の開口５６がサージカルヘルメット２０の突起４６に装着されると、フェイスシールド１８はその後、サージカルヘルメット２０および／または下顎バー２４の周りに曲がって、フェイスシールド１８の外縁周りで離間した取り付け要素５８をサージカルヘルメット２０の下顎バー２４上の相補結合部材４８に嵌め合い係合させるようにしてもよい。フェイスシールド１８のサイズのほか、サージカルガーメント１２上の取り付け要素５８の間隔および／または位置が変化して、サージカルヘルメット２０に取り付けられた場合のフェイスシールド１８の曲率および／または形状を変化させるようになっていてもよい。たとえば、サージカルガーメント１２上の取り付け要素５８は、一体的により近く離間することで、サージカルヘルメット２０に取り付けられる場合のフェイスシールド１８の曲率を抑えるようにしてもよい。あるいは、サージカルガーメント１２上の取り付け要素５８は、遠くに離間することで、サージカルヘルメット２０に取り付けられる場合のフェイスシールド１８の曲率を増大させるようにしてもよい。さらに、図３に示すように、下顎バー２４の結合部材４８は、下顎バー２４および／またはサージカルヘルメット２０から規定距離だけフェイスシールド１８を離間させるように構成された突起４７の一部であってもよい。突起４７のサイズは同様に、フェイスシールド１８の曲率または円弧を操作するように構成されていてもよい。フェイスシールド１８の曲率を変化させることは、ぎらつきの低減またはフェイスシールド１８を通じた周囲視界の拡大／低減に役立ち得る。図面には示していないものの、サージカルガーメント１２および／またはフェイスシールド１８をサージカルヘルメット２０に固定する代替構成も考えられることが了解されるものとする。たとえば、一代替構成において、フェイスシールド１８は、矩形開口５６を含む代わりに、フェイスシールド１８および／またはサージカルガーメント１２の周りで離間し、サージカルヘルメット２０の周りで離間した相補磁石または類似の結合部材４８に結合するように構成されたリベットまたは磁石等の複数の取り付け要素５８のみを備えていてもよい。たとえば、相補磁石または類似の結合部材４８は、シェル３２、ヘッドバンド２２、および／または下顎バー２４に固定されていてもよい。上述のサージカルアパレルシステム１０のサージカルガーメント１２およびサージカルヘルメット２０は通常、取り外し可能に結合されて、手術または検査後のサージカルガーメント１２の廃棄およびサージカルヘルメット２０の再利用を可能にする。
【００３８】
図４Ａおよび図４Ｂを参照して、これらの図は、フェイスシールド１８の曲率が異なるシステム１０の例示的な一構成を示している。図４Ａおよび図４Ｂはそれぞれ、ヘッドバンド２２、ストラップ４４、ヘッドバンド制御アセンブリ３８、ヘッドバンド制御部材３９、下顎バー２４のポスト２６Ａ、２６Ｂの第１の端部２７Ａ、２７Ｂ、および第１の端部２７Ａ、２７Ｂから延びた突起４７を含むサージカルヘルメット２０の一部の上方断面図である。ポスト２６Ａ、２６Ｂの第１の端部２７Ａ、２７Ｂにおいては、フェイスシールド１８がヘッドバンド２２に結合されている。シェル３２とは対照的にポスト２６Ａ、２６Ｂがヘッドバンド２２に結合され、ヘッドバンド２２がさまざまな形状およびサイズを有し得ることから、フード上のフェイスシールド１８の輪郭および／または曲率は、ヘッドバンド２２の調整に応じて変化し得る。この「動的」な調整によって、フェイスシールド１８の利便性が向上し得る。たとえば、フェイスシールド１８の輪郭および／または曲率が着用者の顔面に対してより最適に位置決めされるように構成され得る。また、図面には示していないものの、シールドは、フェイスシールド１８の頂点を横切って延び、フェイスシールド１８をヘッドバンド２２および／またはストラップ４４に結合するように構成された取り付け要素５８のアレイを備えていてもよいと考えられる。この構成において、ヘッドバンド２２および／またはストラップは、フェイスシールド１８上の取り付け要素５８のアレイと結合するように構成されたファスナまたは結合部材のアレイを備えていてもよい。この構成によれば同様に、ヘッドバンド２２の調整に応じてシールド１８の輪郭が変化し得る。
【００３９】
図４Ａおよび図４Ｂの略図は、有用な動的曲率シールドの概念を示し得るが、何ら限定として解釈されないものとする。すなわち、ヘッドバンド２２およびフェイスシールド１８は、後述と異なる様態で動作することが了解され得る。図４Ａおよび図４Ｂには、サージカルヘルメット２０のヘッドバンド２２およびフェイスシールド１８を二等分する中心軸Ｍ１を示している。大略円形状または長円形状のヘッドバンド２２の中心に近接して、中心軸Ｍ１に沿って中心点Ｃが位置決めされている。中心点Ｃと、フェイスシールド１８と下顎バー２４の第１の端部２７Ａ、２７Ｂの突起４７との交点に近接して位置決めされた交差点Ｐとの間には、第２の線が延びるように構成されていてもよい。
【００４０】
図４Ａを参照して、ヘッドバンド制御アセンブリ３８のヘッドバンド制御部材３９は、ヘッドバンド２２の第１の円周および／または形状を規定する第１の位置に設定されていてもよく、中心点Ｃと交差点Ｐとの間に延びた第２の線が第１の角度θ１で中心軸Ｍ１と交差する。図４Ｂを参照して、ヘッドバンド制御アセンブリ３８のヘッドバンド制御部材３９は、第１の円周および／または形状よりも大小いずれかのヘッドバンド２２の第２の円周および／または形状を規定する第２の位置に設定されていてもよい。中心点Ｃと交差点Ｐとの間に延びた第２の線は、第２の角度θ２で中心軸Ｍ１と交差する。フェイスシールド１８の長さが大略不変と仮定し、特定の着用者の頭部に適合するようにヘッドバンド制御アセンブリ３８の制御部材３９を操作してヘッドバンド２２のサイズすなわち円周を増大または減少させることにより、フェイスシールド１８の円弧および／または曲率は、ヘッドバンド２２のサイズおよび／または形状の変更によって操作されることになる。たとえば、ヘッドバンド２２のサイズおよび／または円周が小さくなった場合、交差角θは、大きくなる可能性が高く、これによって、フェイスシールド１８の円弧の半径の縮小ならびに／またはフェイスシールド１８の屈曲および／もしくは曲率の大略的な増大が生じる可能性がある。あるいは、ヘッドバンド２２の円周が大きくなった場合、交差角θは、小さくなる可能性が高く、これによって、フェイスシールド１８の円弧の半径の拡大および／またはフェイスシールド１８の曲率の大略的な平坦化が生じる場合もある。したがって、フェイスシールド１８の円弧および／または曲率は動的であり、少なくとも一部は、ヘッドバンド２２のサイズおよび／または形状によって規定される。上述の通り、下顎バー２４が可撓性および／または柔軟性の材料により大略構成されることで、ヘッドバンド２２のサイズおよび／または形状の変化に応じて必要により、下顎バー２４の構成要素が湾曲、屈曲、捩曲、および／または回転し得るようになっていてもよい。
【００４１】
また、フェイスシールド１８の曲率および／または円弧は、当該フェイスシールド１８の取り付け要素５８および／またはサージカルヘルメット２０の対応する結合部材４８のサイズおよび／または形状によって、修正または適応されるようになっていてもよい。
【００４２】
図５を参照して、この図は、サージカルアパレルシステム１１０の代替構成を示している。当然のことながら、サージカルアパレルシステム１１０の種々構成は、１００きざみの参照番号により識別可能な類似の要素を含んでいてもよい。１００きざみの参照番号を含むこれらの要素は、上記と同じ特徴を有し得ることが了解されるものとする。サージカルアパレルシステム１１０は、サージカルヘルメット１２０に取り付けられるように構成されたサージカルガーメント１１２を備えたサージカルガーメントアセンブリを備えていてもよい。上述の通り、サージカルガーメント１１２は、着用者と周囲環境との間に、微生物バリア等のバリアを設けるように構成されていてもよい。サージカルガーメント１１２により形成されたバリアは、着用者および患者の両者に利益となり得る。サージカルガーメント１１２により設けられるバリアは、外科手術の最中に生成され得る患者からの流体または固体の物質粒子に着用者が接触する可能性を実質的に取り除き得る。バリアは実質的に、外科手術に際して、着用者により放出された如何なる異物をも患者へと移動しないようにすることができる。
【００４３】
図５を参照して、サージカルガーメント１１２は、サージカルヘルメット１２０および着用者の頭部の少なくとも一部を覆うように構成された布１１４を具備していてもよい。サージカルガーメント１１２は、サージカルアパレルシステム１０の第１の構成に関して上述した通り、フード、トーガ、または他の類似の医療用ガーメントとして構成されていてもよい。サージカルガーメント１１２は、フェイスシールド１１８および当該サージカルガーメント１１２の周りに位置決めされた１つまたは複数の取り付け要素１５８をさらに備えていてもよい。取り付け要素１５８は、第２の部材と称する場合もある。取り付け要素１５８は、位置合わせ要素および／またはセンタリング機構として機能するように構成されていてもよい。さらに、取り付け要素１５８は、布１１４のフェイスシールド１１８への取り付け点の上方でフェイスシールド１１８上に位置決めされることにより、布１１４が取り付け要素１５８を覆って、着用者と環境との間でサージカルガーメント１１２が設けるバリアを維持するようにしてもよい。取り付け要素１５８は、強磁性材料または磁性材料の一方で構築されるように構成されていてもよい。当然のことながら、サージカルガーメント１１２およびそのすべての構成要素は、同様に構成することおよび／または上記サージカルガーメント１２に関して上述した特徴を有することが可能である。
【００４４】
図５および図６を再び参照して、サージカルアパレルシステム１１０の例示的な一構成を詳しく説明する。このシステム１１０は、サージカルガーメント１１２およびサージカルヘルメット１２０を具備していてもよい。上述のシステム１０と同様に、図５および図６に示すシステム１１０の構成は、換気アセンブリ等、１つまたは複数の周辺機器を含んでいてもよい。
【００４５】
図６に示す換気アセンブリ１３０は、サージカルアパレルシステム１１０のサージカルヘルメット１２０に組み込み可能な周辺機器１３０の一例である。換気アセンブリ１３０をサージカルヘルメット１２０の一体的構成要素として示しているが、当然のことながら、上述のその他の周辺機器１３０はそれぞれ、サージカルヘルメット１２０の一体的構成要素であってもよいし、サージカルヘルメット１２０に対して取り外し可能に結合されていてもよい。図６に示すサージカルヘルメット１２０は、シェル１３２の中央空間内に位置決めされた換気アセンブリ１３０を備える。換気アセンブリ１３０は、ファンブレード、インペラ、プロペラ、ファンホイール、または空気の移動を誘発するように構成された類似のブレード機構を具備していてもよい。ブレードは、電源により給電された場合に当該ブレードを回転させるように構成されたモータに結合されていてもよい。ブレードが作動すると、換気アセンブリ１３０は、シェル１３２の頂点にある取り込み開口を通じてシェル１３２の中央空間に空気を引き込むように構成されている。シェル１３２の付加的な空間が中央空間に接続され、中央空間に引き込まれた空気を分散させるダクトとして機能するようになっていてもよい。
【００４６】
例示的な換気アセンブリ１３０は、シェル１３２の前部において前部空間から前方に延び、前部ノズル（図示せず）に連結する前部ベローズ１３６を具備していてもよい。前部ノズルは、ヘッドバンド１２２の前部に組み付けられていてもよい。換気アセンブリ１３０は、シェル１３２の後部において後部空間から後部ノズル（図示せず）まで延びた後部ベローズ１３４をさらに具備していてもよい。後部ノズルは、ヘッドバンド１２２の後部に組み付けられていてもよい。サージカルヘルメット１２０の換気アセンブリ１３０が作動した場合、ファンがサージカルガーメント１１２を通じて、シェル１３２の頂点にある開口へと空気を引き込み、付加的な空間を通じて外方に分散させる。たとえば、換気アセンブリ１３０は、サージカルガーメント１１２のフィルタ布１１６を通じて空気を引き込むように構成されていてもよい。その後、空気は、前部ベローズ１３６および後部ベローズ１３４をそれぞれ通じて排出される。
【００４７】
サージカルヘルメット１２０は、その前面に位置付け可能で、図示のように、換気アセンブリ１３０の反対の前部ベローズ１３６に結合可能なコントローラハウジング１５０をさらに備えていてもよい。また、コントローラハウジング１５０は、下顎バー１２４上に位置決めされていてもよいし、下顎バー１２４内に位置決めされていてもよいと考えられる。たとえば、コントローラハウジング１５０は、結合部材１４８のうちの１つまたは複数に対して、下顎バー１２４内に位置決めされていてもよい。コントローラハウジング１５０は、取り付け要素１５８のうちの少なくとも１つと係合するように構成された結合機構１４６を備えていてもよい。また、結合機構１４６は一般的に、サージカルガーメント１１２等のアイテムのサージカルヘルメット１２０への結合および／または取り付けを行うように構成されていてもよいため、ヘルメット結合器と称する場合もある。コントローラハウジング１５０は、その両側からサージカルヘルメット１２０の前部を横切って延びた頂部ビーム１２９に結合されていてもよい。
【００４８】
サージカルヘルメット１２０は、サージカルヘルメット１２０の前部から下方に延びた下顎バー１２４を具備していてもよい。下顎バー１２４は、第１のポスト１２６Ａおよび第２のポスト１２６Ｂを備えていてもよい。第１のポスト１２６Ａおよび第２のポスト１２６Ｂはそれぞれ、サージカルヘルメット１２０の両側に結合された第１の端部１２７Ａ、１２７Ｂを備えていてもよい。第１および第２のポスト１２６Ａ、１２６Ｂは、第１の端部１２７Ａ、１２７Ｂを介してコントローラハウジング１５０から延びた頂部ビーム１２９に結合されるとともに、サージカルヘルメット１２０の両側から延びるように構成されていてもよい。たとえば、図６に示すように、第１の端部１２７Ａ、１２７Ｂは、コントローラハウジング１５０から延びた頂部ビーム１２９の両端に接続されていてもよい。下顎バー１２４は、大略可撓性または柔軟性の材料により構成されていてもよい。
【００４９】
下顎バー１２４のポスト１２６Ａ、１２６Ｂの対向する自由端の間には、底部ビーム１２８が延びていてもよい。下顎バー１２４は、サージカルヘルメット１２０を着用している人の顎の下方でわずか前方に底部ビーム１２８が位置付けられるように形成されていてもよい。底部ビーム１２８は、ポスト１２６Ａ、１２６Ｂの自由端から外方に曲げられていてもよい。下顎バー１２４は、サージカルヘルメット１２０が着用者の頭部に固定された場合に着用者の顔面の前方に位置決めされ、顔面を大略囲むように、頂部ビーム１２９から外方に延びていてもよい。
【００５０】
磁石、面ファスナ、金属リベット、スナップ、または同様の種類のファスナ等、複数の結合部材１４８が下顎バー１２４に組み付けられ、サージカルガーメント１１２のフェイスシールド１１８に対する位置合わせおよび／または取り付けがなされるように構成されていてもよい。各結合部材１４８は、ポスト１２６Ａ、１２６Ｂの対向する自由端および／または底部ビーム１２８の隣接両端部に近接して、下顎バー１２４上に位置決めされていてもよい。あるいは、サージカルヘルメット１２０の結合部材１４８は、任意好適な方法での配置あるいは構成によって、上述の通り、フェイスシールド１１８の相補取り付け要素１５８と協働することにより、サージカルガーメント１１２をサージカルヘルメット１２０に対して解除可能に固定することも可能である。
【００５１】
図７を参照して、これは、サージカルヘルメット１２０の下顎バー１２４およびコントローラハウジング１５０に結合されたサージカルガーメント１１２の部分斜視図である。サージカルガーメント１１２は、フェイスシールド１１８の外縁周りに位置決めされた複数の取り付け要素１５８を備える。たとえば、図７に示すように、フェイスシールド１１８は、その下部の両端に位置決めされた一対の取り付け要素１５８を備え、それぞれが下顎バー１２４上の対応する結合部材１４８と結合するように構成されている。フェイスシールド１１８は、その頂部の中心近くに位置決めされ、コントローラハウジング１５０の結合機構１４６と結合するように構成された取り付け要素１５８をさらに備える。
【００５２】
図８を参照して、これは、図５および図６のサージカルアパレルシステム１１０のコントローラハウジング１５０の内部の部分斜視図である。コントローラハウジング１５０内には、サージカルヘルメット１２０の結合機構１４６の一部が少なくとも部分的に配設されている。図８には示していないものの、サージカルヘルメット１２０の付加的な構成要素および周辺機器１３０の少なくとも一部がコントローラハウジング１５０内に配設されていてもよいし、コントローラハウジング１５０に組み付けられていてもよい。たとえば、コントローラハウジング１５０の外面またはサージカルヘルメット１２０の別の部分に照明が組み付けられていてもよい。また、サージカルヘルメット１２０および／または周辺機器１３０の動作において利用されるメモリデバイス、回路基板、または他の電気的構成要素の少なくとも一部がコントローラハウジング１５０内に配設されていてもよい。
【００５３】
図９Ａおよび図９Ｂにはそれぞれ、結合機構１４６の第１の構成の拡大断面図を示している。より具体的に、図９Ａは、第１の状態すなわちサージカルガーメント１１２の取り付け要素１５８がサージカルヘルメット１２０の結合機構１４６に結合されていない場合の結合機構の第１の構成の断面図である。あるいは、図９Ｂは、第２の状態すなわちサージカルガーメント１１２が結合機構１４６に結合されている場合の結合機構の第１の構成の断面図である。
【００５４】
結合機構１４６の第１の構成には、サージカルガーメント１１２の取り付け要素１５８に対して取り外し可能に係合するように構成された遠位面１４７を含んでいてもよい。遠位面１４７は、サージカルガーメント１１２の対応する取り付け要素１５８に少なくとも一部が係合するように構成された任意数の形状に構成されていてもよい。たとえば、遠位面１４７は、平坦リベットを備えたサージカルガーメント１１２の取り付け要素１５８に係合するように構成された大略平坦な表面として構成されていてもよい。あるいは、遠位面１４７は、湾曲状、アーチ状、球状、および／または半球状であり、相補的に成形された取り付け要素１５８に嵌め合い係合するように構成されていてもよい。図９Ａおよび図９Ｂに示す遠位面１４７は、凹状または内向き半球形状にて大略形成されているが、凸状もしくは外方突出半球形状、半円筒形状、または他の類似形状にて形成されていてもよいと考えられる。たとえば、遠位面１４７は、コントローラハウジング１５０の外面から外方に突出して凸状の遠位面１４７となるように湾曲状、アーチ状、または球状であってもよい。サージカルガーメント１１２の対応する取り付け要素１５８は、結合機構１４６の凸状遠位面１４７に嵌め合い係合するように構成された凹面を備えていてもよい。
【００５５】
ヘルメットは、空隙を規定するように構成された筐体１５２を備えていてもよい。筐体１５２は、円筒または管形状に大略構成されていてもよい。あるいは、筐体１５２は、矩形または類似の多角形状に大略構成されていてもよい。図９Ａおよび図９Ｂに示すように、筐体１５２は、円筒形状に大略構成されており、遠位面１４７が筐体１５２の遠位端の一部を構成する。
【００５６】
筐体１５２により規定された空隙は、１つまたは複数の領域に分割され得る。たとえば、図９Ａおよび図９Ｂに示すように、筐体１５２は、第１の線１６０により分割されて、空隙の第１の領域１６２および第２の領域１６４を規定するようにしてもよい。第１の領域１６２は、第１の線１６０に対して、サージカルヘルメット１２０に大略近接し、遠位面１４７から離れる側に位置決めされていてもよい。これに対して、第２の領域１６４は、第１の線１６０に対して、サージカルヘルメット１２０の大略遠位で、遠位面１４７に近接する側に位置決めされていてもよい。
【００５７】
サージカルヘルメット１２０のコントローラハウジング１５０内に少なくとも一部が配設された結合機構１４６は、筐体１５２内に移動可能に配設された第１の部材１５４をさらに備えていてもよい。第１の部材１５４は、筐体１５２により規定された空隙内を移動するように構成されていてもよい。たとえば、第１の部材１５４および筐体１５２は、筐体１５２により規定された空隙の第１の領域１６２および第２の領域１６４間で第１の部材１５４が移動可能となるように構成されていてもよい。第１の部材１５４は、強磁性材料または磁性材料の一方で構成されていてもよく、また、取り付け要素１５８は、強磁性材料または磁性材料の他方により構成されていてもよい。たとえば、第１の部材１５４が磁性材料を含み、取り付け要素１５８が強磁性材料を含んでいてもよい。あるいは、第１の部材１５４が強磁性材料を含み、取り付け要素１５８が磁性材料を含んでいてもよい。いずれの構成においても、第１の部材１５４および取り付け要素１５８は、当該取り付け要素１５８が遠位面１４７に近接して位置決めされた場合に、当該取り付け要素１５８および当該第１の部材１５４が相互に磁力で引き付けられ得るように構成されていてもよい。たとえば、取り付け要素１５８が結合機構１４６の遠位面１４７に近接して位置決めされた場合、第１の部材１５４と取り付け要素１５８との間の磁力は、サージカルガーメント１１２をサージカルヘルメット１２０に取り付けおよび／または結合するのに役立ち得る。
【００５８】
第１の部材１５４および筐体１５２は、第１の部材が筐体１５２内で摺動移動できるようにサイズ規定および／または成形されていてもよい。たとえば、図９Ａおよび図９Ｂに示すように、第１の部材１５４は、筐体１５２の側面により規定された形状に一致するように構成された円形状または多角形状のディスクのように成形されていてもよい。第１の部材１５４は、前向きおよび後向きの両面をさらに備えていてもよい。たとえば、図９Ａおよび図９Ｂに示すように、前向きおよび後向きの両面は、平坦である。あるいは、図面には示していないものの、第１の部材１５４の前向きおよび後向きの両面は、筐体１５２の遠位面１４７に対応していてもよい。たとえば、第１の部材１５４の前向き面は、遠位面１４７の形状に対応するように、凹状または半球状であってもよい。第１の部材１５４の後ろ向き面は、平坦であってもよい。あるいは、遠位面１４７が凸状の場合、第１の部材１５４の前向き面は、遠位面１４７の形状に対応するように、凸状または半球状であってもよい。第１の部材１５４の後ろ向き面は、平坦であってもよい。
【００５９】
結合機構１４６は、筐体１５２により規定された空隙内に少なくとも一部が配設され、第１の領域１６２に近接して位置決めされた機械式スイッチ等の検出器１７０をさらに備えていてもよい。あるいは、検出器１７０は、第２の領域１６４に近接して位置決めされていてもよい。さらに、検出器１７０は、筐体１５２により規定された外周に隣接した位置決めおよび／または外周の外部での位置決めがなされていてもよいと考えられる。検出器１７０は、第１の位置と第２の位置との間で移動可能なトグル部材１７２をさらに備えていてもよい。図９Ａおよび図９Ｂに示すように、トグル部材１７２は、遠位面１４７と反対の筐体１５２の表面を通って延びるように構成されている。この構成において、トグル部材１７２は、遠位面１４７に対して近位方向および遠位方向に、当該トグル部材１７２により規定された長手方向軸に大略平行に移動するように構成されていてもよい。図面には示していないものの、検出器１７０は、筐体１５２の側面に隣接して位置決めされていてもよいと考えられる。この構成において、トグル部材１７２は、少なくとも一部が筐体１５２内に配設されるように筐体１５２の側面を通って延びるように構成されていてもよく、一方、検出器１７０は、筐体１５２により規定された外周の外側に位置付けられていてもよい。検出器１７０は、筐体１５２により規定された空隙の第１の領域１６２または第２の領域１６４内にトグル部材１７２の少なくとも一部が配設されるように、側面に隣接して位置決めされていてもよい。この構成において、トグル部材１７２は、遠位面１４７に対して近位方向および遠位方向に、当該トグル部材１７２により規定された長手方向軸に大略垂直に移動するように構成されていてもよい。検出器１７０は、トグル部材１７２に対する付加的な力の印加なく、トグル部材１７２の移動および／または第２の位置での保持を行うように構成されたばね等の付勢部材をさらに備えていてもよい。検出器１７０は、トグル部材１７２の位置を検出し、トグル部材１７２の位置に少なくとも部分的に基づいて、信号を出力するように構成されていてもよい。
【００６０】
動作において、第１の部材１５４は、検出器１７０のトグル部材１７２に対して動作可能および／または摺動可能に係合し、第１の位置と第２の位置との間でトグル部材１７２を移動させるように構成されていてもよい。たとえば、図９Ａに示すように、第１の部材１５４は、空隙の第１の領域１６２にある場合、トグル部材１７２に係合して、付勢部材の力に打ち勝つことにより、トグル部材１７２の移動および／または第１の位置での保持を行うように構成されていてもよい。あるいは、図９Ｂに示すように、第１の部材１５４は、空隙の第２の領域１６４にある場合、トグル部材１７２から分離され、トグル部材１７２の付勢部材の移動および／または第２の位置での保持を可能にするように構成されていてもよい。上述の通り、検出器１７０は、トグル部材１７２の位置を検出し、前記トグル部材１７２が第１の位置および／または第２の位置のいずれにあるかに基づいて、信号を出力するように構成されていてもよい。言い換えると、検出器１７０は、トグル部材１７２が第１の位置にあるか第２の位置にあるかを判定するように構成されており、これは、サージカルガーメント１１２がサージカルヘルメット１２０に結合されているか否かに対応する。
【００６１】
また、結合機構１４６は、検出器１７０および／またはトグル部材１７２に近接して位置決めされた第３の部材１５６を備えていてもよい。第３の部材１５６は、トグル部材１７２の遠位先端に位置決めされたディスクまたはトグル部材１７２の少なくとも一部を囲むように構成されたリングとして構成されていてもよい。図９Ａおよび図９Ｂに示すように、第３の部材１５６は、遠位面１４７と反対の筐体１５２の壁または表面に隣接して位置決めされたループ、リング、または類似の円形状として構成されていてもよい。第３の部材１５６は、トグル部材１７２および／または検出器１７０の少なくとも一部を囲んでいてもよいし、トグル部材１７２または検出器１７０に隣り合っていてもよい。図９Ａおよび図９Ｂに示す第３の部材１５６は、少なくとも一部が筐体１５２内に配設されたものとして示しているが、筐体１５２の外側に位置決めされていてもよいと考えられる。さらに、遠位面１４７と反対の筐体１５２の表面が第３の部材１５６として構成されていてもよい。たとえば、遠位面１４７と反対の筐体１５２の表面が第３の部材１５６と一体的に形成されていてもよい。第３の部材１５６は、当該第３の部材１５６および第１の部材１５４が相互に磁力で引き付けられ得るように、強磁性材料または磁性材料の他方で構成されていてもよい。第１の部材１５４と第３の部材１５６との間の磁気的な引力は、トグル部材１７２の付勢部材に打ち勝つ十分な力を与えるものとする。たとえば、第１の部材１５４への如何なる付加的な力の印加もなく、第１の部材１５４と第３の部材１５６との間の磁気的な引力は、図９Ａに示すように、第１の部材１５４がトグル部材１７２の移動および／または第１の位置での保持を行い得るのに十分であるものとする。
【００６２】
また、取り付け要素１５８と第１の部材１５４との間の磁気的な引力は、第１の部材１５４と第３の部材１５６との間の磁気的な引力に打ち勝つのに十分であるものとする。取り付け要素１５８および第３の部材１５６は、それぞれが強磁性材料を含む場合、異なる磁気質量を有するように構成されていてもよい。たとえば、第１の部材１５４と取り付け要素１５８との間の磁気的な引力を第１の部材１５４と第３の部材１５６との間の磁気的な引力よりも大きくするため、取り付け要素１５８は、第３の部材１５６よりも大きな磁気質量を有するように構成されていてもよい。あるいは、取り付け要素１５８および第３の部材１５６は、それぞれが磁性材料を含む場合、異なる強度の磁界を有するように構成されていてもよい。たとえば、第１の部材１５４と取り付け要素１５８との間の磁気的な引力を第１の部材１５４と第３の部材１５６との間の磁気的な引力よりも大きくするため、取り付け要素１５８は、第１の部材１５４を第３の部材１５６から引き離すように、第３の部材１５６よりも強い磁界を利用するようにしてもよい。
【００６３】
動作においては、図９Ｂに示すように、取り付け要素１５８が結合機構１４６の遠位面１４７に隣接して位置決めされている場合、第１の部材１５４と取り付け要素１５８との間に生成される磁気的な引力は、第１の部材１５４と第３の部材１５６との間の磁気的な引力に打ち勝つのに十分であるものとする。第１の部材１５４と取り付け要素１５８との間の磁気的な引力は、第１の部材１５４と第３の部材１５６との間の磁気的な引力に打ち勝つことにより、空隙の第１の領域１６２から第２の領域１６４へと第１の部材１５４を移動させるものとする。これにより、トグル部材１７２は、第２の位置から第１の位置に移動可能である。すなわち、図９Ａに示す構成から図９Ｂに示す構成まで、第１の部材１５４およびトグル部材１７２が移動するものとする。この位置の変化は、検出器１７０により検出される。検出器１７０は、周辺機器１３０と連通したサージカルヘルメット１２０上のコントローラ１８０と連通可能である。コントローラ１８０の動作については、以下に詳しく説明する。
【００６４】
図１０Ａおよび図１０Ｂにはそれぞれ、結合機構２４６の第２の構成の拡大断面図を示している。より具体的に、図１０Ａは、第１の状態すなわちサージカルガーメント１１２が結合機構２４６に結合されていない場合の結合機構２４６の第２の構成の断面図である。あるいは、図１０Ｂは、第２の構成すなわちサージカルガーメント１１２が結合機構２４６に結合されている場合の結合機構２４６の第２の構成の断面図である。
【００６５】
結合機構２４６の第２の構成には、取り付け要素１５８に対して取り外し可能に係合するように構成された遠位面２４７を含んでいてもよい。遠位面２４７は、サージカルガーメント１１２の対応する取り付け要素１５８に係合するように構成された任意数の形状に構成されていてもよい。たとえば、遠位面２４７は、サージカルガーメント１１２の平坦リベットを備えた取り付け要素１５８に係合するように構成された大略平坦な表面として構成されていてもよい。あるいは、遠位面２４７は、湾曲状、アーチ状、球状、および／または半球状であり、相互成形された取り付け要素１５８に嵌め合い係合するように構成されていてもよい。図１０Ａおよび図１０Ｂに示す遠位面２４７は、凹状の半球形状にて大略形成されているが、凸状の半球形状または他の類似形状にて形成されていてもよいと考えられる。
【００６６】
結合機構２４６は、空隙を規定するように構成された筐体２５２を備える。遠位面２４７は、筐体２５２の少なくとも１つの表面の全部または一部を含んでいてもよい。筐体２５２は、円筒または管形状に大略構成されていてもよい。あるいは、筐体２５２は、矩形または類似の多角形状に大略構成されていてもよい。図１０Ａおよび図１０Ｂに示すように、筐体２５２は、円筒形状に大略構成されており、遠位面２４７が筐体２５２の遠位端の一部を構成する。
【００６７】
筐体２５２により規定された空隙は、１つまたは複数の領域に分割され得る。たとえば、図１０Ａおよび図１０Ｂに示すように、筐体２５２は、第１の線２６０により分割されて、空隙の第１の領域２６２および第２の領域２６４を規定するようにしてもよい。第１の領域２６２は、第１の線２６０に対して、サージカルヘルメット１２０に大略近接し、遠位面２４７から離れる側に位置決めされていてもよい。これに対して、第２の領域２６４は、第１の線２６０に対して、サージカルヘルメット１２０の大略遠位で、遠位面２４７に近接する側に位置決めされていてもよい。
【００６８】
サージカルヘルメット１２０のコントローラハウジング１５０内に位置決めされた結合機構２４６は、筐体２５２内に移動可能に配設された第１の部材２５４をさらに備えていてもよい。第１の部材２５４は、筐体２５２により規定された空隙内を移動するように構成されていてもよい。たとえば、第１の部材２５４および筐体２５２は、筐体２５２により規定された空隙の第１の領域２６２および第２の領域２６４間で第１の部材２５４が移動可能となるように構成されていてもよい。第１の部材２５４は、強磁性材料または磁性材料の一方で構成されていてもよく、また、取り付け要素１５８は、強磁性材料または磁性材料の他方により構成されていてもよい。たとえば、第１の部材２５４が磁性材料を含み、取り付け要素１５８が強磁性材料を含んでいてもよい。あるいは、第１の部材２５４が強磁性材料を含み、取り付け要素１５８が磁性材料を含んでいてもよい。いずれの構成においても、第１の部材２５４および取り付け要素１５８は、当該取り付け要素１５８が遠位面２４７に近接して位置決めされた場合に、当該取り付け要素１５８および当該第１の部材２５４が相互に磁力で引き付けられ得るように構成されていてもよい。たとえば、取り付け要素１５８が結合機構２４６の遠位面２４７に近接して位置決めされた場合、第１の部材２５４と取り付け要素１５８との間の磁力は、サージカルガーメント１１２をサージカルヘルメット１２０に取り付けおよび／または結合するのに役立ち得る。第１の部材２５４は、第１の部材１５４に関して上述したのと同様にサイズ規定および／または成形されていてもよい。
【００６９】
また、結合機構２４６は、遠位面２４７と反対の筐体２５２の表面に近接して位置決めされた第３の部材２５６を備えていてもよい。たとえば、遠位面２４７と反対の筐体２５２の表面が第３の部材２５６と一体的に形成されていてもよい。図１０Ａおよび図１０Ｂに示す第３の部材２５６は、少なくとも一部が筐体２５２内に配設されたものとして示しているが、筐体２５２の外側に位置決めされていてもよいと考えられる。第３の部材２５６は、当該第３の部材２５６および第１の部材２５４が相互に磁力で引き付けられ得るように、強磁性材料または磁性材料の他方で構成されていてもよい。第１の部材２５４と第３の部材２５６との間の磁気的な引力は、第１の部材２５４に対する付加的な力の印加なく、第１の部材２５４の移動および／または空隙の第１の領域２６２での保持を行う十分な力を与えるものとする。たとえば、第１の部材２５４に対する付加的な力の印加なく、第１の部材２５４と第３の部材２５６との間の引力は、図１０Ａに示すように、第１の部材２５４を空隙の第１の領域２６２に保持するものとする。
【００７０】
あるいは、取り付け要素１５８と第１の部材２５４との間の磁気的な引力は、第１の部材２５４と第３の部材２５６との間の磁気的な引力に打ち勝つのに十分であるものとする。取り付け要素１５８および第３の部材２５６は、それぞれが強磁性材料を含む場合、異なる磁気質量を有するように構成されていてもよい。たとえば、第１の部材２５４と取り付け要素１５８との間の磁気的な引力を第１の部材２５４と第３の部材２５６との間の磁気的な引力よりも大きくするため、取り付け要素１５８は、第３の部材２５６よりも大きな磁気質量を有するように構成されていてもよい。あるいは、取り付け要素１５８および第３の部材２５６は、それぞれが磁性材料を含む場合、異なる磁界を有するように構成されていてもよい。たとえば、第１の部材２５４と取り付け要素１５８との間の磁気的な引力を第１の部材２５４と第３の部材２５６との間の磁気的な引力よりも大きくするため、取り付け要素１５８は、第３の部材２５６よりも強い磁界を示すようにしてもよい。
【００７１】
動作においては、図１０Ｂに示すように、取り付け要素１５８が結合機構２４６の遠位面２４７に隣接して位置決めされている場合、第１の部材２５４と取り付け要素１５８との間に生成される磁気的な引力は、第１の部材２５４と第３の部材２５６との間の磁気的な引力に打ち勝つのに十分であるものとする。第１の部材２５４と取り付け要素１５８との間の磁気的な引力は、遠位面２４７に隣接して位置決めされた場合、第１の部材２５４と第３の部材２５６との間の磁気的な引力に打ち勝つことにより、空隙の第１の領域２６２から第２の領域２６４へと第１の部材２５４を移動させるものとする。
【００７２】
結合機構２４６は、筐体２５２に隣接して位置決めされ、第１の部材２５４の位置を検出するように構成された検出器２７０をさらに備えていてもよい。たとえば、検出器２７０は、近距離検出器、レーダ、光学センサ、ホール効果センサ、または類似のセンサを含んでいてもよい。検出器２７０は、筐体２５２の近傍または隣に位置決めされていてもよい。検出器は、筐体２５２内または筐体２５２により規定された外周の外部に位置付けられていてもよい。たとえば、図１０Ａおよび図１０Ｂに示すように、検出器２７０は、筐体２５２の側面に隣接し、空隙の第２の領域２６４に近接して位置決めされていてもよい。あるいは、検出器２７０は、筐体２５２の側面に隣接し、空隙の第１の領域２６２に近接して位置決めされていてもよい。さらに、検出器２７０は、筐体２５２に取り付けられる必要も結合される必要もないと考えられる。たとえば、検出器２７０は、筐体２５２の側面から半径方向に離間していてもよい。検出器２７０は、ホール効果センサ等の近距離検出器として構成されている場合、コントローラハウジング１５０内の任意の場所および／またはコントローラハウジング１５０に近接する任意の場所に位置決めされていてもよく、これにより、検出器２７０は、筐体２５２内の第１の部材２５４の動きおよび／または位置を検出および／または識別することができるようになると考えられる。図面には示していないものの、検出器２７０は、遠位面２４７の反対および／または第３の部材２５６に近接する筐体２５２の表面に隣接して位置決めされていてもよいと考えられる。
【００７３】
ただし、利用されるセンサの種類によっては、検出器２７０の位置決めが動作上の利点をもたらし得る。たとえば、第１の部材２５４が空隙の第１の領域２６２に位置決めされているか第２の領域２６４に位置決めされているかを判定するように構成されたホール効果センサとして検出器２７０が構成されている場合は、筐体２５２の側面に隣接してホール効果センサを位置決めすることにより、ホール効果センサは、第１の部材２５４が第１の領域２６２に位置決めされているか第２の領域２６４に位置決めされているかをより正確に検出することができる。第１の部材２５４が磁性材料を含む結合機構２４６の例示的な一構成においては、第１の部材２５４の外面を囲むように磁界が形成されることになる。結合機構２４６は、第１の部材２５４の少なくとも１つの外面が筐体２５２の側面に隣接して摺動移動するように構成されている。筐体２５２の側面に隣接して検出器２７０すなわちホール効果センサを位置決めすることにより、ホール効果センサは、第１の部材２５４が第１の領域２６２または第２の領域２６４にある場合に形成された第１の部材２５４を囲む磁界の微細な変化をより正確に検出し得る。たとえば、ホール効果センサは、筐体２５２の側面に隣接し、第１の領域２６２に近接して位置決めされていてもよい。この構成において、ホール効果センサは、第１の部材２５４が第１の領域２６２にある場合に第１の部材２５４によって形成された磁界を検出する可能性が高い。あるいは、ホール効果センサは、第１の部材２５４が第２の領域２６４にある場合の磁界の欠如を検出する可能性が高い。検出器は、磁界の有無に基づいて、第１の部材２５４の位置を示す信号を生成するように構成されていてもよい。別の例において、ホール効果センサは、筐体２５２の側面に隣接し、第２の領域２６４に近接して位置決めされていてもよい。この構成において、ホール効果センサは、第１の部材２５４が第２の領域２６４にある場合に第１の部材２５４によって形成された磁界を検出する可能性が高い。あるいは、ホール効果センサは、第１の部材２５４が第１の領域２６２にある場合の磁界の欠如を検出する可能性が高い。この場合も、検出器２７０すなわちホール効果センサは、磁界の有無に基づいて、第１の部材２５４の位置を示す信号を生成するように構成されていてもよい。
【００７４】
さらに別の構成において、上述の通り、検出器２７０すなわちホール効果センサは、遠位面２４７と反対の筐体２５２の表面上に位置決めされていてもよいし、表面に近接して位置決めされていてもよい。第１の部材２５４が磁性材料を含むこの構成において、ホール効果センサは、第１の部材２５４が第１の領域２６２にある場合に第１の部材２５４によって形成された磁界を検出する可能性が高い。あるいは、ホール効果センサは、第１の部材２５４が第２の領域２６４にある場合の磁界の欠如を検出する可能性が高い。検出器２７０は、磁界の有無に基づいて、第１の部材２５４の位置を示す信号を生成するように構成されていてもよい。第１の部材２５４が強磁性材料を含み、第３の部材２５６が磁性材料を含む上述の構成において、ホール効果センサは、第３の部材２５６により形成された磁界を検出する可能性が高い。この構成において、第３の部材２５６により形成された磁界は、第３の部材２５６に対する第１の部材２５４の位置に基づいて変化する可能性が高い。たとえば、第１の部材２５４が第１の領域２６２に位置決めされるとともに第３の部材２５６に近接する場合、第３の部材は、第１の磁界を形成する可能性が高い。あるいは、第１の部材２５４が第２の領域２６４に位置決めされるとともに第３の部材２５６から遠位にある場合、第３の部材は、第２の磁界を形成する可能性が高い。検出器２７０は、第１の磁界または第２の磁界のいずれが第３の部材２５６を囲むかを検出するように構成されていてもよい。
【００７５】
動作において、第１の部材２５４は、空隙の第１の領域２６２と第２の領域２６４との間で動作可能および／または摺動可能に移動するように構成されていてもよい。たとえば、図１０Ａに示すように、第１の部材２５４は、空隙の第１の領域２６２に位置決めされていてもよい。あるいは、図１０Ｂに示すように、第１の部材２５４は、空隙の第２の領域２６４に位置決めされていてもよい。上述の例において、検出器２７０は、ホール効果センサ等の近距離センサとして構成されていてもよい。第１の部材２５４が第１の領域２６２と第２の領域２６４との間で移動すると、第１の部材２５４を囲む磁界の特性が変化する可能性があり、検出器２７０は、検出した磁界に少なくとも部分的に基づいて、第１の部材２５４の位置を検出または識別するように構成されていてもよい。
【００７６】
あるいは、検出器２７０は、光学センサとして構成されていてもよく、筐体２５２の側面が開口部および／または透明窓を含む。開口部および／または透明窓は、筐体２５２の側面において、空隙の第１の領域２６２または第２の領域２６４に近接して位置決めされていてもよい。光学センサは、開口部および／または透明窓との位置合わせによって、筐体２５２内の空隙の少なくとも一部が見えるように、筐体２５２に隣接して位置決めされていてもよい。たとえば、光学センサが空隙の第２の領域２６４の一部を見られるように筐体２５２の開口部または窓が位置決めされている場合、光学センサは、第２の領域２６４における第１の部材２５４の有無を検出するように構成されていてもよい。そして、光学センサは、第１の部材２５４が第２の領域２６４に存在するか否かを識別する信号を出力するように構成されていてもよい。特定の構成においては、光学センサの反対に発光体を位置決めすることが必要となり得る。この構成において、発光体は、光学センサにより受信および／または検出される信号を生成するようにしてもよい。発光体および光学センサは、第１の部材２５４が第１の領域２６２または第２の領域２６４に位置決めされた場合に発光体から光学センサへの信号を阻止および／または遮断するように構成可能となるように、相互に位置決めされていてもよい。そして、光学センサは、第１の部材２５４が第１の領域２６２に位置決めされているか第２の領域２６４に位置決めされているかを示す発光体からの信号の受信または受信の失敗に基づいて、信号を生成するように構成されていてもよい。たとえば、発光体および光学センサは、第１の部材２５４が第１の領域２６２に位置決めされた場合に発光体から光学センサへの信号を阻止および／または遮断可能となるように、相互に位置決めされていてもよい。この構成において、光学センサは、発光体からの信号の受信に失敗した場合、第１の部材２５４が第１の領域２６２にあることを示す信号を生成するように構成されていてもよい。あるいは、光学センサは、発光体からの信号を受信した場合、第１の部材２５４が第２の領域２６２にあることを示す信号を生成するようにしてもよい。光学センサおよび発光体は同様に、第１の部材２５４が第２の領域２６４に位置決めされた場合に発光体から光学センサへの信号を阻止および／または遮断可能となるように位置決めされた場合、第１の部材２５４の位置を識別するように構成されていてもよい。
【００７７】
結合機構２４６の検出器２７０の種々構成に関して上述した通り、検出器２７０は、第１の部材２５４の動きおよび／または位置を検出するように構成されていてもよい。検出器２７０は、周辺機器１３０と連通したヘルメット１２０上のコントローラ１８０と連通可能である。さらに、検出器２７０は、第１の部材２５４の位置および／または動きに少なくとも部分的に基づいて、信号をコントローラ１８０に伝達するように構成されていてもよい。コントローラ１８０の動作については、以下に詳しく説明する。
【００７８】
図１１には、結合機構３４６の第３の構成の拡大断面図を示している。結合機構３４６は、サージカルヘルメット１２０のコントローラハウジング１５０内に少なくとも一部が配設されていてもよい。結合機構３４６の第３の構成には、サージカルガーメント１１２の取り付け要素１５８のうちの１つに対して取り外し可能に係合するように構成された遠位面３４７を備えた第１の部材３５４を含んでいてもよい。第１の部材３５４の遠位面３４７は、サージカルヘルメット１２０のコントローラハウジング１５０内で少なくとも一部が窪んでいてもよい。たとえば、図１１に示すように、遠位面３４７は、凹状の半球形状に大略形成されていてもよい。また、遠位面３４７は、サージカルガーメント１１２の相補的に成形された取り付け要素１５８を受容するように構成された凸状の半球形状または他の類似湾曲形状に形成されていてもよいと考えられる。図１１に示す遠位面３４７は、凹状または内向き半球形状にて大略形成されているが、凸状もしくは外方突出半球形状、半円筒形状、または他の類似形状にて形成されていてもよいと考えられる。たとえば、遠位面３４７は、コントローラハウジング１５０の外面から外方に突出して凸状の遠位面３４７となるように湾曲状、アーチ状、または球状であってもよい。サージカルガーメント１１２の対応する取り付け要素１５８は、結合機構３４６の凸状遠位面３４７に嵌め合い係合するように構成された凹面を備えていてもよい。また、第１の部材３５４の遠位面３４７は、大略平坦かつ円形状に構成されていてもよい。
【００７９】
結合機構３４６の第１の部材３５４ひいては遠位面３４７は、強磁性材料または磁性材料の他方で構成されていてもよい。たとえば、第１の部材３５４が磁性材料を含み、取り付け要素１５８が強磁性材料を含んでいてもよい。あるいは、第１の部材３５４が強磁性材料を含み、取り付け要素１５８が磁性材料を含んでいてもよい。いずれの構成においても、第１の部材３５４および対応する取り付け要素１５８は、当該第１の部材３５４および当該取り付け要素１５８が相互に磁力で引き付けられ得るように構成されていてもよい。第１の部材３５４と取り付け要素１５８との間の磁気的な引力は、サージカルガーメント１１２をサージカルヘルメット１２０に対して取り外し可能に結合する十分な力を与えるものとする。第１の部材３５４の遠位面３４７は、上述の通り、半球形状または類似の湾曲形状に構成されて、第１の部材３５４と取り付け要素１５８とが結合された場合の両者間の保持力を向上させるようにしてもよい。
【００８０】
結合機構３４６は、コントローラハウジング１５０内に少なくとも一部が配設された機械式スイッチ等の検出器３７０をさらに備えていてもよい。検出器３７０は、第１の部材３５４に隣接し、遠位面３４７に近接して位置決めされていてもよい。検出器３７０は、第１の位置と第２の位置との間で移動可能なトグル部材３７２をさらに備えていてもよい。トグル部材３７２は、当該トグル部材３７２に対する付加的な力の印加なく、トグル部材３７２の移動および／または第２の位置での保持を行うように構成されたばね等の付勢部材を備えていてもよい。検出器３７０は、トグル部材３７２の位置を検出し、トグル部材３７２の位置に少なくとも部分的に基づいて、信号を出力するように構成されていてもよい。
【００８１】
動作において、サージカルガーメント１１２の取り付け要素１５８は、検出器３７０のトグル部材３７２に対して動作可能に係合し、第１の位置と第２の位置との間でトグル部材３７２を移動させるように構成されていてもよい。たとえば、取り付け要素１５８が第１の部材３５４の遠位面３４７に隣接して位置決めされた場合、取り付け要素１５８は、トグル部材３７２に係合するように構成されていてもよい。第１の部材３５４と取り付け要素１５８との間の引力は、取り付け要素１５８が結合機構３６４に結合されている間にトグル部材３７２の移動および／または第１の位置での保持を行う付勢部材の力に打ち勝つのに十分となり得る。あるいは、取り付け要素１５８が第１の部材３５４の遠位面３４７に隣接して位置決めされていない場合、トグル部材３７２の付勢部材は、トグル部材３７２の移動および／または第２の位置での保持を行うようにしてもよい。上述の通り、検出器３７０は、トグル部材３７２の位置を検出するように構成されていてもよい。検出器３７０は、周辺機器１３０と連通したヘルメット１２０上のコントローラ１８０と連通可能である。コントローラ１８０の動作については、以下に詳しく説明する。検出器３７０は、前記トグル部材３７２が第１の位置および／または第２の位置のいずれにあるかに少なくとも部分的に基づいて、信号をコントローラ１８０に伝達するように構成されていてもよい。
【００８２】
図１２Ａには、結合機構４４６の第４の構成の拡大断面図を示している。結合機構４４６は、サージカルヘルメット１２０のコントローラハウジング１５０内に少なくとも一部が配設されていてもよい。結合機構４４６の第４の構成には、サージカルガーメント１１２の取り付け要素１５８のうちの１つに対して取り外し可能に係合するように構成された遠位面４４７を備えた第１の部材４５４を含んでいてもよい。結合機構４４６の遠位面４４７は、サージカルヘルメット１２０のコントローラハウジング１５０内で少なくとも一部が窪んでいてもよい。たとえば、図１２Ａに示すように、遠位面４４７は、凹状の半球形状に大略形成されていてもよい。また、遠位面４４７は、サージカルガーメント１１２の相補取り付け要素１５８を受容するように構成された凸状の半球形状または他の類似湾曲形状に形成されていてもよいと考えられる。図１２Ａに示す遠位面４４７は、凹状または内向き半球形状にて大略形成されているが、凸状もしくは外方突出半球形状、半円筒形状、または他の類似形状にて形成されていてもよいと考えられる。たとえば、遠位面４４７は、コントローラハウジング１５０の外面から外方に突出して凸状の遠位面４４７となるように湾曲状、アーチ状、または球状であってもよい。サージカルガーメント１１２の対応する取り付け要素１５８は、結合機構１４６の凸状遠位面４４７に嵌め合い係合するように構成された凹面を備えていてもよい。また、第１の部材４５４の遠位面４４７は、大略平坦かつ円形状に構成されていてもよい。
【００８３】
結合機構４４６の第１の部材４５４ひいては遠位面４４７は、強磁性材料または磁性材料の他方で構成されていてもよい。たとえば、第１の部材４５４が磁性材料を含み、取り付け要素１５８が強磁性材料を含んでいてもよい。あるいは、第１の部材４５４が強磁性材料を含み、取り付け要素１５８が磁性材料を含んでいてもよい。いずれの構成においても、第１の部材４５４および取り付け要素１５８は、当該第１の部材４５４および当該取り付け要素１５８が相互に磁力で引き付けられ得るように構成されていてもよい。第１の部材４５４と取り付け要素１５８との間の磁気的な引力は、サージカルガーメント１１２をサージカルヘルメット１２０に対して取り外し可能に結合する十分な力を与えるものとする。第１の部材４５４の遠位面４４７は、上述の通り、半球形状または類似の湾曲形状に構成されて、第１の部材４５４と取り付け要素１５８とが一体結合された場合の両者間の保持力を部分的に向上させるようにしてもよい。また、第１の部材４５４の半球形状または類似の湾曲形状の遠位面４４７は、取り付け要素１５８を第１の部材４５４の中心と位置合わせするのに役立ち得る。
【００８４】
あるいは、図１２Ｂを参照して、この図は、結合機構５４６の第５の構成の拡大断面図である。第１の部材５５４の遠位面５４７は、開口部を規定していてもよい。第１の部材５５４は、遠位面５４７を備えていてもよい。結合機構５４６の第１の部材５５４ひいては遠位面５４７は、強磁性材料または磁性材料の一方で構成されていてもよい。これに対して、フェイスシールド１１８の取り付け要素５５８の少なくとも一部が強磁性材料または磁性材料の他方を含んでいてもよい。たとえば、第１の部材５５４が磁性材料を含み、取り付け要素５５８が強磁性材料を含んでいてもよい。あるいは、第１の部材５５４が強磁性材料を含み、取り付け要素５５８が磁性材料を含んでいてもよい。いずれの構成においても、第１の部材５５４および取り付け要素５５８は、当該第１の部材５５４および当該取り付け要素５５８が相互に磁力で引き付けられ得るように構成されていてもよい。
【００８５】
遠位面５４７は、大略平坦な当該遠位面５４７の中心に近接して位置決めされた開口部をさらに規定することにより、第１の部材５５４がリング形状を有していてもよい。開口部は、第１の部材５５４に対して開口部軸を規定していてもよい。第１の部材５５４は、開口部軸に大略垂直な横軸をさらに備えていてもよい。また、第１の部材５５４は、その横軸に対して大略平行となるように配向した側面５４９を備えていてもよい。この結合機構５４６の構成において、取り付け要素５５８は、基部５６０から延びた突起５６２を備えるように構成されていてもよい。突起５６２は、強磁性材料または磁性材料の他方により構成されていてもよい。あるいは、突起５６２は、プラスチックもしくはポリマー材料、または他の非磁性材料により構成されていてもよい。たとえば、突起５６２がポリマー材料により構成され、取り付け要素５５８の基部５６０が磁性材料で構成されるとともに、結合機構５４６の第１の部材５５４との磁力を生成するように構成されていてもよい。さらに別の構成において、突起５６２は、磁性材料および非磁性材料の組み合わせにより構成されていてもよい。たとえば、突起５６２の内部が磁性材料により構成され、磁性材料の外面がプラスチックポリマー等の非磁性材料で被覆されていてもよい。磁性材料を含む突起５６２の内部は、結合機構５４６の第１の部材５５４へと磁力で引き付けられるようになっていてもよい。
【００８６】
取り付け要素５５８の突起５６２は、第１の部材５５４の遠位面５４７の開口部に嵌め合い係合するように構成されていてもよく、遠位面５４７の開口部は、取り付け要素５５８の突起５６２を受容するように構成されていてもよい。さらに、開口部は、結合機構５４６および／または第１の部材５５４の中心に対して取り付け要素５５８を位置合わせおよび／または位置決めするように構成されていてもよい。
【００８７】
上述の結合機構４４６、５４６の第４および第５の両構成において、結合機構４４６、５４６は、コントローラハウジング１５０内に少なくとも一部が配設された近距離センサまたはホール効果センサ等の検出器４７０、５７０をさらに備えていてもよい。検出器４７０、５７０は、第１の部材４５４、５５４それぞれの側面に隣接し、遠位面４４７、５４７に近接して位置決めされていてもよい。検出器４７０、５７０は、遠位面４４７、５４７に隣接するサージカルガーメント１１２の取り付け要素１５８、５５８の有無により形成された第１の部材４５４、５５４を囲む磁界の変化を検出するように構成されていてもよい。たとえば、検出器４７０、５７０は、ホール効果センサとして構成される場合、第１の部材４５４、５５４を囲む磁界に基づいて、取り付け要素１５８、５５８が第１の部材４５４、５５４の遠位面４４７、５４７に隣接して位置決めされているかを判定するように構成されていてもよい。第１の部材４５４、５５４の側面に隣接してホール効果センサを配置するとともに、位置合わせ機構を遠位面４４７、５４７に組み込むことによって、取り付け要素１５８、５５８の中心を第１の部材４５４、５５４の中心と位置合わせすることにより、ホール効果センサは、遠位面４４７、５４７に隣接して位置決めされた取り付け要素１５８、５５８の有無により形成された第１の部材４５４、５５４を囲む磁界の微細な変化をより正確に検出可能となり得る。さらに、検出器４７０、５７０は、ホール効果センサ等の近距離検出器として構成されている場合、コントローラハウジング１５０内の任意の場所および／またはコントローラハウジング１５０に近接する任意の場所に位置決めされていてもよく、これにより、検出器４７０、５７０は、第１の部材４５４、５５４を囲む磁界の変化を検出および／または識別することができるようになると考えられる。図面には示していないものの、検出器４７０、５７０は、遠位面４４７、５４７に隣接した位置決めおよび／または第１の部材４５４、５５４に近接した位置決めがなされていてもよいと考えられる。
【００８８】
動作において、サージカルガーメント１１２の取り付け要素１５８、５５８は、サージカルガーメント１１２がサージカルヘルメット１２０に結合された場合に遠位面４４７、５４７に隣接して位置決めされ得るように、第１の部材４５４、５５４と取り外し可能に結合するように構成されていてもよい。たとえば、取り付け要素１５８、５５８が第１の部材４５４、５５４の遠位面４４７、５４７に隣接して位置決めされた場合は、第３の磁界が第１の部材４５４、５５４を囲んでいてもよい。検出器４７０、５７０は、この第３の磁界を検出するように構成されていてもよい。あるいは、取り付け要素１５８、５５８が第１の部材４５４、５５４の遠位面４４７、５４７に隣接して位置決めされていない場合は、第４の磁界が第１の部材４５４、５５４を囲んでいてもよい。検出器４７０、５７０は同様に、この第４の磁界を検出するように構成されていてもよい。上述の通り、検出器４７０，５７０は、周辺機器１３０と連通したサージカルヘルメット１２０上のコントローラ１８０と連通可能である。検出器４７０、５７０は、第３の磁界を検出したか第４の磁界を検出したかに基づいて、サージカルガーメント１１２の有無を示す信号をコントローラ１８０に伝達するように構成されていてもよい。コントローラ１８０の動作については、以下に詳しく説明する。
【００８９】
上述のサージカルアパレルシステム１１０の種々構成はそれぞれ、エネルギー源１８２をさらに備えていてもよい。上述のシステム１０、１１０の種々構成がそれぞれエネルギー源１８２を備え得る場合について、コントローラ１８０と連通したエネルギー源１８２の一般的な模式的表現を図８に仮想的に示す。エネルギー源１８２は、システム１０、１１０および／またはサージカルヘルメット２０、１２０と接続または相互接続されるように構成されていてもよい。バッテリ等のエネルギー源１８２は、携帯可能に構成されていてもよい。システム１０、１１０のエネルギー源１８２は、交換または置換可能となるように、再充電可能および／または置換可能であってもよい。
【００９０】
また、上述のサージカルアパレルシステム１１０の種々構成はそれぞれ、コントローラ１８０および／またはエネルギー源１８２と連通したエネルギーセンサ１８６を備えていてもよい。上述のシステム１０、１１０の種々構成がそれぞれエネルギーセンサ１８６を備え得る場合について、コントローラ１８０およびエネルギー源１８２と連通したエネルギーセンサ１８６の模式的表現を図８に仮想的に示す。エネルギーセンサ１８６は、エネルギー源１８２の特性を検出するように構成されていてもよい。エネルギーセンサ１８６により検出されるエネルギー源の特性としては、残存電力レベルもしくは電荷、充電状態、電圧、容量、状態、電流引き込み、またはエネルギー源１８２と関連する類似特性が挙げられる（ただし、これらに限定されない）。さらに、エネルギーセンサ１８６は、検出した特性に基づいて、エネルギー信号を発生または生成するように構成されていてもよい。また、エネルギーセンサ１８６は、エネルギー信号をコントローラ１８０に伝達するように構成されていてもよい。エネルギーセンサ１８６は、初期設定またはユーザ規定の閾値に基づいて、エネルギー信号をコントローラ１８０に伝達するように構成されていてもよい。たとえば、エネルギーセンサ１８６は、エネルギー源１８２の残存電荷を検出するように構成されていてもよいが、この場合の閾値は、残存電荷の１５パーセント（１５％）として規定される。この構成において、エネルギーセンサ１８６は、残存電荷がその１５パーセント（１５％）に達した場合および／または１５パーセント（１５％）を下回った場合に、エネルギー信号をコントローラ１８０に伝達するように構成されていてもよい。また、エネルギーセンサ１８６は、複数の異なる閾値においてエネルギー信号を生成するように構成されていてもよい。たとえば、上述の構成において、エネルギーセンサ１８６は、エネルギー源１８２の残存電荷に基づいて、複数のエネルギー信号を生成するように構成されていてもよい。動作において、エネルギーセンサ１８６は、エネルギー源１８２が残存電荷の５０％に達した場合および／もしくは５０％を下回った場合に第１のエネルギー信号を生成し、エネルギー源１８２が残存電荷の２５％に達した場合および／もしくは２５％を下回った場合に第２のエネルギー信号を生成し、エネルギー源１８２が残存電荷の１０％に達した場合および／もしくは１０％を下回った場合に第３のエネルギー信号を生成するように構成されていてもよい。この構成において、エネルギーセンサ１８６により生成されてコントローラ１８０に伝達される第１、第２、および／または第３のエネルギー信号は、エネルギー源１８２の残存電荷を示していてもよい。
【００９１】
コントローラ１８０は、ＬＣＤスクリーン、デジタルディスプレイ、または複数の照明等のユーザディスプレイに伝達可能な信号を生成するように構成されていてもよく、ユーザディスプレイは、残存電荷を示す指標を表示するように構成されている。たとえば、ユーザディスプレイがＬＣＤスクリーンを含む場合、このＬＣＤスクリーンは、残存電荷を示す「５０％」、「２５％」等を表示するように構成されていてもよい。あるいは、ユーザディスプレイが複数の照明を含む場合、これらの照明はそれぞれ、異なる色を備えていてもよく、各色の照明がエネルギー源１８２の残存電荷の異なるレベルを表す。たとえば、ユーザディスプレイは、黄色の照明、橙色の照明、および赤色の照明を備えていてもよく、コントローラ１８０は、残存電荷が５０％に達した場合および／または５０％を下回った場合に、信号をユーザディスプレイに伝達して黄色の照明を点灯するように構成されていてもよい。コントローラ１８０は、残存電荷が２５％に達した場合および／または２５％を下回った場合に、信号をユーザディスプレイに伝達して橙色の照明を点灯するように構成されていてもよい。コントローラ１８０は、残存電荷が１０％に達した場合および／または１０％を下回った場合に、信号をユーザディスプレイに伝達して赤色の照明を点灯するように構成されていてもよい。どの照明が点灯しているかに基づいて、ユーザは、エネルギー源１８２のおおよその残存電荷を決定するようにしてもよい。また、残存電荷は、スピーカで伝えられるようになっていてもよい。
【００９２】
上述の結合機構１４６、２４６、３４６、４４６、５４６の種々構成はそれぞれ、サージカルガーメント１１２がサージカルヘルメット１２０に結合されているかを識別するのに利用可能な結合機構１４６、２４６、３４６、４４６、５４６の特性を検出するように構成された検出器１７０、２７０、３７０、４７０、５７０を備える。さらに、検出器１７０、２７０、３７０、４７０、５７０は、検出した特性に基づいて信号を出力することにより、サージカルヘルメット１２０に結合されているサージカルガーメント１１２の有無を示すように構成されていてもよい。たとえば、検出器１７０、２７０、３７０、４７０、５７０は、サージカルガーメント１１２がサージカルヘルメット１２０に結合されたタイミングを検出および／または決定するとともに、サージカルガーメント１１２がサージカルヘルメット１２０に結合されているか否かを示す信号を出力するように構成されていてもよい。例示的な一構成において、検出器１７０、２７０、３７０、４７０、５７０は、サージカルガーメント１１２がサージカルヘルメット１２０に結合された場合に、信号を出力するように構成されていてもよい。別の例示的な構成において、検出器１７０、２７０、３７０、４７０、５７０は、サージカルガーメント１１２がサージカルヘルメット１２０に結合されていない場合またはサージカルヘルメット１２０から分離された場合に、信号を出力するように構成されていてもよい。さらに別の例示的な構成において、検出器１７０、２７０、３７０、４７０、５７０は、サージカルガーメント１１２がサージカルヘルメット１２０に結合された場合に第１の信号を出力し、サージカルガーメント１１２がサージカルヘルメット１２０に結合されていない場合またはサージカルヘルメット１２０から分離された場合に第２の信号を出力するように構成されていてもよい。
【００９３】
上述の結合機構１４６、２４６、３４６、４４６、５４６の各実施形態および／または構成において、検出器１７０、２７０、３７０、４７０、５７０は、コントローラ１８０と連通していてもよい。コントローラ１８０は、上述のサージカルヘルメット１２０の周辺機器１３０のうちの１つまたは複数とさらに連通していてもよい。コントローラ１８０は、サージカルヘルメット１２０上の任意の場所に位置決めされてもよいことが了解されるものとする。たとえば、コントローラ１８０は、コントローラハウジング１５０内で検出器１７０、２７０、３７０、４７０、５７０に隣接して位置決めされていてもよい。あるいは、コントローラ１８０は、サージカルヘルメット１２０のシェル１３２中の空間内に位置決めされていてもよい。
【００９４】
コントローラ１８０は、動作コマンドを検出器１７０、２７０、３７０、４７０、５７０に伝達するほか、検出器１７０、２７０、３７０、４７０、５７０により検出された信号の特性と関連する信号を検出器１７０、２７０、３７０、４７０、５７０から受信するように構成されていてもよい。また、コントローラ１８０は、換気アセンブリ１３０等、サージカルヘルメット１２０の１つまたは複数の周辺機器１３０に接続されていてもよく、検出器１７０、２７０、３７０、４７０、５７０から受信された信号に基づいて、動作コマンドを換気アセンブリ１３０または他の周辺機器１３０との間で伝達するように構成されている。たとえば、コントローラ１８０は、換気システム１３０に送られてファンブレードの速度を制御する電力の量を調整するように構成されていてもよい。さらに、２つの別個のコントローラが利用されるようになっていてもよいと考えられる。
【００９５】
結合機構１４６、２４６、３４６、４４６、５４６の構成に関わらず、検出器１７０、２７０、３７０、４７０、５７０は、当該検出器１７０、２７０、３７０、４７０、５７０により検出される特性の有無および／または変化に基づいて、信号をコントローラ１８０に伝達するように構成されていてもよい。たとえば、結合機構１４６の第１の構成および／または結合機構３４６の第３の構成の検出器１７０、３７０は、トグル部材１７２、３７２の位置に基づいて、サージカルガーメント１１２の有無を検出するように構成されていてもよい。あるいは、結合機構２４６の第２の構成、結合機構４４６の第４の構成、および／または結合機構５４６の第５の構成の検出器２７０、４７０、５７０は、結合機構２４６、４４６、５４６の第１の部材２５４、４５４、５５４を囲む磁界の変化に基づいて、サージカルガーメント１１２の有無を検出するように構成されていてもよい。コントローラ１８０は、検出器１７０、２７０、３７０、４７０、５７０から受信された信号に基づいて、コマンドの伝達または周辺機器１３０の動作特性の調節を行うように構成されていてもよい。
【００９６】
一構成において、コントローラ１８０は、検出器１７０、２７０、３７０、４７０、５７０から受信された信号を解釈して、エネルギー源から周辺機器１３０へのエネルギーの伝送を制御するように構成されていてもよい。たとえば、コントローラ１８０は、検出器１７０、２７０、３７０、４７０、５７０から受信された信号または検出器１７０、２７０、３７０、４７０、５７０からの信号がないことに基づいて、サージカルガーメント１１２がサージカルヘルメット１２０にないものと判定した場合、エネルギー源から周辺機器１３０へのエネルギーの伝送を阻止するように構成されていてもよい。この特徴により取り除かれるシステム１１０の動作上の不都合として、周辺機器１３０が有用に作用してない場合に周辺機器１３０により生成され得る不要なノイズの発生が挙げられる。サージカルガーメント１１２のサージカルヘルメット１２０への組み付けに先立って周辺機器１３０の作動を阻止することにより取り除かれ得る第２の不都合として、周辺機器１３０の作動が不要な場合のエネルギー源１８２の電荷の引き下げが挙げられる。あるいは、コントローラ１８０は、検出器１７０、２７０、３７０、４７０、５７０から受信された信号または検出器１７０、２７０、３７０、４７０、５７０からの信号がないことに基づいて、サージカルガーメント１１２がサージカルヘルメット１２０に結合されているものと判定した場合、周辺機器１３０へのエネルギーの伝送を許可するように構成されていてもよい。さらに、コントローラ１８０は、検出器１７０、２７０、３７０、４７０、５７０から受信された信号に基づいて、周辺機器１３０の動作を制御するようにしてもよい。
【００９７】
サージカルアパレルシステム１１０は、サージカルヘルメット１２０に結合され、コントローラ１８０と連通したメモリデバイス１８４をさらに備えていてもよい。メモリデバイス１８４は、サージカルヘルメット１２０内に位置決めされていてもよいし、サージカルヘルメット１２０の如何なる部分に位置決めされていてもよい。たとえば、メモリデバイス１８４は、コントローラハウジング１５０内に位置決めされていてもよい。あるいは、メモリデバイス１８４は、サージカルヘルメット１２０のシェル１３２内に位置決めされていてもよい。メモリデバイス１８４は、周辺機器１３０の動作と関連するデータを格納するように構成されていてもよい。たとえば、メモリデバイス１８４は、サージカルヘルメット１２０に取り付け可能なサージカルガーメント１１２のさまざまな種類に基づく動作条件等、各周辺機器１３０と関連する動作条件を格納するようにしてもよい。メモリデバイス１８４に格納された動作条件としては、各種のサージカルガーメント１１２に対するサージカルヘルメット１２０の周辺機器１３０の最大および／または最小動作速度が挙げられる。たとえば、メモリデバイス１８４は、トーガおよびフードのさまざまな動作ファン速度を格納するようにしてもよい。また、メモリデバイス１８４は、コントローラ１８０により実行されるように構成された動作命令またはプログラミングステップを格納するように構成されていてもよい。また、メモリデバイス１８４は、周辺機器１３０のうちの１つまたは複数を動作させる個々のユーザ設定または選好を格納するようにしてもよい。たとえば、メモリデバイス１８４に格納されたユーザ設定としては、サージカルヘルメット１２０を着用している個々のユーザにより選択された換気アセンブリの最新のファン速度が挙げられる。
【００９８】
上述のサージカルアパレルシステム１１０および結合機構１４６、２４６、３４６、４４６、５４６の種々実施形態および／または構成のそれぞれにおいて、システム１１０は、コントローラ１８０と連通して作用することにより、規定の特性に基づいて、サージカルヘルメット１２０および／またはサージカルヘルメット１２０の任意の周辺機器１３０の動作を阻止するように構成された付加的な機構および／または構成要素を備えていてもよい。たとえば、コントローラ１８０は、サージカルガーメント１１２がサージカルヘルメット１２０に搭載されるまで周辺機器１３０の動作を阻止するように構成されていてもよい。あるいは、コントローラ１８０は、使用済みまたは不適合なサージカルガーメント１１２がサージカルヘルメット１２０に結合された場合に、周辺機器１３０の動作を阻止するように構成されていてもよい。
【００９９】
図１３Ａおよび図１３Ｂを参照して、これらの図は、サージカルアパレルシステム６１０の代替構成を示している。当然のことながら、サージカルアパレルシステム６１０の種々構成は、１００きざみの参照番号により識別可能で、上述のシステムに類似する要素を含んでいてもよい。１００きざみの参照番号を含むこれらの要素は、上記と同一および／または同様の特徴を有し得ることが了解されるものとする。
【０１００】
サージカルアパレルシステム６１０の第３の構成は、サージカルヘルメット６２０に取り付けられるように構成されたサージカルガーメント６１２を備えたサージカルガーメントアセンブリを備えていてもよい。上述の通り、サージカルガーメント６１２は、着用者と周囲環境との間に、微生物バリア等のバリアを設けるようにしてもよい。サージカルガーメント６１２により形成されたバリアは、着用者および患者の両者に利益となり得る。サージカルガーメント６１２により設けられるバリアは、外科手術の最中に生成され得る患者からの流体または固体の物質粒子に着用者が接触する可能性を実質的に取り除き得る。バリアは実質的に、外科手術に際して、着用者により放出された如何なる異物をも患者へと移動しないようにすることができる。
【０１０１】
図１３Ａ、図１３Ｂ、および図１４を参照して、サージカルガーメント６１２は、サージカルヘルメット６２０および着用者の頭部の少なくとも一部を覆うように構成された布６１４を具備していてもよい。サージカルガーメント６１２は、上述のサージカルアパレルシステム１０，１１０の構成のいずれかと同様に、フード、トーガ、または他の類似の医療用ガーメントとして構成されていてもよい。サージカルガーメント６１２は、フェイスシールド６１８（透明フェイスシールドとも称する）および当該サージカルガーメント６１２の周りに位置決めされた１つまたは複数の取り付け要素６５８をさらに備えていてもよい。取り付け要素６５８は、第２の部材またはガーメントファスナと称する場合もある。取り付け要素６５８は、サージカルガーメント６１２をサージカルヘルメット６２０に対して取り外し可能に結合するように構成された位置合わせ要素として機能し得る。さらに、取り付け要素６５８は、布６１４が当該取り付け要素６５８を覆うように、フェイスシールド６１８の外周に近接して位置決めされていてもよい。これは、布６１４が取り付け要素６５８を覆って、着用者と環境との間でサージカルガーメント６１２が設けるバリアを維持するのを確かにするのに役立ち得る。
【０１０２】
取り付け要素６５８は、強磁性材料を含んでいてもよい。言い換えると、取り付け要素は、鉄、ニッケル、コバルト、ガドリニウム、ジスプロシウム、もしくはこれらの合金、またはこれらの組み合わせを含んでいてもよい。特定の構成において、当然のことながら、取り付け要素は、ヘルメット上に位置決めされた磁性材料が示す磁界に引き付けられる材料すなわち原子を含んでいてもよい。特定の実施形態においては、取り付け要素６５８の全体が強磁性材料から成っていてもよいと考えられる。また、取り付け要素６５８は、強磁性材料および反磁性材料の両者を含んでいてもよいと考えられる。たとえば、取り付け要素６５８は、強磁性材料で被覆された反磁性材料を含んでいてもよい。あるいは、取り付け要素６５８は、コアとして強磁性材料により形成された後、無菌および／または耐摩耗性表面を与えるように構成されたプラスチックまたは類似の非磁性被膜で被覆されるようになっていてもよい。取り付け要素６５８に関しては、反磁性材料および磁性材料の他の構成も考えられる。当然のことながら、サージカルガーメント６１２およびそのすべての構成要素は、同様に構成することおよび／または上述のサージカルガーメント１２、１１２の特徴を有することが可能である。
【０１０３】
また、サージカルガーメント６１２は、タブ６５５Ａ、６５５Ｂを備えていてもよい。タブ６５５Ａ、６５５Ｂは、サージカルガーメント６１２の着用者側または内部に配設されていてもよい。タブ６５５Ａ、６５５Ｂは、一対の両縁部６４３Ａ、６４３Ｂを備えるとともに、開口６５６Ａ、６５５Ｂを規定していてもよい。図１３Ａに示すように、タブ６５５Ａは、フェイスシールド６１８の一部として形成されていてもよい。タブ６５５Ａは、開口６５６Ａの少なくとも一部を規定していてもよく、開口６５６Ａの一部がフェイスシールド６１８により規定されていてもよい。また、開口６５６Ａは、タブ６５５Ａ内に全体が形成または規定されていてもよいと考えられる。
【０１０４】
あるいは、図１３Ｂに示すように、タブ６５５Ｂは、フェイスシールド６１８と別個に形成されていてもよい。この構成において、タブ６５５Ｂは、サージカルガーメント６１２の布１４の内面に直接結合されていてもよい。タブ６５５Ｂは、フェイスシールド６１８と同様のプラスチックにより形成されていてもよく、また、エポキシ、のり、または類似の接着剤によりサージカルガーメント６１２に結合されていてもよい。あるいは、タブ６５５Ｂは、サージカルガーメント６１２の布６１４と同様の布により形成されていてもよく、また、サージカルガーメント６１２に縫い付けられていてもよいし、接着剤により結合されていてもよい。さらに、開口６５６Ｂは、全体がタブ６５５Ｂにより規定されていてもよい。
【０１０５】
図１３Ａ、図１３Ｂ、および図１４を再び参照して、サージカルアパレルシステム６１０の例示的な一構成を詳しく説明する。このシステム６１０は、サージカルガーメント６１２およびサージカルヘルメット６２０を具備していてもよい。上述のシステム１０、１１０と同様に、図１３Ａ、図１３Ｂ、および図１４に示すシステム６１０の構成は、換気アセンブリ等、１つまたは複数の周辺機器６３０を含んでいてもよい。
【０１０６】
図１４に示す換気アセンブリ６３０は、サージカルアパレルシステム６１０のサージカルヘルメット６２０に組み込み可能な周辺機器６３０の一例である。換気アセンブリ６３０をサージカルヘルメット６２０の一体的構成要素として示しているが、当然のことながら、上述のその他の周辺機器１３０はそれぞれ、サージカルヘルメット１２０の一体的構成要素であってもよいし、サージカルヘルメット６２０に対して取り外し可能に結合されていてもよい。図１４に示すサージカルヘルメット６２０は、シェル６３２の空間内に位置決めされた換気アセンブリ６３０を備える。換気アセンブリ６３０は、ファンブレード、インペラ、プロペラ、ファンホイール、または空気の移動を誘発するように構成された類似のブレード機構を具備していてもよい。ブレードは、電源により給電された場合に当該ブレードを回転させるように構成されたモータに結合されていてもよい。ブレードが作動すると、換気アセンブリ６３０は、シェル６３２の頂点にある取り込み開口を通じてシェル６３２の空間に空気を引き込むように構成されている。シェル６３２の付加的な空間が上記空間に接続され、空間に引き込まれた空気を着用者へと分散させるダクトとして機能するようになっていてもよい。
【０１０７】
図１４、図１５Ａ、および図１５Ｂを参照して、サージカルヘルメット６２０は、当該サージカルヘルメット６２０のシェル６３２の前方に位置決めされ、当該サージカルヘルメット６２０の前部を横切って延びるように構成された頂部ビーム６２９を備えていてもよい。頂部ビーム６２９は、凹部をさらに備えていてもよい。頂部ビーム６２９の凹部は、一対の横方向に離間した側壁６３９Ａ、６３９Ｂと、頂部ビーム６２９の遠位面６３１から近位方向に位置決めされた近位面６３７とを備えていてもよい。側壁６３９Ａ、６３９Ｂおよび近位面６３７は、位置合わせチャネル６４５を規定していてもよく、この位置合わせチャネル６４５は、サージカルガーメント６１２の内部に配設されたタブ６５５Ａ、６５５Ｂを受容し、サージカルヘルメット６２０に対してサージカルガーメント６１２の位置合わせおよび／または配向を行うように構成されている。上述の通り、タブ６５５Ａは、フェイスシールド６１８と一体的に形成され、フェイスシールド６１８から延びるように構成されていてもよい。あるいは、タブ６５５Ｂは、フェイスシールド６１８とは独立に形成されていてもよく、サージカルガーメント６１２の内部の布６１４に結合されるように構成されている。ただし、他の構成も考えられる。位置合わせチャネル６４５の離間した側壁６３９Ａ、６３９Ｂは、タブ６５５Ａ、６５５Ｂの幅よりも大きな距離だけ離間することにより、当該離間した側壁６３９Ａ、６３９Ｂ間にタブ６５５Ａ、６５５Ｂを位置決め可能とする。
【０１０８】
頂部ビーム６２９は、フェイスシールド６１８および／またはサージカルガーメント６１２に対して取り外し可能に係合するように構成された結合機構６４６をさらに備えていてもよい。結合機構６４６は、タブ６５５Ａ、６５５Ｂの開口６５６に対して解除可能に係合することにより、サージカルガーメント６１２をサージカルヘルメット６２０に対して位置合わせおよび／または結合するように構成された突起、磁性部材、強磁性部材、面ファスナ、または類似の結合機構を備えていてもよい。たとえば、図１５Ａおよび図１５Ｂに示すように、結合機構６４６は、頂部ビーム６２９の位置合わせチャネル６４５から延びた突起６４６として実現されている。ここで、頂部ビーム６２９は、上述の位置合わせチャネル６４５を備え、結合機構６４６は、図１４、図１５Ａ、および図１５Ｂに示すように、位置合わせチャネル６４５内に少なくとも一部が配設されていてもよい。結合機構６４６は、最上面の当該結合機構６４６の頂点が位置合わせチャネル６４５の頂点および／または頂部ビーム６２９の上面の下方に配置あるいは位置決めされるように、位置合わせチャネル６４５内に位置決めされていてもよい。位置合わせチャネル６４５の離間した側壁６３９Ａ、６３９Ｂと結合機構６４６との組み合わせは、サージカルヘルメット６２０に対するフェイスシールド６１８および／またはサージカルガーメント６１２の位置合わせおよび／または配向を行うのに役立ち得る。より具体的に、位置合わせチャネル６４５の離間した側壁６３９Ａ、６３９Ｂは、サージカルガーメント６１２がサージカルヘルメット６２０の上方に配置された場合にタブ６５５Ａ、６５５Ｂの開口６５６が誘導されて結合機構６４６と係合するように、タブ６５５Ａ、６５５Ｂをガイドするのに役立ち得る。
【０１０９】
サージカルヘルメット６２０は、サージカルヘルメット６２０の前部から下方に延びた下顎バー６２４を具備していてもよい。下顎バー６２４は、第１のポスト６２６Ａおよび第２のポスト６２６Ｂを備えていてもよい。第１および第２のポスト６２６Ａ、６２６Ｂは、頂部ビーム６２９に結合されていてもよく、この頂部ビーム６２９は、サージカルヘルメット６２０の前部を横切って延びるように構成されていてもよい。たとえば、図１４に示すように、第１および第２のポスト６２６Ａ、６２６Ｂは、頂部ビーム１２９の両端に接続されていてもよい。下顎バー６２４は、大略可撓性または柔軟性の材料により構成されていてもよい。
【０１１０】
下顎バー６２４は、ポスト６２６Ａ、６２６Ｂの対向する自由端の間で延伸可能な底部ビーム６２８をさらに備えていてもよい。下顎バー６２４は、サージカルヘルメット６２０を着用している人の顎の下方でわずか前方に底部ビーム６２８が位置付けられるように形成されている。底部ビーム６２８は、ポスト６２６Ａ、６２６Ｂの自由端から外方に曲げられていてもよい。下顎バー６２４は、サージカルヘルメット６２０が着用者の頭部に固定された場合に着用者の顔面の前方に位置決めされ、顔面を大略囲むように、頂部ビーム６２９から外方に延びていてもよい。頂部ビーム６２９、ポスト６２６Ａ、６２６Ｂ、および底部ビーム６２８は、サージカルヘルメットが着用者の頭部上に位置決めされた場合に着用者の顔面の前方に位置決めされた開口を大略規定することから、その組み合わせは、フェイスフレームと総称する場合がある。
【０１１１】
複数の結合部材６４８が下顎バー２４に組み付けられていてもよいし、下顎バー２４内に存在していてもよい。結合部材６４８は、磁性材料を含み、サージカルヘルメット６２０に対するサージカルガーメント６１２のフェイスシールド６１８の位置合わせおよび／または取り付けを行うように構成されている。各結合部材６４８は、ポスト６２６Ａ、６２６Ｂおよび／または底部ビーム６２８の隣接両端部に近接して、下顎バー６２４上に位置決めされていてもよい。あるいは、サージカルヘルメット６２０の結合部材６４８は、任意好適な方法での配置あるいは構成によって、サージカルガーメント６１２の相補取り付け要素６５８と協働することにより、サージカルガーメント６１２をサージカルヘルメット６２０に対して解除可能に固定することも可能である。たとえば、図１４に示すように、結合部材６４８は、ポスト６２６Ａ、６２６Ｂがそれぞれ下方ビーム６２８につながる場所に近接して、下方ビーム６２８の両端部において下顎バー６２４上に位置決めされるようになっていてもよい。図１４に示すサージカルヘルメット６２０の例示的な構成では、２つの結合部材６４８を利用しているが、サージカルヘルメット６２０は、下顎バー６２４が単一の結合部材６４８を備えるか、または他の構成において、下顎バー６２４および／もしくは頂部ビーム６２９の周りで３つ以上の結合部材６４８が離間し得るように構成されていてもよいと考えられる。面ファスナ、スナップ、強磁性材料を含む結合部材、または同様の種類のファスナ等、磁性材料を含むものの代替および／または追加として、他種の結合部材６４８が用いられるようになっていてもよいと考えられる。他の構成も考えられる。
【０１１２】
図１６Ａおよび図１６Ｂを参照して、これらの図は、下顎バー６２４内に位置決めされた結合部材６４８の例示的な一構成をさまざまに示している。結合部材６４８は、遠位面６４７を備えていてもよい。下顎バー６２４は、結合機構６４８を受容するように構成された凹部６２７を備えていてもよい。たとえば、図１６Ａおよび図１６Ｂに示すように、結合部材６４８は、その遠位面６４７が下顎バー６２４の遠位面６２５に近接して位置決めされるように、下顎バー６２４の凹部内に位置決めされていてもよい。
【０１１３】
結合部材６４８は、強磁性材料または磁性材料の一方を含んでいてもよい。これは、結合部材６４８が強磁性材料または磁性材料で形成または構成されることを含み得る。また、結合部材６４８の一部のみが強磁性材料または磁性材料を含むと考えられる。たとえば、結合部材６４８は、射出成形プラスチックであり、強磁性材料または磁性材料で被覆されていてもよい。あるいは、結合部材６４８は、強磁性材料または磁性材料により形成された後、プラスチックまたは類似の被膜で被覆されることにより、無菌および／または耐摩耗性表面を与えるようにしてもよい。また、磁石がプラスチック材料で「外側被覆」されて、結合部材６４８を規定していてもよいと考えられる。一般的に、結合部材６４８は、サージカルガーメント６１２の取り付け要素６５８に対して、強磁性材料または磁性材料の他方を含むことにより、当該結合部材６４８と取り付け要素６５８との間に磁力を生成して、サージカルガーメント６１２をサージカルヘルメット６２０に結合するようにしてもよい。
【０１１４】
サージカルヘルメット６２０は、その下顎バー６２４または頂部ビーム６２９上または内部に配設可能なコントローラまたはプロセッサ（図示せず）をさらに備えていてもよい。あるいは、コントローラは、サージカルヘルメット６２０内の任意好適な場所に位置決めされていてもよい。たとえば、コントローラは、下顎バー６２４の底部ビーム６２８に位置決めされていてもよい。コントローラは、下顎バー６２４内で結合部材６４８に隣接して位置決めされたホール効果センサ等の１つまたは複数の検出器６７０と連通していてもよい。検出器６７０は、結合部材６４８の特性を検出するように構成されていてもよい。たとえば、検出器６７０は、ホール効果センサである場合に、結合部材６４８を囲む磁界の如何なる変化をも検出するように構成されていてもよい。動作において、検出器６７０は、結合部材６４８に隣接して位置決めされているサージカルガーメント６１２の取り付け要素６５８の有無により形成された結合部材６４８を囲む磁界の変化を検出するように構成されていてもよい。
【０１１５】
図１６Ａおよび図１６Ｂは、上述の通り、単一の結合部材６４８を含む下顎バー６２４の一部のみを示しているが、下顎バー６２４は、２つ以上の結合部材６４８を備えていてもよい。同様に、下顎バーは、２つ以上の検出器６７０を備えていてもよい。サージカルヘルメット６２０は、単一の結合部材６４８に隣接して位置決めされた単一の検出器６７０を備えていてもよいと考えられる。また、複数の結合部材６４８を含むサージカルヘルメット６２０の構成において、サージカルヘルメット６２０は、複数の結合部材６４８のうちの１つに隣接して位置決めされた単一の検出器６７０を備えていてもよいと考えられる。あるいは、検出器６７０は、結合部材６４８のうちの２つ以上に隣接して配置されていてもよい。複数の検出器を使用することにより、検出器６７０が損傷した場合の冗長性がもたらされ得る。
【０１１６】
図１６Ｂは、下顎バー６２４の凹部６２７内に配設された結合部材６４８の部分断面図である。下顎バー６２４の凹部６２７は、直径等の第１の寸法Ｄ１を規定していてもよい。結合部材６４８は一般的に、下顎バー６２４の開口部の寸法Ｄ１に嵌合するようにサイズ規定されていてもよい。さらに、結合部材６４８の遠位面６４７の外周６５３および近位面６５７の外周６５１は、結合部材６４８の近位面６５７の中心Ｃ１および遠位面６４７の中心Ｃ２を通過するＡｘｉｓ−Ａを規定していてもよい。Ａｘｉｓ−Ａと平行になるように横断面が配向して、結合部材６４８の近位面６５７および遠位面６４７を通って延びることにより、結合部材６４８の側方両半分を規定していてもよい。結合部材６４８が磁性材料を含む構成において、横断面は、磁性材料の両極間の分離を規定していてもよい。
【０１１７】
さらに、図１６Ａおよび図１６Ｂに見られるように、結合部材６４８の遠位面６４７は、大略湾曲した形状を有していてもよい。たとえば、遠位面６４７は、大略凸状の表面を備えていてもよい。あるいは、遠位面６４７は、結合部材６４８の中心から外方に延びた大略球状の表面を備えるように、大略突出した表面または多軸面を備えていてもよい。図１６Ａおよび図１６Ｂには示していないものの、結合部材６４８の遠位面６４７は、凹面を備えていてもよいと考えられる。凹面または凸面を含む結合部材６４８の例示的な種々構成については、以下により詳しく説明する。
【０１１８】
図１７Ａおよび図１７Ｂを参照して、これらの図は、結合部材６４８の例示的な一構成を示している。結合部材６４８は、反対の近位面６５７および遠位面６４７を備えた大略円形の断面形状を有していてもよい。上述の通り、遠位面６４７は、湾曲形状を有していてもよい。また、結合部材６４８は、遠位面６４７に１つまたは複数の窪み６４９Ａ、６４９Ｂを備えていてもよい。窪み６４９Ａ、６４９Ｂは、溝、凹部、開口部、切り欠き、または類似の形状として構成されていてもよい。結合部材６４８は、単一の窪みを備えていてもよいし、図１７Ａおよび図１７Ｂに示すように、一対の窪み６４９Ａ、６４９Ｂを備えていてもよい。また、結合部材６４８は、３つ以上の窪み６４９Ａ、６４９Ｂを備えていてもよいと考えられる。窪み６４９Ａ、６４９Ｂは、下顎バー６２４および／または検出器６７０に対して結合部材６４８を位置決めする構造的および／または視覚的位置合わせ機構として機能し得る。たとえば、結合部材６４８が磁性材料を含む構成において、窪み６４９Ａ、６４９Ｂまたは他のインジケータは、結合部材６４８の磁極の配向および／または位置に関する視覚的識別子を提供するようにしてもよい。当然のことながら、この構成は、結合部材６４８の極が検出器６７０に対して適正に配向されるように、下顎バー６２４の凹部内で結合部材６４８を容易かつ正確に位置決め可能である点において、製造可能性の向上に寄与する。
【０１１９】
また、図１７Ｂを参照して、結合部材は、当該結合部材６４８の軸Ａと交差するように構成された横軸Ａｘｉｓ−Ｌ１を規定していてもよい。また、横軸Ａｘｉｓ−Ｌ１は、結合部材６４８のＡｘｉｓ−Ａに大略垂直となるように配向していてもよい。たとえば、横軸Ａｘｉｓ−Ｌ１は、大略水平方向に配向して、結合部材６４８の側方両半分を規定していてもよい。結合部材６４８は、横軸Ａｘｉｓ−Ｌ１により分離された結合部材６４８の側方両半分により規定された第１の磁極Ｐ１および反対の第２の磁極Ｐ２を有していてもよい。たとえば、結合部材６４８の一方の側方半分が第１の磁極Ｐ１を表す体積を規定し、結合部材６４８の側方両半分が第２の磁極Ｐ２を表す体積を規定していてもよい。
【０１２０】
あるいは、磁性材料の各磁極Ｐ１、Ｐ２は、個々の点により表され得ると考えられる。磁極Ｐ１、Ｐ２それぞれを規定する点は、各極Ｐ１、Ｐ２の磁気モーメントが最強である結合部材６４８の各側方半分内の点として規定されていてもよい。たとえば、結合部材６４８の磁性材料の両磁極Ｐ１、Ｐ２は、結合部材６４８の側方両半分内の個々の点として規定されていてもよい。この例示的な構成において、第１の磁極Ｐ１および第２の磁極Ｐ２はそれぞれ、各磁極Ｐ１、Ｐ２を規定する点が遠位面６４７の最遠点（図１６ＢでＣ２として示す）よりも結合部材の外周に近くなるように、結合部材６４８のそれぞれの側方半分内に位置決めされていてもよいと考えられる。また、各磁極Ｐ１、Ｐ２はそれぞれ、各磁極Ｐ１、Ｐ２を規定する点が遠位面６４７の最遠点Ｃ２よりも検出器６７０に近くなるように、結合部材６４８のそれぞれの側方半分内に位置決めされていてもよいと考えられる。
【０１２１】
図１８Ａ、図１８Ｂ、図１８Ｃ、および図１８Ｄを参照して、これらの図は、サージカルガーメント６１２と併用するフェイスシールド６１８Ａの例示的な一構成を詳細に示している。上述のフェイスシールド１８、１１８と同様に、フェイスシールド６１８Ａは、サージカルガーメント６１２が設けるバリアを着用者が透かして見ることができるようにするサージカルガーメント６１２の一部を含んでいてもよい。フェイスシールド６１８Ａは、大略シート状構造であり、厚さが約１ｍｍ以下であってもよい。フェイスシールド６１８Ａは、サージカルガーメント６１２のサージカル布６１４に形成された開口または切り抜き部に組み付けおよび／または取り付けがなされていてもよい。サージカル布６１４は、縫製、スナップ、面ファスナ、接着剤、溶接、またはこれらの組み合わせによって、フェイスシールド６１８Ａの外縁または縁部周りに取り付けられていてもよい。フェイスシールド６１８Ａは、ポリカーボネート等の透明材料により構成されていてもよい。このような１つのポリカーボネートは、Ｓａｂｉｃにより商標ＬＥＸＡＮ（ＴＭ）として販売されている。また、サージカルガーメント６１２のフェイスシールド６１８Ａは、明るい光に対する高曝露から着用者の眼を保護するように色付けされていてもよい。さらに、フェイスシールド６１８Ａは、後述の通り、湾曲してさまざまな頭部サイズに対応し得るように、可撓性であってもよい。
【０１２２】
フェイスシールド６１８Ａは、図１３Ａのサージカルガーメント６１２に関して上述したタブ６５５Ａをさらに備えていてもよい。タブ６５５Ａは、フェイスシールド６１８Ａの頂部から延び、開口６５６の少なくとも一部を規定していてもよい。開口６５６は、大略矩形状であってもよい。さらに、図面には示していないものの、開口６５６は、円形状、長円形状、正方形状、または任意の類似する多角形状で構成されていてもよいと考えられる。また、開口６５６は、フェイスシールド６１８Ａの両端間で大略中心に位置付けられ、上述のヘルメット６２０の位置合わせチャネル６４５と相互作用するように構成された位置合わせ要素として機能するようになっていてもよい。さらに、開口６５６は、サージカル布６１４のフェイスシールド６１８Ａへの取り付け点の上方でフェイスシールド６１８Ａ上に位置決めされることにより、サージカル布６１４が開口６５６を覆って、着用者と環境との間でサージカルガーメント６１２が設けるバリアを維持するようにしてもよい。図１８Ａ〜図１８Ｄには示していないものの、図１３Ｂを参照して前述した通り、タブ６５５Ｂは、フェイスシールド６１８Ｂとは別個に形成され、サージカルガーメント６１２の内部に直接結合されていてもよい。フェイスシールド６１８Ｂとは別個に形成されることのほか、タブ６５５Ｂはさらに、フェイスシールド６１８Ａの一部として形成されたタブ６５５Ａの同一または同様の特徴をすべて含んでいてもよい。フェイスシールド６１８Ａは、その底部に位置決めされた１つまたは複数の開口部６１９をさらに備え、取り付け要素６５８Ａをフェイスシールド６１８Ａに結合するように構成されていてもよい。
【０１２３】
図１８Ｂ〜図１８Ｄに示すように、取り付け要素６５８Ａは、ヘッド６６０を備えていてもよい。ヘッド６６０は、（図１６Ｂに示す）下顎バー６２４の開口部の第１の寸法Ｄ１よりも小さな第２の寸法Ｄ２を規定することにより、結合部材６４８に結合される場合に、下顎バー６２４の開口部内に挿入されるようにサイズ規定されていてもよい。また、取り付け要素６５８Ａのヘッド６６０は、遠位面６６５および反対の近位面６５９を規定していてもよい。ヘッド６６０は、凹部６６１Ａをさらに規定していてもよい。ヘッド６６０は、その近位面６５９から遠位方向に位置決めされた凹面６７４Ａを規定する。ヘッド６６０は、その近位面６５９により少なくとも一部が規定され得るリム６６３をさらに備えていてもよい。リム６６３は、少なくとも部分的に凹部６６１Ａを囲んでいてもよい。凹部６６１Ａは、取り付け要素６５８Ａおよび結合部材６４８が一体結合される場合の両者間の表面積接触を増大させ得る。表面積接触の増大により、取り付け要素６５８Ａと結合部材６４８との間の磁気結合の強度および／または力（取り付け要素６５８Ａおよび結合部材６４８の分離に必要な力）が増大し得る。これは、サージカルガーメント６１２およびサージカルヘルメット６２０の使用中の取り付け要素６５８Ａおよび結合部材６４８の偶然の分離または意図せぬ分離を抑えることができる。また、凹部６６１Ａのサイズおよび／または形状によって、取り付け要素６５８Ａおよび結合部材６４８がさまざまな角度で相互作用できるようにしてもよく、これについては、以下により詳しく説明する。
【０１２４】
窪み、ベイ、またはアルコーブ等の後退部位、部分、または空間として、凹部６６１Ａが規定されていてもよい。一般的に、凹部６６１Ａは、材料の空間または材料の欠如を表し得る。上述の取り付け要素６５８Ａに関して、凹部６６１Ａは、ヘッド６６０中の材料の空間または材料の欠如を表し得る。取り付け要素６５８Ａのヘッド６６０において凹部６６１Ａを表す空間のサイズおよび形状は、凹面６７４Ａにより規定されるようになっていてもよい。ただし、凹部６６１Ａは、取り付け要素６５８Ａのヘッド６６０等、単一の構成要素による形成に限定されない。材料の空間または材料の欠如を規定する構成要素の任意の組み合わせが凹部６６１Ａと考えられる。たとえば、一構成において、凹部６６１Ａを表す空間は、ヘッド６６０およびポスト６６７の組み合わせにより規定されていてもよい。さらに別の構成において、凹部６６１Ａを表す空間は、図２８Ａおよび図２８Ｂに関して後述する通り、ヘッド６６０およびフェイスシールド６１８の組み合わせにより規定されていてもよい。取り付け要素６５８Ａおよび凹部６６１Ａの例示的な種々構成については、以下により詳しく説明する。
【０１２５】
例示的な一構成において、凹部６６１Ａは、取り付け要素６５８Ａのヘッド６６０に形成され、全体がヘッド６６０により規定されていてもよい。ただし、上述の通り、代替構成も考えられる。凹部６６１Ａは、結合部材６４８の突出面６４７の少なくとも一部を取り外し可能に受容して、サージカルガーメント６１２をサージカルヘルメット６２０に対して取り外し可能に結合するようにしてもよい。凹部６６１Ａは、多様な形状およびサイズに形成されていてもよく、これについては、以下により詳しく論じる。
【０１２６】
取り付け要素６５８Ａは、その遠位面６６５から遠位方向に延びたポスト６６７をさらに備えていてもよい。ポスト６６７は、近位部６６９および遠位部６７１を備えていてもよく、近位部６６９が第３の寸法Ｄ３を有し、遠位部６７１が第４の寸法Ｄ４を有する。ポスト６６７は、近位部６６９の第３の寸法Ｄ３が遠位部６７１の第４の寸法Ｄ４よりも大きく、ショルダを形成するように構成されていてもよい。ポスト６６７の遠位部６７１は、フェイスシールド６１８Ａの開口部６１９に嵌合して、取り付け要素６５８Ａのフェイスシールド６１８Ａへの結合を容易化するように構成されるものとする。
【０１２７】
近位部６６９の第３の寸法Ｄ３が遠位部６７１の第４の寸法Ｄ４よりも大きいポスト６６７の構成において、ポスト６６７の近位部６６９により形成されたショルダは、取り付け要素６５８Ａのヘッド６６０をフェイスシールド６１８から距離Ｄ５で離間させる意図がある。ショルダは、取り付け要素６５８Ａをフェイスシールド６１８から離間させ、取り付け要素６５８Ａの遠位面６６５に対してフェイスシールド６１８を曲げられるようにするのに利用可能である。この可撓性により、結合部材６４８に取り付けられた位置から緩んだ取り付け要素６５８Ａのがたつきなくフェイスシールド６１８が曲げられる点において、取り付け要素６５８Ａと結合部材６４８との間の取り付けがより堅牢となり得る。
【０１２８】
図１８Ｄに示す取り付け要素６５８Ａの例示的な構成がポスト６６７を含み、近位部６６９の第３の寸法Ｄ３が遠位部６７１の第４の寸法Ｄ４より大きいものの、ポスト６６７は、フェイスシールド６１８Ａの開口部６１９に嵌合するように構成された単一の均一寸法を有していてもよい。
【０１２９】
引き続き図１８Ｄを参照して、取り付け要素６５８Ａは、保持機構６７３によって、フェイスシールド６１８に結合されていてもよい。保持機構６７３は、ポスト６６７の遠位端に係合するように構成されたキャップまたは類似のファスナの形態であってもよい。たとえば、図１８Ｄに示すように、ポスト６６７は、フェイスシールドの開口部６１９に挿通されていてもよく、また、保持機構６７３は、ポスト６６７の遠位端に適用されて、取り付け要素６５８Ａをフェイスシールド６１８に固定していてもよい。
【０１３０】
図１９Ａ、図１９Ｂ、および図１９Ｃを参照して、これらの図は、取り付け要素６５８Ａの別の構成を詳しく示している。上述の取り付け要素６５８と同様に、取り付け要素６５８Ａの第１の構成は、遠位面６６５および反対の近位面６５９を有するヘッド６６０を含む。取り付け要素６５８Ａの凹部６６１Ａは、内方に湾曲して取り付け要素６５８Ａのヘッド６６０に材料の空間または材料の欠如を規定する大略凹形状を有していてもよい。凹部６６１Ａのサイズおよび／または形状は、ヘッド６６０の凹面６７４により規定されていてもよい。さらに、凹部６６１Ａのサイズおよび／または形状は、結合部材６４８の突出面６４７のサイズおよび／または形状に対して規定されていてもよい。凹部６６１Ａの深さおよび／または半径は、一体結合の場合に凹部６６１Ａが結合部材６４８の突出面６４７を嵌め合い受容できるように変化し得ると考えられる。たとえば、凹部６６１Ａは、突出面６４７の少なくとも一部が取り付け要素６５８Ａの凹部６６１Ａ内に配設され得るように、結合部材６４８の突出面６４７により規定された体積の少なくとも１０パーセント（１０％）である体積を有する空隙を規定すると考えられる。ただし、凹部６６１Ａは、突出面６４７により規定される体積の２０パーセント（２０％）、３０パーセント（３０％）、またはそれ以上の体積を有する空隙を規定していてもよいと考えられる。
【０１３１】
取り付け要素６５８Ａの例示的な一構成において、凹部６６１Ａは、取り付け要素６５８Ａの凹部６６１Ａ内に一定の距離で突出面６４７を位置決め可能な空隙を規定していてもよいと考えられる。たとえば、凹部６６１Ａは、ヘッド６６０の近位面６５９の遠位方向に突出面６４７の最遠点（図１６ＢでＣ２として示す）を位置決め可能な空隙を規定していてもよい。具体的に、突出面６４７は、当該突出面６４７の最遠点（図１６ＢでＣ２として示す）がヘッド６６０の近位面６５９の少なくとも１ミリメートル（１ｍｍ）遠位方向に位置決めされるように、取り付け要素６５８Ａの凹部６６１Ａ内に位置決めされていてもよい。ただし、突出面６４７の最遠点（図１６ＢでＣ２として示す）は、ヘッド６６０の近位面６５９に対して２ミリメートル（２ｍｍ）、３ミリメートル（３ｍｍ）、４ミリメートル（４ｍｍ）、またはそれ以上の遠位方向に位置決めされていてもよいと考えられる。
【０１３２】
取り付け要素６５８Ａの別の例示的な構成において、凹部６６１Ａは、取り付け要素６５８Ａの凹部６６１Ａ内に突出面６４７の一部を位置決め可能な空隙を規定していてもよい。たとえば、凹部６６１Ａは、ヘッド６６０の近位面６５９の遠位方向に突出面６４７の少なくとも１０パーセント（１０％）を位置決め可能な空隙を規定していてもよい。ただし、突出面６４７は、当該突出面６４７の２０パーセント（２０％）、３０パーセント（３０％）、またはそれ以上がヘッド６６０の近位面６５９の遠位方向に位置決めされるように、取り付け要素６５８Ａの凹部６６１Ａ内に位置決めされていてもよい。これらさまざまな寸法により、サージカルガーメント６１２のサージカルヘルメット６２０に対する結合が堅牢となって、取り付け要素６５８Ａを結合部材６４８から分離させ得る横力および軸力に抗し得る。取り付け要素６５８Ａの凹部６６１Ａの付加的な例示的構成については、以下により詳しく説明する。
【０１３３】
図２０Ａ、図２０Ｂ、図２０Ｃ、および図２０Ｄを参照して、これらの図は、保持機構６７３の例示的な一構成を詳しく示している。保持機構６７３は、その少なくとも一部を通って延びる開口部６７５を備えていてもよい。保持機構６７３の開口部６７５は、１つまたは複数のタブ６７７により規定されていてもよい。タブ６７７は、開口部６７５を規定するようにサイズ規定されて、ポスト６６７の遠位部６７１が開口部６７５に挿通されて取り付け要素６５８Ａをフェイスシールド６１８に結合する場合に開口部６７５が遠位部６７１と摩擦嵌合するようにしてもよい。たとえば、図１８Ｄを再度参照して、ポスト６６７の遠位部６７１は、フェイスシールド６１８の開口部６１９に挿通されるようになっていてもよく、また、保持機構６７３は、ポスト６６７の遠位部６７１を当該保持機構６７３の開口部６７５に挿入することにより、取り付け要素６５８Ａに結合されていてもよい。
【０１３４】
図示はしていないものの、取り付け要素６５８Ａについても、ポスト６６７をフェイスシールド６１８の開口部６１９に挿通し、取り付け要素６５８Ａのヘッド６６０からフェイスシールド６１８の反対側にフランジが形成されるように、フェイスシールド６１８Ａの遠位面を越えて延びるポスト６６７の遠位端を打ち抜くことによって、フェイスシールド６１８に結合されるようになっていてもよいと考えられる。このフランジは、フェイスシールド６１８の表面に隣接し、取り付け要素６５８Ａの保持機構６７３として作用し得る。
【０１３５】
また、フェイスシールド６１８が開口部を含まない構成においては、のり、エポキシ、シーラント、または他の類似の接着剤によって、取り付け要素６５８Ａがフェイスシールド６１８に結合されていてもよいと考えられる。さらに、取り付け要素６５８Ａは、別の様態にて、フェイスシールド６１８への溶接または機械的取り付けがなされていてもよいと考えられる。例示的な一構成を図２８Ａおよび図２８Ｂに示すが、取り付け要素１３５８は、接着剤によって布６１４またはフェイスシールド６１８に固定されている。
【０１３６】
あるいは、取り付け要素６５８Ａは、ポスト６６７をフェイスシールド６１８の開口部６１９に挿通し、フェイスシールド６１８の遠位側でポスト６６７に接着剤を塗布して当該取り付け要素６５８Ａをフェイスシールド６１８に固定することによって、フェイスシールド６１８に結合されるようになっていてもよい。
【０１３７】
図２１Ａ〜図２１Ｃを参照して、これらの図は、フェイスシールド６１８Ａひいてはサージカルガーメント６１２のサージカルヘルメット６２０への結合のさまざまな段階の斜視図である。上述の通り、サージカルガーメント６１２は、開口６５６を規定するタブ６５５Ａ、６５５Ｂを備えていてもよい。タブ６５５Ａは、図１３Ａおよび図２１Ａ〜図２１Ｃに示すように、フェイスシールド６１８Ａの一部として形成されていてもよい。あるいは、タブ６５５Ｂは、図１３Ｂに示すように、サージカルガーメント６１２に独立して結合される別個の構成要素であってもよい。頂部ビーム６２９は、一対の横方向に離間した側壁６３９Ａ、６３９Ｂと、位置合わせチャネル６４５を規定するサージカルヘルメット６２０の近位面６３７とを備える。突起６４６は、近位面６３９から延びていてもよい。フェイスシールド６１８は、保持機構６７３によりフェイスシールド６１８の外縁に固定された複数の取り付け部材６５８Ａ（不可視）を備える。
【０１３８】
タブ６５５Ａがフェイスシールド６１８Ａの一部として形成された場合にサージカルガーメント６１２をサージカルヘルメット６２０に結合するため、フェイスシールド６１８Ａは、タブ６５５Ａの開口６５６を位置合わせチャネル６４５および突起６４６の上方にして、位置決めされるようになっていてもよい（図２１Ａ参照）。そして、タブ６５５Ａひいてはフェイスシールド６１８Ａは、一対の横方向に離間した側壁６３９Ａ、６３９Ｂ間でタブ６５５Ａの少なくとも一部が位置合わせチャネル６４５内に位置決めされるように、サージカルヘルメット６２０上へと降下するようになっていてもよい。タブ６５５Ａは、突起６４６がタブ６５５Ａの開口６５６内に配設されるように、位置合わせチャネル６４５内に位置決めされるものとする（図２１Ｂ参照）。そして、取り付け要素６５８Ａを含むフェイスシールド６１８Ａの下部の操作によって、下顎バー６２４上に位置決めされた相補結合部材６４８に取り付け要素６５８Ａを結合するようにしてもよい（図２１Ｂおよび図２１Ｃ参照）。たとえば、タブ６５５Ａが位置合わせチャネル６４５内に位置決めされ、突起６４６がタブ６５５Ａの開口６５６内に配設されると、フェイスシールド６１８は、突起６４６周りに枢動して、相補結合部材６４８に隣接するように取り付け要素６５８Ａを位置決めするようにしてもよい。これは、サージカルガーメント６１２をサージカルヘルメットに結合する方法の一例である。
【０１３９】
あるいは、タブ６５５Ｂがフェイスシールド６１８Ｂから独立して形成されている場合（図１３Ｂのサージカルガーメント６１２参照）、サージカルガーメント６１２は、上記と同様にサージカルヘルメット６２０に結合されていてもよい。サージカルガーメント６１２の着用者側に結合されたタブ６５５Ｂは、位置合わせチャネル６４５および突起６４６の上方に位置決めされていてもよい。そして、タブ６５５Ｂひいてはサージカルガーメント６１２は、一対の横方向に離間した側壁６３９Ａ、６３９Ｂ間でタブ６５５Ｂの少なくとも一部が位置合わせチャネル６４５内に位置決めされるように、サージカルヘルメット６２０上へと降下するようになっていてもよい。タブ６５５Ｂは、突起６４６がタブ６５５Ｂの開口６５６内に配設されるように、位置合わせチャネル６４５内に位置決めされるものとする。そして、取り付け要素６５８Ａを含むフェイスシールド６１８Ｂの下部の操作によって、下顎バー６２４上に位置決めされた相補結合部材６４８に取り付け要素６５８Ａを結合するようにしてもよい。
【０１４０】
図２２Ａを参照して、この図は、下顎バー６２４の結合部材６４８に結合されたサージカルガーメント６１２の取り付け要素６５８Ａの部分断面図である。結合部材６４８は、下顎バー６２４の凹部に位置決めされている。結合部材６４８は、下顎バー６２４の遠位面６２５に対して近位方向に位置決めされた突出面６４７を備える。
【０１４１】
結合部材６４８の突出面６４７の少なくとも一部は、取り付け要素６５８Ａの凹部６６１Ａにより規定された空間に延入していてもよい。結合部材６４８の突出面６４７および取り付け要素６５８Ａの凹面６７４Ａの相補形状は、サージカルガーメント６１２がサージカルヘルメット６２０に結合された場合に、摺動接触するように構成されていてもよい。あるいは、突出面６４７の全体または一部と凹面６７４Ａとの間には、空隙または間隙が存在していてもよいと考えられる。たとえば、突出面６４７は、半径が小さな鋭い先端を備えていてもよく、また、凹面６７４Ａは、突出面６４７の半径に対して半径が大きな凹形状を備えていてもよい。この構成において、突出面６４７の先端または頂点は、突出面６４７の他の部分と凹面６７４Ａとの間に間隙を有しつつ、凹面６７４Ａの一部に接触していてもよい。
【０１４２】
結合部材６４８の突出面６４７および取り付け要素６５８Ａの凹部６６１Ａの相補形状は、取り付け要素６５８Ａが結合部材６４８周りに枢動して、さまざまな角度で結合部材６４８との結合を維持し得るようにしてもよい。これにより、１つまたは複数の膜層のフェイスシールド６１８からの除去中等、操作または曲げによって取り付け要素６５８Ａを対応する結合部材６４８に結合する場合に、フェイスシールド６１８の移動および／または位置決めの自由度が追加され得る。さらに、結合部材６４８の突出面６４７および取り付け要素６５８Ａの凹部６６１Ａの相補形状は、医療処置中のサージカルガーメント６１２のサージカルヘルメット６２０との接触を促進および／または維持するように設計されている。サージカルガーメント６１２の取り付け要素６５８Ａの結合部材６４８および／または相補凹部６６１Ａに曲率を加えることにより、結合部材６４８および／または取り付け要素６５８Ａが嵌め合わされて剪断状態となった場合に、結合部材６４８および／または取り付け要素６５８Ａを構成する物理的材料中に力が伝わって、保持力が増大する。湾曲面および／または凹面は、強磁性材料との相互作用において磁性材料により最適な磁気的保持力が与えられた位置で枢動可能であることから、付加的な保持力がこれらの表面により与えられる。したがって、取り付け要素６５８Ａを結合部材６４８に対して回転可能とすることにより、剪断により発生する力（モーメントアーム）はなくなる。湾曲面対平坦面の結果として、接触または近接する表面積が増大するため、付加的な保持力が与えられる。
【０１４３】
特定の構成において、サージカルガーメント６１２をサージカルヘルメット６２０に結合するため、取り付け要素６５８Ａの凹部６６１が結合部材６４８の突出面６４７に接触するように、取り付け要素６５８Ａのヘッド６６０の少なくとも一部が下顎バー６２４の凹部６２７内に配設されていてもよい。ヘッド６６０の近位面６５９は、下顎バー６２４の遠位面６２５の少なくとも２ミリメートル（２ｍｍ）近位方向に位置決めされるように、下顎バー６２４の凹部６２７内に配設されていてもよいと考えられる。さらに、ヘッド６６０の近位面６５９は、下顎バー６２４の遠位面６２５の３ミリメートル（３ｍｍ）またはそれ以上の近位方向に位置決めされていてもよいと考えられる。また、各取り付け要素６５８Ａおよび結合部材６４８の相補面６４７、６７４により許容される角度で取り付け要素６５８Ａが結合部材６４８に結合されている場合、下顎バー６２４の凹部６２７内に配設された取り付け要素６５８Ａのヘッド６６０の部分は、凹部６２７内に配設されたヘッド６６０の割合として規定されていてもよいと考えられる。たとえば、取り付け要素６５８Ａのヘッド６６０の体積の少なくとも１０パーセント（１０％）が下顎バー６２４の凹部６２７内に配設されていてもよい。取り付け要素６５８Ａの少なくとも一部が凹部６２７内であることから、取り付け要素６５８Ａを結合部材６４８から分離するのに必要な力は大きくなる。これは、下顎バー６２４の凹部６２７の側壁が結合部材６４８および取り付け要素６５８Ａの分離に対する付加的な抵抗となり得るためである。たとえば、下顎バー６２４の凹部６２７の側壁によって、取り付け要素６５８Ａが結合部材６４８から外れなくなる場合がある。これは、剪断または横力がフェイスシールド６１８に印加された場合に特に当てはまり得る。たとえば、フェイスシールド６１８がごみを除去する複数の取り外し可能な層を備える場合、フェイスシールド６１８ひいては取り付け要素６５８Ａには、剪断または横力が加わる場合がある。下顎バー６２４の凹部６２７の側壁は、結合部材６４８に対する取り付け要素６５８Ａの如何なる横方向移動をも防止することができる。これは、下顎バー６２４の凹部６２７の寸法Ｄ１を取り付け要素６５８Ａのヘッド６６０の寸法Ｄ２よりわずかにでも大きく構成することによって実現され得る。これにより、取り付け要素６５８Ａのヘッド６６０が結合部材６４８から分離されるのに十分な距離を取り付け部材６５８Ａのが横方向摺動するのを防止され得る。
【０１４４】
前述の通り、結合部材６４８が強磁性材料または磁性材料の一方を含み、取り付け要素６５８Ａが強磁性材料または磁性材料の他方を含むため、結合部材６４８および取り付け要素６５８Ａは、相互に磁力で引き付けられ得る。図示の構成において、結合部材６４８は、磁性材料を含んでいてもよいため、結合部材６４８からの磁界の発生あるいは結合部材６４８による磁界の生成が起こり得る。結合部材６４８が取り付け要素６５８Ａに結合された場合、磁性材料を含む構成要素を囲む磁界は、強磁性材料を含む構成要素が隣接して配置された場合に変化することになる。
【０１４５】
結合部材６４８に隣接して位置決めされた検出器６７０は、サージカルガーメント６１２がサージカルヘルメット６２０に結合されたことを示す磁界の変化を検出するように構成されたホール効果センサを備えていてもよい。たとえば、結合部材６４８が磁性材料を含み、取り付け要素６５８Ａが強磁性材料を含む場合、検出器６７０は、取り付け要素６５８Ａが結合部材６４８から分離された場合に結合部材６４８を囲む磁界の第１の構成を検出するようにしてもよい。そして、検出器６７０は、取り付け要素６５８Ａが結合部材６４８に隣接する場合に結合部材６４８を囲む磁界の第２の構成を検出するようにしてもよく、これは、サージカルガーメント６１２がサージカルヘルメット６２０に結合されたことを示す。あるいは、結合部材６４８が強磁性材料を含み、取り付け要素６５８Ａが磁性材料を含む場合、検出器６７０は、取り付け要素６５８Ａが結合部材６４８から分離された場合に結合部材６４８を囲む磁界の欠如を検出するようにしてもよい。そして、検出器６７０は、取り付け要素６５８Ａが結合部材６４８に隣接する場合に磁界の存在を検出するようにしてもよく、これは、サージカルガーメント６１２がサージカルヘルメット６２０に結合されたことを示す。上述の通り、コントローラは、動作コマンドを検出器６７０に伝達するほか、検出器６７０により検出された特性と関連する信号を検出器６７０から受信するように構成されていてもよい。この信号は、検出器６７０により検出される特性の有無および／または変化に基づいていてもよく、これは、サージカルヘルメット６２０に結合されているサージカルガーメント６１２の有無と関連し得る。また、コントローラは、換気アセンブリ６３０等、サージカルヘルメット６２０の１つまたは複数の周辺機器６３０に接続されていてもよく、検出器６７０から受信された信号に基づいて、動作コマンドを換気アセンブリ６３０または他の周辺機器６３０との間で伝達するように構成されている。たとえば、コントローラは、換気システム６３０に送られてファンブレードの速度を制御する電力の量を調整するように構成されていてもよい。
【０１４６】
図２２Ｂおよび図２２Ｃを参照して、これらの図は、磁性材料を含む結合部材６４８を囲む磁界を模式的に示している。図２２Ｂは、取り付け要素６５８Ａが結合部材６４８に対して分離された場合または結合されていない場合に結合部材６４８を囲む例示的な磁界を示している。上述の通り、検出器６７０は、磁界の第１の構成を検出するようにしてもよい。これに対して、図２２Ｃは、取り付け要素６５８Ａが結合部材６４８に隣接して位置決めされた場合に結合部材６４８を囲む例示的な磁界を示している。上述の通り、検出器６７０は、磁界の第２の構成を検出するようにしてもよい。検出器６７０により検出された磁界に基づいて、検出器６７０は、サージカルガーメント６１２がサージカルヘルメット６２０に結合されているかを示す信号を生成するようにしてもよい。
【０１４７】
図２３Ａおよび図２３Ｂを参照して、これらの図は、取り付け要素６５８Ｂの第２の構成を詳しく示している。上述の取り付け要素６５８と同様に、取り付け要素６５８Ｂの第２の構成は、遠位面６６５および反対の近位面６５９を有するヘッド６６０を含む。ヘッド６６０は、凹部６６１Ｂを規定する凹面６７４Ｂを備えていてもよい。取り付け要素６５８Ｂの凹部６６１Ｂを規定する凹面６７４Ｂは、多面形状を有するように形成されていてもよい。ヘッド６６０の凹面６７４Ｂは、凹部６６１Ｂを規定するように協働する２つ以上の面を備えていてもよい。多面形状の凹部６６１Ｂの面数は、一体結合の場合に凹部６６１Ｂが結合部材６４８の突出面６４７を嵌め合い受容できるように変化し得ると考えられる。
【０１４８】
図２４Ａおよび図２４Ｂを参照して、これらの図は、取り付け要素６５８Ｃの第３の構成を詳しく示している。上述の取り付け要素６５８と同様に、取り付け要素６５８Ｃの第３の構成は、遠位面６６５および反対の近位面６５９を有するヘッド６６０を含む。ヘッド６６０は、凹部６６１Ｃを規定する凹面６７４Ｃを備えていてもよい。取り付け要素６５８Ｃの凹部６６１Ｃは、円筒形状を有する。円筒状の凹部６６１Ｃの深さおよび／または直径は、一体結合の場合に凹部６６１Ｃが結合部材６４８の突出面６４７を嵌め合い受容できるように変化し得ると考えられる。図２４Ａおよび図２４Ｂに示す凹部６６１Ｃの表面６７４Ｃは平坦であるが、凹部６６１Ｃを規定する凹面６７４Ｃは、弓形形状を示していてもよい。
【０１４９】
図２５Ａおよび図２５Ｂを参照して、これらの図は、取り付け要素６５８Ｄの第４の構成を詳しく示している。上述の取り付け要素６５８と同様に、取り付け要素６５８Ｄの第４の構成は、遠位面６６５および反対の近位面６５９を有するヘッド６６０を含む。ヘッド６６０は、凹部６６１Ｄを規定する凹面６７４Ｄを備えていてもよい。取り付け要素６５８Ｄの凹部６６１Ｄは、平坦面を含むボウルのような形状を有する。平坦面は、凹部６６１Ｄの中心に近接するおよび／または頂点にあるように位置決めされていてもよい。ボウルのような形状の凹部６６１Ｄの湾曲部の深さおよび／または半径は、一体結合の場合に凹部６６１Ｄが結合部材６４８の突出面６４７を嵌め合い受容できるように変化し得ると考えられる。
【０１５０】
図２６Ａおよび図２６Ｂを参照して、これらの図は、取り付け要素６５８Ｅの第５の構成を詳しく示している。上述の取り付け要素６５８と同様に、取り付け要素６５８Ｅの第５の構成は、遠位面６６５および反対の近位面６５９を有するヘッド６６０を含む。ヘッド６６０は、凹部６６１Ｅを規定する凹面６７４Ｅを備えていてもよい。また、ヘッド６６０は、凹部６６１Ｅを少なくとも部分的に囲むリム６６３を備えていてもよい。取り付け要素６５８Ｅの凹部６６１Ｅは、大略凹状の形状を有する。図２６Ａおよび図２６Ｂに示す凹部６６１Ｅの曲率半径および／または深さは、何ら限定的なものではない。凹部６６１Ｅの深さおよび／または半径は、一体結合の場合に凹部が結合部材の突出面６４７を嵌め合い受容できるように変化し得ると考えられる。
【０１５１】
上述の通り、取り付け要素６５８は、強磁性材料および反磁性材料の両者を含む。ヘッド６６０および／または取り付け要素６５８Ｅの少なくとも一部が反磁性材料を含んでいてもよく、ヘッド６６０および／または取り付け要素６５８は、磁性材料を含む結合部材６４８と相互作用するように構成された強磁性材料で被覆されていてもよい。あるいは、取り付け要素６５８Ｅのヘッド６６０は、反磁性材料を含み、さらに、当該ヘッド６６０の反磁性材料内に配設された強磁性材料を含んでいてもよい。図２６Ａおよび図２６Ｂに示す取り付け要素６５８Ｅの第５の構成は、このような取り付け要素６５８Ｅの例示的な一構成である。取り付け要素６５８Ｅは、凹部６６１Ｅを囲むリム６６３の周りで離間した複数のインサート６３３をさらに備えていてもよい。取り付け要素６５８のヘッド６６０は、反磁性材料で形成されていてもよい。そして、インサート６３３は、強磁性材料を含むとともに、少なくとも一部がヘッド６６０内に配設されていてもよい。インサート６３３の強磁性材料は、磁力を介して結合部材６４８と相互作用するように構成されていてもよい。図２６Ａおよび図２６Ｂに示すインサート６３３の位置および配向は、例示的な一構成としての意図しかない。インサート６３３の数は、結合部材６４８と取り付け要素６５８Ｅとの間に必要な磁気的引力を生成する必要に応じて増減し得ると考えられる。ヘッド６６０の近位面６５９および／またはリム６６３上または内部には、１つまたは複数のインサート６３３が位置決めされていてもよい。また、インサート６３３は、取り付け要素６５８Ｅのヘッド６６０の凹面６７４Ｅ内での位置決めおよび／または少なくとも一部の配設がなされていてもよい。さらに、図２６Ａおよび図２６Ｂに示すインサート６３３は、近位面６５９および／またはリム６６３のほか、ヘッド６６０の凹面６７４Ｅに位置決めされているが、近位面６５９および／またはリム６６３のみに位置決めされていてもよいし、凹面６７４Ｅのみに位置決めされていてもよいと考えられる。さらに、インサート６３３の少なくとも一部が近位面６５９、リム６６３、および／または凹面６７４Ｅの一部を構成するように示しているが、インサート６３３は、全体がヘッド６６０内に配設される状態および／または全体がヘッド６６０により包囲される状態となるように位置決めされていてもよいと考えられる。あるいは、結合部材６４８が強磁性材料を含む場合は、ヘッド６６０が反磁性材料を含み、インサート６３３が、磁力を介して結合部材６４８と相互作用するように構成された磁性材料を含んでいてもよいと考えられる。
【０１５２】
図２７Ａおよび図２７Ｂを参照して、これらの図は、取り付け要素７５８の第６の構成を詳しく示している。上述の取り付け要素６５８と同様に、取り付け要素７５８の第５の構成は、遠位面７６５および反対の近位面７５９を有するヘッド７６０を含む。ただし、上述の取り付け要素６５８と異なり、取り付け要素７５８のヘッド７６０は、当該ヘッド７６０を通る開口部を規定するリング、ワッシャ、または類似の形状にて構成されていてもよい。取り付け要素７５８は、近位部７６９を有するポスト７６７をさらに備えていてもよい。近位部７６９は、ヘッド７６０の近位面７６５に結合されていてもよい。ポスト７６７の近位部７６９は、両端がヘッド７６０の遠位面７６５に結合された円弧状、Ｕ字状、または類似の湾曲形状を有していてもよい。ヘッド７６０およびポスト７６７の近位部７６９の組み合わせは、結合部材６４８の突出面６４７を受容する取り付け要素７５８の凹部７６１を規定していてもよい。ヘッド７６０の深さおよび／または半径は、一体結合の場合に凹部７６１が結合部材６４８の突出面６４７を嵌め合い受容できるように変化し得ると考えられる。
【０１５３】
図２８Ａおよび図２８Ｂを参照して、これらの図は、取り付け要素８５８の第７の構成を詳しく示している。上述の取り付け要素６５８と同様に、取り付け要素８５８の第６の構成は、近位面８５９Ａ、８５９Ｂを有するヘッド８６０を含む。ただし、上述の取り付け要素６５８、７５８と異なり、取り付け要素８５８のヘッド８６０は、両端が近位面８５９Ａ、８５９Ｂで終端する円弧状、Ｕ字状、または類似の湾曲形状を有していてもよい。取り付け要素８５８のヘッド８６０は、結合部材６４８の突出面６４７を受容するように構成された取り付け要素８５８の凹部８６１を規定する２つの脚部８６３Ａ、８６３Ｂを備えていてもよい。このため、取り付け要素８５８は、３６０°にわたって凹部８６１を囲む表面を含んでいなくても、依然として凹部８６１を規定し得る。ヘッド８６０の脚部８６３Ａ、８６３Ｂの深さおよび／または半径は、一体結合の場合に凹部８６１が結合部材６４８の突出面６４７を嵌め合い受容できるように変化し得ると考えられる。
【０１５４】
図２９Ａおよび図２９Ｂを参照して、これらの図は、取り付け要素９５８の第８の構成を詳しく示している。上述の取り付け要素６５８、７５８、８５８と同様に、取り付け要素９５８の第７の構成は、遠位面９６５および反対の近位面９５９を有するヘッド９６０Ａ、９６０Ｂを含む。ただし、上述の取り付け要素と異なり、取り付け要素９５８は、ポストなしで構成されていてもよい。取り付け要素９５８のヘッド９６０Ａ、９６０Ｂは、リングまたは類似の円形状を少なくとも部分的に規定することでヘッド９６０の凹部９６１を規定する２つ以上の類似する弓形部分を備えていてもよい。図２８Ａおよび図２８Ｂに示す取り付け要素９５８のヘッド９６０Ａ、９６０Ｂは、２つのヘッド部９６０Ａ、９６０Ｂを備えるものの、当該ヘッド９６０Ａ、９６０Ｂを通る開口部を規定する中実リングまたは類似の多角形状として構成されていてもよいと考えられる。あるいは、ヘッド９６０Ａ、９６０Ｂは、フェイスシールド６１８との組み合わせで凹部９６１を規定するリングまたは類似の多角形状を規定するように構成および／または配置された３つ以上の部分として構成されていてもよいと考えられる。
【０１５５】
図２９Ａおよび図２９Ｂに示す取り付け要素９５８の例示的な構成はポストを含まないが、ヘッド９６０Ａ、９６０Ｂの各部は、フェイスシールド６１８に直接結合されていてもよい。たとえば、遠位面９６５Ａ、９６５Ｂは、エポキシ、のり、シーラント、または類似の接着剤を用いてフェイスシールド６１８に直接結合されていてもよい。ただし、当然のことながら、ヘッド９６０Ａ、９６０Ｂの各部は、図２９Ａおよび図２９Ｂに示すように、ヘッド９６０Ａ、９６０Ｂの各部を同様の構成で配向させるように位置決めされた対応する開口部によってヘッド９６０Ａ、９６０Ｂの各部をフェイスシールド６１８に結合するように構成されたポストを備えていてもよいと考えられる。
【０１５６】
この構成において、ヘッド９６０Ａ、９６０Ｂの各部とフェイスシールド６１８および／またはサージカルガーメント６１２との組み合わせは、結合部材６４８の突出面６４７を受容するように構成された取り付け要素９５８の凹部９６１を規定するように協働し得る。取り付け要素９５８のヘッド９６０Ａ、９６０Ｂの各部の深さおよび／または半径は、一体結合の場合に凹部９６１が結合部材６４８の突出面６４７を嵌め合い受容できるように変化し得ると考えられる。
【０１５７】
結合部材６４８および取り付け要素６５８、７５８、８５８、９５８の上述の構成は、突出面６４７および凹部６６１、７６１、８６１、９６１を有する取り付け要素６５８、７５８、８５８、９５８を備えた結合部材６４８を含んでいた。ただし、結合部材と取り付け要素との逆の関係も考えられる。図３０を参照して、この図は、結合部材１０４８に結合された取り付け要素１０５８の第９の構成の部分模式図である。取り付け要素１０５８は、近位面１０５９および反対の遠位面１０６５を含むヘッド１０６０を備えていてもよい。近位面１０５９は、大略凸状、半球状、または類似の湾曲形状を有するように構成されていてもよい。また、取り付け要素１０５８は、ヘッド１０６０の遠位面１０６５から遠位方向に延びたポスト１０６７を備えていてもよい。ポスト１０６７は、近位部１０６９および遠位部１０７１を備えていてもよい。上述の通り、近位部１０６９および遠位部１０７１は、異なる寸法を有していてもよい。たとえば、ポスト１０６７は、近位部１０６９が遠位部１０７１よりも大きな寸法を有し、ショルダを形成するように構成されていてもよい。少なくともポスト１０６７の遠位部１０７１は、フェイスシールド６１８の開口部６１９に嵌合して、取り付け要素１０５８をフェイスシールド６１８に結合するものとする。図３０に示す取り付け要素１０５８の例示的な構成がポスト１０６７を含み、近位部１０６９が遠位部１０７１よりも大きな寸法を有するものの、ポスト１０６７は、フェイスシールド６１８の開口部６１９に嵌合するように構成された単一の均一寸法を有していてもよい。ポスト１０６７の遠位部は、取り付け要素１０５８をフェイスシールド６１８に結合するように構成された保持機構１０７３をさらに備えていてもよい。保持機構１０７３としては、ナット、キャップ、摩擦嵌合、または類似のファスナが挙げられる。あるいは、遠位部１０７１の遠位端がキノコ状に広がって、保持機構１０７３を規定していてもよい。
【０１５８】
結合部材１０４８は、遠位面１０４７を備えていてもよく、この遠位面１０４７は、取り付け要素１０４８の近位面１０５９を受容する凹部１０６１を規定するように構成された凹状または類似の湾曲形状を有する。
【０１５９】
図３１を参照して、この図は、結合部材１１４８に結合された取り付け要素１１５８の第１０の構成の部分模式図である。取り付け要素１１５８は、近位面１１５９および反対の遠位面１１６５を含むヘッド１１６０を備えていてもよい。近位面１１５９は、平坦部１１６１を含む大略凸形状を有していてもよい。近位面１１５９は、平坦部１１６１が当該凸状近位面１１５９の頂点に近接して位置決めされるように構成されていてもよい。また、取り付け要素１１５８は、ヘッド１１６０の遠位面１１６５から遠位方向に延びたポスト１１６７を備えていてもよい。ポストは、近位部１１６９および遠位部１１７１を備えていてもよい。上述の通り、近位部１１６９および遠位部１１７１は、異なる寸法を有していてもよい。たとえば、ポスト１１６７は、近位部１１６９が遠位部１１７１よりも大きな寸法を有し、ショルダを形成するように構成されていてもよい。少なくともポスト１１６７の遠位部１１７１は、フェイスシールド６１８の開口部６１９に嵌合して、取り付け要素１１５８をフェイスシールド６１８に結合するように構成されるものとする。図３１に示す取り付け要素１１５８の例示的な構成がポスト１１６７を含み、近位部１１６９が遠位部１１７１よりも大きな寸法を有するものの、ポスト１１６７は、フェイスシールド６１８の開口部６１９に嵌合するように構成された単一の均一寸法を有していてもよい。ポスト１１６７の遠位部は、取り付け要素１１５８をフェイスシールド６１８に結合するように構成された保持機構１１７３をさらに備えていてもよい。保持機構１１７３としては、ナット、キャップ、摩擦嵌合、または類似のファスナが挙げられる。あるいは、遠位部１１７１の遠位端がキノコ状に広がって、保持機構１１７３を規定していてもよい。
【０１６０】
結合部材１１４８は、遠位面１１４７を備えていてもよく、この遠位面１１４７は、取り付け要素１１４８の近位面１１５９を受容する凹部１１６１を規定するように構成された凹状または類似の湾曲形状を有する。
【０１６１】
図３２を参照して、この図は、結合部材１２４８に結合された取り付け要素１２５８の第１１の構成の部分模式図である。取り付け要素１２５８は、近位面１２５９および反対の遠位面１２６５を含むヘッド１２６０を備えていてもよい。近位面１２５９は、大略凸状、半球状、または類似の湾曲形状を有していてもよい。また、取り付け要素１２５８は、ヘッド１２６０の遠位面１２６５から遠位方向に延びたポスト１２６７を備えていてもよい。図３２に示す取り付け要素１２５８の例示的な構成は、フェイスシールド６１８の開口部６１９に嵌合するように構成された単一の均一寸法を有するポスト１２６７を含む。ただし、上述の通り、ポスト１２６７は、近位部および遠位部を備えていてもよく、近位部が遠位部と異なる寸法を有して、ショルダを形成していてもよい。
【０１６２】
上述の通り、ポスト１２６７の遠位部は、取り付け要素１２５８をフェイスシールド６１８に結合するように構成された保持機構１２７３をさらに備えていてもよい。保持機構１２７３としては、ナット、キャップ、摩擦嵌合、または類似のファスナが挙げられる。あるいは、遠位部１２７１の遠位端がキノコ状に広がって、保持機構１２７３を規定していてもよい。
【０１６３】
結合部材１２４８は、遠位面１２４７を備えていてもよく、この遠位面１２４７は、取り付け要素１２４８の近位面１２５９を受容する凹部を規定するように構成された凹状または類似の湾曲形状を有する。
【０１６４】
図３３を参照して、この図は、結合部材１３４８に結合された取り付け要素１３５８の第１２の構成の部分模式図である。取り付け要素１３５８は、近位面１３５９および反対の遠位面１３６５を含むヘッド１３６０を備えていてもよい。近位面１３５９は、複数の平坦部１３６１Ａ、１３６１Ｂを含む大略凸形状を有していてもよい。近位面１３５９は、少なくとも１つの平坦部１３６１Ｂが当該凸状近位面１３５９の頂点に近接して位置決めされるように構成されていてもよい。別の平坦部１３６１Ａは、近位面１３５０および遠位面１３６５の交差点に近接してヘッド１３６０の外周に位置決めされていてもよい。また、取り付け要素１３５８は、ヘッド１３６０の遠位面１３６５から遠位方向に延びたポスト１３６７を備えていてもよい。図３３に示す取り付け要素１３５８の例示的な構成は、フェイスシールド６１８の開口部６１９に嵌合するように構成された単一の均一寸法を有するポスト１３６７を含む。ただし、上述の通り、ポスト１３６７は、近位部および遠位部を備えていてもよく、近位部が遠位部と異なる寸法を有して、ショルダを形成していてもよい。ポスト１３６７の遠位部は、取り付け要素１３５８をフェイスシールド６１８に結合するように構成された保持機構１３７３をさらに備えていてもよい。保持機構１３７３としては、ナット、キャップ、摩擦嵌合、または類似のファスナが挙げられる。あるいは、遠位部１３７１の遠位端がキノコ状に広がって、保持機構１３７３を規定していてもよい。
【０１６５】
結合部材１３４８は、遠位面１３４７を備えていてもよく、この遠位面１３４７は、取り付け要素１３５８の近位面１３５９を受容する凹部１３６１を規定するように構成された凹状または類似の湾曲形状を有する。
【０１６６】
図３０〜図３３に示す種々構成のそれぞれにおいて、取り付け部材１０５８、１１５８、１２５８、１３５８は、大略凸状、半球状、または類似の湾曲形状を有する近位面１０５９、１１５９、１２５９、１３５９を備え、相補結合部材１０４８、１１４８、１２４８、１３４８は、凹状または類似の湾曲形状を有する遠位面１０４７、１１４７、１２４７、１３４７を備える。上述の取り付け要素および結合部材の構成と同様に、図３０〜図３３の取り付け部材１０５８、１１５８、１２５８、１３５８および結合部材１０４８、１１４８、１２４８、１３４８の形状によれば、取り付け要素１０５８、１１５８、１２５８、１３５８は、結合部材１０４８、１１４８、１２４８、１３４８に対して枢動または回転可能である。これにより、取り付け要素１０５８、１１５８、１２５８、１３５８と結合部材１０４８、１１４８、１２４８、１３４８との間の磁気結合の強度を落とすことなく、さまざまな角度で取り付け要素１０５８、１１５８、１２５８、１３５８を結合部材１０４８、１１４８、１２４８、１３４８に結合可能となる。これにより、取り付け要素１０５８、１１５８、１２５８、１３５８を結合部材１０４８、１１４８、１２４８、１３４８から分離するのに必要な力が増大し得る。
【０１６７】
上述のサージカルアパレルシステムのいずれかを動作させる方法
【０１６８】
サージカルアパレルシステム１１０を動作させる方法は、上述のサージカルアパレルシステム１１０、６１０の任意の構成を用意するステップを含む。たとえば、この方法は、個人の頭部に装着されるように構成されたサージカルヘルメット１２０、６２０と、サージカルヘルメット１２０、６２０に対して取り外し可能に結合され、医療環境と着用者との間に微生物バリアを設けるように構成されたサージカルガーメント１１２、６１２とを用意するステップを含んでいてもよい。サージカルヘルメット１２０、６２０は、外科手術中に当該サージカルヘルメット１２０、６２０を着用している個人の動作を容易化するように構成された１つまたは複数の周辺機器１３０、６３０を備えていてもよい。また、サージカルヘルメット１２０、６２０は、サージカルガーメント１１２、６１２の当該サージカルヘルメット１２０、６２０への結合を検出するとともに、当該サージカルヘルメット１２０、６２０に結合されているサージカルガーメント１１２、６１２の有無に少なくとも部分的に基づいて信号を伝達するように構成された検出器１７０、２７０、３７０、４７０、５７０、６７０を備えていてもよい。また、コントローラ１８０、６８０がサージカルヘルメット１２０、６２０に結合され、検出器１７０、２７０、３７０、４７０、５７０、６７０および／または周辺機器１３０、６３０と連通するように構成されていてもよい。また、システム１１０、６１０は、サージカルヘルメット１２０、６２０と取り外し可能に相互接続された携帯型エネルギー源１８２を備えていてもよい。携帯型エネルギー源１８２は、コントローラ１８０と連通するように構成されていてもよい。
【０１６９】
この方法は、携帯型エネルギー源１８２のシステム１１０、６１０への取り付けまたは結合を行うステップをさらに含んでいてもよい。たとえば、バッテリパック等のエネルギー源１８２がサージカルヘルメット１２０、６２０のバッテリ受容部に結合されるか、あるいは、サージカルヘルメット１２０、６２０と電気的に連通されるようになっていてもよい。
【０１７０】
この方法は、検出器１７０、２７０、３７０、４７０、５７０、６７０を利用して、サージカルガーメント１１２、６１２がサージカルヘルメット１２０、６２０に結合されたかを検出および／または判定する別のステップを含んでいてもよい。これは、上述の検出器１７０、２７０、３７０、４７０、５７０、６７０の種々構成または本明細書において具体的に説明していない他の構成のいずれかを用いて実現され得る。たとえば、サージカルヘルメット１２０に結合されているサージカルガーメント１１２の有無は、検出器１７０の第１の構成を用いて実現されるようになっていてもよく、第１の部材１５４は、結合機構１４６の遠位面１４７に対する取り付け要素１５８の近接性に少なくとも部分的に基づいて、検出器１７０のトグル部材１７２に対して選択的に係合するように構成されている。あるいは、サージカルヘルメット１２０に結合されているサージカルガーメント１１２の有無は、検出器２７０の第２の構成を用いて実現されるようになっていてもよく、第１の部材２５４は、結合機構２４６の遠位面２４７に対する取り付け要素１５８の近接性に少なくとも部分的に基づいて、第１の領域と第２の領域との間で選択的に移動するように構成されている。さらに別の例において、サージカルヘルメット６２０に結合されているサージカルガーメント６１２の有無は、取り付け要素および結合部材の検出器６７０との組み合わせのうちの１つを用いて実現されるようになっていてもよく、検出器６７０は、結合部材６４８、７４８、８４８、９４８、１０４８に対する取り付け要素６５８、７５８、８５８、９５８、１０５８、１１５８、１２５８、１３５８の近接性に基づいて、結合部材６４８、７４８、８４８、９４８、１０４８を囲む磁界の変化を検知または検出するように構成されている。
【０１７１】
この方法は、サージカルガーメント１１２、６１２がサージカルヘルメット１２０、６２０に結合されたことを検出器１７０、２７０、３７０、４７０、５７０、６７０が示すかに少なくとも部分的に基づいて、周辺機器１３０、６３０の動作特性を制御するステップをさらに含んでいてもよい。コントローラ１８０は、周辺機器１３０、６３０の１つまたは複数の動作特性を選択的に制御するように構成されていてもよい。コントローラ１８０は、エネルギー源１８２への電力の伝送および／またはエネルギー源１８２から周辺機器１３０、６３０への電力の伝送を制御（たとえば、許可）するように構成されていてもよい。言い換えると、コントローラ１８０は、周辺機器１３０、６３０を起動可能であるか否かを制御するようにしても良い。また、周辺機器１３０、６３０の最大および／または最小動作速度を制御するステップを含んでいてもよい。たとえば、コントローラ１８０は、サージカルガーメント１１２、６１２がサージカルヘルメット１２０、６２０に結合されたことを検出器１７０、２７０、３７０、４７０、５７０、６７０が示すまで、エネルギーの伝送の阻止および／または周辺機器１３０、６３０に伝送されるエネルギーの量の制限（電圧の制限等による）を行うように構成されていてもよい。
【０１７２】
上述の通り、システム１１０、６１０のサージカルヘルメット１２０、６２０は、当該サージカルヘルメット１２０、６２０に結合され、コントローラ１８０と連通したメモリデバイス１８４をさらに備えていてもよい。メモリデバイス１８４は、周辺機器１３０、６３０の動作と関連するデータを格納するように構成されていてもよい。メモリデバイス１８４上のデータは、ファン速度、冷却強度、および／または照明オン等、周辺機器の現在の動作設定を含んでいてもよい。また、メモリデバイス１８４上のデータは、サージカルヘルメット１２０、６２０の周辺機器１３０、６３０それぞれの最大および最小の動作条件を含んでいてもよい。
【０１７３】
また、上述の通り、システム１１０、６１０は、コントローラ１８０および／またはエネルギー源１８２と連通したエネルギーセンサ１８６を備えていてもよい。エネルギーセンサ１８６は、エネルギー源１８２の検出した特性に基づいて、エネルギー源１８２の特性を検出するとともに、エネルギー信号をコントローラ１８０に伝達するように構成されていてもよい。たとえば、エネルギーセンサ１８６は、残存電力が閾値を下回った場合に、エネルギー信号をコントローラ１８０に伝達するように構成されていてもよい。閾値は、コントローラ１８０により設定されていてもよいし、ユーザにより設定されていてもよい。たとえば、エネルギーセンサ１８６は、残存電力レベルが１５パーセント（％）を下回った場合に、エネルギー信号をコントローラ１８０に伝達するように構成されていてもよい。
【０１７４】
この方法は、サージカルガーメント１１２、６１２の少なくとも一部がサージカルヘルメット１２０、６２０の上方に配設されるように、サージカルガーメント１１２、６１２をサージカルヘルメット１２０、６２０に結合するステップをさらに含んでいてもよい。サージカルガーメント１１２、６１２は、上述の取り付け要素１５８、５５８、６５８、７５８、８５８、９５８、１０５８、１１５８、１２５８、１３５８、結合部材１４８、６４８、７４８、８４８、９４８、１０４８、および結合機構１４６、２４６、３４６、４４６、５４６の構成、または具体的に説明していない他の構成のいずれかを用いて、サージカルヘルメット１２０、６２０に結合されていてもよい。これは、サージカルヘルメット１２０、６２０の結合部材１４８、６４８、７４８、８４８、９４８、１０４８および／または結合機構１４６、２４６、３４６、４４６、５４６に隣接してサージカルガーメント１１２、６１２の取り付け要素１５８、５５８、６５８、７５８、８５８、９５８、１０５８、１１５８、１２５８、１３５８を配置することを含む。
【０１７５】
エネルギー源１８２のシステム１１０、６１０への接続に際して、この方法は、エネルギー源１８２の残存電力レベル等、エネルギー源１８２の特性を示すエネルギーセンサ１８６からのエネルギー信号をコントローラ１８０に伝達するステップをさらに含んでいてもよい。そして、この方法は、エネルギー信号に基づいて、周辺機器１３０、６３０の少なくとも１つのユーザ設定を格納するステップを含んでいてもよい。たとえば、コントローラ１８０は、残存電力レベルの１０パーセント（％）きざみの低下を示すエネルギー信号の発生ごと等、エネルギー信号に基づいて、周辺機器１３０、６３０の少なくとも１つのユーザ設定を格納するように構成されていてもよい。あるいは、コントローラ１８０は、電力残存の１５パーセント（％）の低下等、残存電力レベルが閾値を下回ったことをエネルギー信号が示す場合に、周辺機器１３０、６３０の少なくとも１つのユーザ設定を格納するように構成されていてもよい。コントローラ１８０は、周辺機器１３０、６３０の現在のユーザ設定をメモリデバイス１８４に格納するように構成されていてもよい。より一般的に、この機能によれば、バッテリが低電力状態に入る前または動作しなくなる前に、周辺機器１３０、６３０のユーザ設定を格納することができる。
【０１７６】
この方法は、サージカルガーメント１１２、６１２がサージカルヘルメット１２０、６２０に結合されている間に、エネルギー源１８２を第２のエネルギー源１８２と交換するステップをさらに含んでいてもよい。コントローラ１８０は、第２のエネルギー源１８２がシステム１１０、６１０に接続されたら、最も新しく格納されたユーザ設定等、メモリデバイス１８４から周辺機器１３０、６３０へのユーザ設定に基づいて、信号を周辺機器１３０に供給するように構成されていてもよい。さらに、コントローラ１８０は、エネルギー源１８２の交換後、最も新しく格納されたユーザ設定に基づいて、周辺機器１３０、６３０を再起動するように構成されていてもよい。これは、エネルギー源１８２が交換される間、サージカルガーメント１１２、６１２がサージカルヘルメット１２０、６２０に結合され続けていたことを示す検出器１７０、６７０からの信号によって決まり得る。すなわち、コントローラは、第１または第２のエネルギー源が当該コントローラと連通している間に、ガーメントがサージカルヘルメット１２０、６２０から分離されたことを示す検出器からの信号を受信していない。たとえば、ユーザが換気アセンブリ等の周辺機器１３０、６３０を第３のファン速度設定で動作させている場合、コントローラ１８０は、第２のエネルギー源１８２が接続されたら、換気アセンブリ１３０、６３０を第３のファン速度設定で再起動するように構成されていてもよい。このシステムの構成には、検出器１７０、２７０、３７０、４７０、５７０、６７０と連通し、エネルギー源１８２が切り離されている間に電力を検出器１７０、２７０、３７０、４７０、５７０、６７０に対して一時的に供給するように構成されたキャパシタまたは補助バックアップエネルギー源をさらに含んでいてもよい。これにより、検出器１７０、２７０、３７０、４７０、５７０、６７０は、サージカルガーメント１１２、６１２がサージカルヘルメット１２０、６２０に結合され続けているかを示す特性を引き続き検出可能となる。
【０１７７】
また、この方法は、サージカルガーメント１１２、６１２がサージカルヘルメット１２０、６２０から分離されるか、もしくは、サージカルヘルメット１２０、６２０に結合されていないこと、ならびに／または、エネルギー源１８２もしくは後続のエネルギー源１８２がシステム１１０、６１０から切り離されたことを検出器１７０、２７０、３７０、４７０、５７０、６７０が示す場合に、メモリデバイス１８４に格納された周辺機器１３０のユーザ設定を消去するステップを含んでいてもよい。サージカルガーメント１１２、６１２およびエネルギー源１８２の両者がサージカルヘルメット１２０、６２０から取り外されたら、周辺機器１３０、６３０の動作と関連する格納済みのユーザ設定がメモリデバイス１８４からクリアされ、周辺機器１３０、６３０がそれぞれの初期設定へとリセットされるようになっていてもよい。
【０１７８】
別の例示的な構成において、この方法は、周辺機器１３０、６３０のユーザ設定をメモリデバイス１８４に格納するステップと、エネルギー源１８２がコントローラ１８０と連通している間に、サージカルガーメント１１２、６１２をサージカルヘルメット１２０、６２０から分離するステップとをさらに含んでいてもよい。コントローラ１８０は、サージカルガーメント１１２、６１２がサージカルヘルメット１２０、６２０から分離されたものと検出器１７０、２７０、３７０、４７０、５７０、６７０が判定した場合に、周辺機器１３０、６３０への電力の供給を停止するようにしてもよい。第１のサージカルガーメント１１２、６１２を取り外した後、エネルギー源１８２がコントローラ１８０と連通し続けている間に、第２のサージカルガーメント１１２、６１２がサージカルヘルメット１２０、６２０に結合されるようになっていてもよい。コントローラ１８０は、第２のサージカルガーメント１１２、６１２のサージカルヘルメット１２０、６２０との結合後に、最も新しく格納されたユーザ設定をメモリデバイス１８４から周辺機器１３０、６３０に伝達するように構成されていてもよい。このため、コントローラ１８０は、第１のサージカルガーメント１１２、６１２の取り外しに先立ち、最も新しく格納された設定に基づいて、周辺機器１３０、６３０を再起動するように構成されていてもよい。
【０１７９】
この方法は、サージカルガーメント１１２、６１２がサージカルヘルメット１２０、６２０から分離され、エネルギー源１８２がサージカルヘルメット１２０、６２０から切り離されたことを検出器１７０、２７０、３７０、４７０、５７０、６７０がコントローラ１８０に示す場合に、メモリデバイス１８４に格納された周辺機器１３０、６３０のユーザ設定を消去するステップをさらに含んでいてもよい。この場合は、周辺機器１３０、６３０をそれぞれの初期設定へと復元またはリセットするようにしてもよい。
【０１８０】
さらに別の例示的な構成において、このシステムは、サージカルガーメント１１２、６１２の１つまたは複数の構成と関連するデータを格納するように構成されたメモリデバイス１８４を備えていてもよい。この方法は、検出器１７０、２７０、３７０、４７０、５７０、６７０を用いて、サージカルヘルメット１２０、６２０に結合されたサージカルガーメント１１２、６１２の複数の構成のうちの１つを識別するステップと、サージカルガーメント１１２、６１２の識別した構成をコントローラ１８０に伝達するステップと、サージカルガーメント１１２、６１２の識別した構成に少なくとも部分的に基づいて、周辺機器１３０、６３０の少なくとも１つの動作特性と関連するコマンドを伝達するステップとを含んでいてもよい。たとえば、コントローラ１８０は、サージカルヘルメット１２０、６２０に結合されたサージカルガーメント１１２、６１２の布１１４／１１６、６１４／６１６の厚さまたは密度に基づいて、周辺機器１３０、６３０の動作特性を制御するように構成されていてもよい。これには、高密度のフィルタ布１１６、６１６材料を含むサージカルガーメント１１２、６１２がサージカルヘルメット１２０、６２０に結合された場合に、換気アセンブリ１３０、６３０等の周辺機器１３０、６３０の速度を増大させることを含んでいてもよい。
【０１８１】
システム１１０、６１０を動作させる別の例示的な方法において、この方法は、サージカルガーメント１１２、６１２の少なくとも一部がサージカルヘルメット１２０、６２０の上方に配設されるように、サージカルガーメント１１２、６１２をサージカルヘルメット１２０、６２０に結合するステップを含んでいてもよい。この方法は、サージカルガーメント１１２、６１２がサージカルヘルメット１２０、６２０に結合されたことを示す信号を検出器１７０、２７０、３７０、４７０、５７０、６７０から受信するステップと、信号を検出器１７０、２７０、３７０、４７０、５７０、６７０から受信した後に、規定の第１の期間にわたって、エネルギー源１８２から周辺機器１３０、６３０への電力の伝送を遅延させるステップをさらに含んでいてもよい。言い換えると、コントローラ１８０は、サージカルガーメント１１２、６１２がサージカルヘルメット１２０、６２０に結合され、第１の期間が経過した後にのみ、電力を周辺機器１３０、６３０に伝送するように構成されている。第１の期間の長さは、ユーザの選好または周辺機器１３０、６３０への電力の伝送に先立ってタスクを完遂するのに必要と予想される時間に基づいて調整されるようになっていてもよい。たとえば、コントローラ１８０は、サージカルガーメント１１２、６１２がサージカルヘルメット１２０、６２０に結合されたことを示す検出器１７０、２７０、３７０、４７０、５７０、６７０からの信号の後、５秒間にわたって、エネルギー源１８２から周辺機器１３０、６３０へのエネルギーの伝送を遅延させるように構成されていてもよい。これにより、換気アセンブリ等の周辺機器１３０、６３０の動作の開始に先立って、着用者は追加時間により、サージカルガーメント１１２、６１２の適当な取り付けおよび／または調整が可能となり得る。これにより、適当な無菌バリアが整う前に微生物が手術室で循環することが防止され得る。
【０１８２】
また、この方法は、サージカルヘルメット１２０、６２０からサージカルガーメント１１２、６１２を分離するステップを含んでいてもよい。この方法は、サージカルガーメント１１２、６１２がサージカルヘルメット１２０、６２０から分離されたことを示す信号を検出器１７０、２７０、３７０、４７０、５７０、６７０から受信するステップと、信号を検出器１７０、２７０、３７０、４７０、５７０、６７０から受信した後に、規定の第２の期間にわたって、前記周辺機器１３０、６３０への電力の伝送を継続するステップを含んでいてもよい。たとえば、コントローラ１８０は、サージカルガーメント１１２、６１２がサージカルヘルメット１２０、６２０から分離されたことを示す検出器１７０、２７０、３７０、４７０、５７０、６７０からの信号の後、５秒間にわたって、エネルギー源１８２から周辺機器１３０、６３０へのエネルギーの伝送を継続するように構成されていてもよい。これにより、サージカルガーメント１１２、６１２を取り外して周辺機器１３０、６３０から一切のごみをクリアした後、換気アセンブリ等の周辺機器１３０、６３０は、一時的に動作し続けることが可能となり得る。
【０１８３】
付加的な特徴、構成要素、および／またはサブアセンブリが上述のサージカルアパレルシステム１０、１１０、６１０のいずれかととともに取り入れられるようになっていてもよし、組み合わされるようになっていてもよい。サージカルアパレルシステムと併用される多くの一般的構成要素を図３４、図３５、および図３６に示すとともに、一般的システム１４１０に関して以下に説明する。以下に述べられる一般的システム１４１０の構成要素および／または特徴のいずれかが上述のサージカルアパレルシステム１０、１１０、６１０のいずれかととともに取り入れおよび／または組み合わされるようになっていてもよいことが了解されるものとする。
【０１８４】
システム１４１０は、サージカルヘルメット１４２０に結合され、コントローラ１４８０と連通した送受信機１４９０をさらに備えていてもよい。コントローラ１４８０は、送受信機１４９０に対して動作可能に結合され、送受信機１４９０との間でデータを伝達するように構成されていてもよい。
【０１８５】
システム１４１０は、サージカルガーメント１４１２に取り付けられた電磁タグ１４９２をさらに備えていてもよい。たとえば、電磁タグ１４９２としては、特定のサージカルガーメント１４１２と関連する識別情報を含むように構成されたＲＦＩＤタグまたは類似のタグが挙げられる。電磁タグ１４９２は、サージカルガーメント１４１２上の任意の場所に位置決めされていてもよい。たとえば、電磁タグ１４９２は、サージカルガーメント１４１２のフィルタ布１４１６に取り付けられていてもよい。あるいは、電磁タグ１４９２は、サージカルガーメント１４１２のサージカル布１４１４に取り付けられていてもよいし、サージカルガーメント１４１２のコントローラハウジングに取り付けられていてもよい。一構成において、タグ１４９２は、着用者側でサージカルガーメント１４１２に取り付けられて、サージカルガーメント１４１２により規定されるバリアの環境側に非無菌または汚染アイテムが導入される可能性を抑えるようにしてもよい。あるいは、タグ１４９２は、サージカルガーメント１４１２により規定されるバリアの環境側でサージカルガーメント１４１２に取り付けられていてもよいと考えられる。
【０１８６】
電磁タグ１４９２は、サージカルヘルメット１４２０に結合された送受信機１４９０に対して、特定のサージカルガーメント１４１２と関連する情報等の情報を伝送あるいは伝達するように構成されていてもよい。例示的な一構成において、電磁タグ１４９２は、データの伝送のリクエスト等、送受信機１４９０からの信号の受信に際して起動するように構成されていてもよい。電磁タグ１４９２は、その起動に際して、当該電磁タグ１４９２と関連付けられたサージカルガーメント１４１２と関連するデータを含む信号を送受信機１４９０に送り返すようにしてもよい。この構成において、送受信機１４９０は、データの伝送を要求する信号をアクティブにブロードキャストするように構成されていてもよい。信号は、送受信機１４９０から規定の距離までブロードキャストされるようになっていてもよく、また、電磁タグ１４９２は、送受信機１４９０から規定の距離内にある場合、サージカルガーメント１４１２と関連するデータを含むリターン信号を送信するように構成されていてもよい。例示的な一構成において、電磁タグ１４９２は、サージカルガーメント１４１２がサージカルヘルメット１４２０に取り付けられた場合に、送受信機１４９０にごく近接して位置決めされ得るように、サージカルガーメント１４１２上で位置決めされていてもよい。この配置によれば、サージカルガーメント１４１２およびサージカルヘルメット１４２０が相互に結合された場合に、電磁タグ１４９２から送受信機１４９０へのデータの伝送が可能となり得る。たとえば、電磁タグ１４９２および送受信機１４９０の例示的な配置では、電磁タグ１４９２がフィルタ布１４１６に取り付けられ、送受信機１４９０がサージカルヘルメット１４２０のシェル１４３２に入れられていてもよい。
【０１８７】
上述の通り、電磁タグ１４９２は、特定のサージカルガーメント１４１２を識別するシリアル番号等、サージカルガーメント１４１２と関連するデータおよび／または識別子を格納するように構成されていてもよい。また、電磁タグ１４９２は、当該電磁タグ１４９２と関連付けられたサージカルガーメント１４１２の種類を識別する情報を格納するように構成されていてもよい。また、電磁タグ１４９２は、サージカルガーメント１４１２のサイズ、布の種類、サージカルガーメント１４１２がフードであるかトーガであるか等、サージカルヘルメット１４２０に取り付けられた特定のサージカルガーメント１４１２の特性に基づいて、サージカルヘルメット１４２０の周辺機器１４３０の動作に最適な周辺機器１４３０の動作パラメータに関するデータを格納するようにしてもよい。
【０１８８】
ヘルメット１４２０の送受信機１４９０は、コントローラ１４８０に対して動作可能に接続されていてもよく、電磁タグ１４９２から受信されたデータおよび／または情報をコントローラ１４８０に送信するように構成されている。上述の通り、電磁タグ１４９２から受信された情報は、個々のサージカルガーメント１４１２の識別子と関連していてもよい。コントローラ１４８０は、サージカルヘルメット１４２０の１つまたは複数の周辺機器１４３０にも接続されているが、サージカルガーメント１４１２と関連する送受信機１４９０から受信された情報に少なくとも部分的に基づいて、動作コマンドを周辺機器１４３０に伝達するように構成されていてもよい。たとえば、コントローラ１４８０は、サージカルガーメント１４１２の電磁タグ１４９２を識別する送受信機１４９０により確認されるように、サージカルガーメント１４１２がサージカルヘルメット１４２０に組み付けられた後にのみ、サージカルヘルメット１４２０の周辺機器１４３０を作動させる動作コマンドを生成するように構成されていてもよい。言い換えると、コントローラ１４８０は、サージカルガーメント１４１２で読み取られる好適な識別子に対応する信号を送受信機１４９０が送信するまで、動作コマンドの生成ならびに／または周辺機器１４３０のうちの１つもしくは複数へのエネルギーの伝送が防止されるようになっていてもよい。サージカルガーメント１４１２がサージカルヘルメット１４２０に近接して配置されたら送受信機１４９０が電磁タグ１４９２を読み取るため、サージカルガーメント１４１２のサージカルヘルメット１４２０上への配置に先立って作動する換気アセンブリ１４３０等の周辺機器１４３０をサージカルアパレルシステム１４１０に設けることと関連付けられた不都合が取り除かれる。結合機構１４６、２４６、３４６、４４６の機能に関して上述した通り、取り除かれる不都合として、換気アセンブリ１４３０が有用に作用してない場合に換気アセンブリ１４３０により生成されるノイズの発生が挙げられる。サージカルガーメント１４１２のサージカルヘルメット１４２０への組み付けに先立って周辺機器１４３０の作動を阻止することにより取り除かれ得る第２の不都合として、周辺機器１４３０の作動が不要な場合のエネルギー源１８２の電荷の引き下げが挙げられる。
【０１８９】
別の例示的な構成において、サージカルヘルメット１４２０と併用される着用可能なサージカルガーメント１４１２は、当該サージカルガーメント１４１２と関連するデータを格納するように構成された電磁タグ１４９２をさらに備えていてもよい。電磁タグ１４９２は、当該電磁タグ１４９２およびサージカルヘルメット１４２０の送受信機１４９０（電磁リーダとも称し得る）が相互にある程度近接している場合に、前記送受信機１４９０とデータを交換するように構成されていてもよい。サージカルガーメント１４１２と関連する電磁タグ１４９２上の格納データは、サージカルガーメント１４１２に固有の識別子を含んでいてもよい。サージカルヘルメット１４２０の周辺機器１４３０の動作は、格納された識別子に少なくとも部分的に基づいていてもよい。前記サージカルガーメント１４１２と関連する電磁タグ１４９２上の格納データには、サージカルガーメント１４１２がサージカルヘルメット１４２０に結合済みであるかを示す使用データをさらに含んでいてもよい。また、使用データは、過去にサージカルガーメント１４１２がサージカルヘルメット１４２０に結合された回数を示していてもよい。前記サージカルガーメント１４１２と関連する電磁タグ１４９２上の格納データには、サージカルガーメント１４１２が前記サージカルヘルメット１４２０と適合するかを示す認証データをさらに含んでいてもよい。認証データとしては、サージカルガーメント１４１２のサイズ、ガーメントの種類、ガーメントの製造業者等が挙げられる。さらに、サージカルガーメント１４１２と関連する格納データとしては、前記サージカルヘルメット１４２０の周辺機器１４３０の動作コマンドの生成に利用されるデータを含み、少なくともその生成の基準となる動作データが挙げられる。動作データには、サージカルガーメント１４１２の特性に基づくサージカルヘルメット１４２０の周辺機器１４３０の特定の動作モードを含んでいてもよい。たとえば、特定のサージカルガーメント１４１２と関連する電磁タグ１４９２に格納された動作データには、サージカルガーメント１４１２の特性に基づく周辺機器１４３０それぞれの最小および最大の設定情報を含んでいてもよい。サージカルガーメント１４１２と関連する格納データには、サージカルガーメント１４１２の使用の識別および／または追跡に利用される識別子をさらに含んでいてもよい。たとえば、識別子には、サージカルガーメント１４１２に固有のシリアル番号を含んでいてもよいため、サージカルガーメント１４１２の使用および場所が追跡され得る。コントローラ１４８０は、サージカルガーメント１４１２と関連する使用データが、当該特定のサージカルガーメント１４１２の使用が所定の使用回数または閾値使用回数（たとえば、１回）を超えていることを示す場合に、周辺機器１４３０の動作を阻止するようにしてもよい。あるいは、コントローラ１４８０は、周辺機器１４３０の動作を阻止するように構成される前に、特定種類のサージカルガーメント１４１２が複数回（たとえば、３回）着用され得るように構成されていてもよい。
【０１９０】
別の例示的な構成において、サージカルアパレルシステム１４１０は、着用者の頭部に装着されるサージカルヘルメット１４２０を備えていてもよい。サージカルヘルメット１４２０は、周辺機器１４３０および送受信機１４９０を備えていてもよい。システム１４１０は、前記サージカルヘルメット１４２０の上方に少なくとも一部が配設され、医療環境と着用者との間に微生物バリアを設けるように構成されたサージカル布２１４／２１６を備えたサージカルガーメント１４１２をさらに備えていてもよい。電磁タグ１４９２がサージカルガーメント１４１２に結合されていてもよく、この電磁タグ１４９２は、サージカルガーメント１４１２と関連する識別子を格納するように構成されていてもよい。アンテナが送受信機１４９０に対して動作可能に結合され、電磁タグ１４９２と連通して、サージカルガーメント１４１２と関連する識別子を受信するように構成されていてもよい。サージカルアパレルシステム１４１０は、周辺機器１４３０および送受信機１４９０に対して動作可能に結合されたコントローラ１４８０をさらに備えていてもよい。コントローラ１４８０は、サージカルガーメント１４１２と関連する識別子に少なくとも部分的に基づいて、動作コマンドを周辺機器１４３０に伝達するように構成されていてもよい。電磁タグ１４９２は、サージカルガーメント１４１２の使用データを格納および送信するように構成されていてもよく、また、コントローラ１４８０は、サージカルガーメント１４１２がサージカルヘルメット１４２０に着用済みであるかを判定するように構成されていてもよい。コントローラ１４８０は、格納された使用データに少なくとも部分的に基づいて、サージカルガーメント１４１２が着用済みである場合は、周辺機器１４３０の作動を阻止するように構成されていてもよい。また、電磁タグ１４９２は、サージカルガーメント１４１２の認証データを格納するように構成されていてもよく、また、コントローラ１４８０は、サージカルガーメント１４１２がサージカルヘルメット１４２０と適合するかを判定するように構成されていてもよい。コントローラ１４８０は、格納された認証データに少なくとも部分的に基づいて、サージカルガーメント１４１２がサージカルヘルメット１４２０と適合しない場合は、周辺機器１４３０の作動を阻止するように構成されていてもよい。識別子がサージカルガーメント１４１２の種類と関連する場合、コントローラ１４８０は、サージカルヘルメット１４２０に取り付けられたサージカルガーメント１４１２の種類に少なくとも部分的に基づいて、周辺機器１４３０の動作モードを決定する（動作コマンドを生成する）ように構成されていてもよい。たとえば、コントローラ１４８０は、サージカルヘルメット１４２０に取り付けられたサージカルガーメント１４１２の種類に少なくとも部分的に基づいて、周辺機器１４３０への電力出力を増減するように構成されていてもよい。周辺機器１４３０が換気アセンブリである例示的な一構成において、コントローラ１４８０は、サージカルガーメント１４１２の種類が厚手の布１４１４／１４１６を含む場合および／または大型サイズである場合（サージカルガーメント１４１２の下側の空間容積が大きいことを暗示する）、前記換気アセンブリへの電力出力を増大させるように構成されていてもよい。
【０１９１】
また、送受信機１４９０は、サージカルヘルメット１４２０のメモリデバイス１８４に結合されていてもよい。メモリデバイス１８４は、サージカルガーメント１４１２の電磁タグ１４９２から受信されたデータを格納するように構成されていてもよい。メモリデバイス１８４に格納された情報は、過去に着用されたサージカルガーメント１４１２がサージカルヘルメット１４２０に再び取り付けられたタイミングの識別に利用されるようになっていてもよい。たとえば、着用者によって、サージカルガーメント１４１２がサージカルヘルメット１４２０に取り付けられていてもよい。メモリデバイス１８４は、サージカルガーメント１４１２の電磁タグ１４９２から受信されたデータ（シリアル番号、識別子、型式番号、ガーメント特性、または類似の情報）を格納し、後で使用できるように構成されていてもよい。メモリデバイス１８４に格納されたデータは、過去に着用されたサージカルガーメント１４１２が後でサージカルヘルメット１４２０に再び取り付けられた場合に、周辺機器１４３０の動作の阻止に利用されるようになっていてもよい。たとえば、動作において、サージカルガーメント１４１２がサージカルヘルメット１４２０に取り付けられ、送受信機１４９０がサージカルガーメント１４１２の電磁タグ１４９２からデータを受信した場合、メモリデバイス１８４がデータを格納することになる。このデータには、シリアル番号等の識別特性を含んでいてもよい。着用者が同じサージカルガーメント１４１２をサージカルヘルメット１４２０に再び取り付けようとした場合、送受信機１４９０が電磁タグ１４９２からデータを受信した際には、メモリ１８４がすでに同じデータを含んでいることになる。送受信機１４９０がメモリデバイス１８４からコントローラ１４８０にデータを移動させた場合、コントローラ１４８０は、サージカルガーメント１４１２に関する２回目のデータ入力を認識するように構成されていてもよい。サージカルガーメント１４１２に関する２回目の入力の認識に際して、コントローラ１４８０は、新たなサージカルガーメント１４１２がサージカルヘルメット１４２０に取り付けられるまで、周辺機器１４３０の動作を阻止するように構成されていてもよい。
【０１９２】
システム１４１０のエネルギー源または電源１８２は、医療処置中に使い果たしてしまう可能性があり、システムが再起動した場合に、再利用のサージカルガーメント１４１２の誤判定識別が発生する可能性もある。たとえば、システム１４１０のバッテリ等のエネルギー源１８２を手術の途中で使い果たしてしまった場合は、新たなバッテリが取り付けられ、電磁タグ１４９２から送受信機１４９０に新たな信号が送信される際に、取り付けられたサージカルガーメント１４１２が使用済みであることをメモリ１８４が示す可能性が高い。上述の通り、このシナリオにおいて、コントローラ１４８０は、周辺機器１４３０の動作を阻止するように構成されていてもよい。サージカルガーメント１４１２の誤判定識別に基づく周辺機器１４３０の非動作を防止するため、システム１４１０は、コントローラ１４８０に対して動作可能に結合され、エネルギーを貯蔵するように構成されたキャパシタをさらに備えていてもよい。コントローラ１４８０は、キャパシタが現時点でエネルギーを貯蔵している場合、システム１４１０のエネルギー源１８２が取り外されたばかりであるものと識別するように構成されていてもよい。エネルギー源１８２が取り外されたばかりであるとの識別に基づいて、コントローラ１４８０は、サージカルガーメント１４１２が着用済みであることをメモリデバイス１８４からのデータが暗示していても、周辺機器１４３０の動作を許可するように構成されていてもよい。また、コントローラ１４８０は、サージカルガーメント１４１２がサージカルヘルメット１４２０に取り付けられたと識別される第１の瞬間とサージカルガーメント１４１２がサージカルヘルメット１４２０に取り付けられたと識別される第２の瞬間との間の時間に基づいて、サージカルガーメント１４１２が着用済みであることをメモリデバイス１８４からのデータが暗示していても、周辺機器１４３０の動作を許可するように構成されていてもよい。たとえば、コントローラ１４８０は、サージカルガーメント１４１２が取り付けられた第１の瞬間とサージカルガーメント１４１２が取り付けられた第２の瞬間との間の時間が２時間未満であるものと識別した場合、周辺機器１４３０の動作を許可するように構成されていてもよく、第１の瞬間と第２の瞬間との間の時間が２時間超の場合は、着用されたサージカルガーメント１４１２により、周辺機器１４３０の動作を阻止するようにしてもよい。ただし、この時間は、１時間、２４時間等、サージカルガーメント１４１２の使用に基づいて、所与の産業で十分に適当となるように設定されていてもよい。
【０１９３】
システム１４１０の他の構成では、サージカルガーメント１４１２がサージカルヘルメット１４２０に取り付けられた場合にのみ換気アセンブリ等の周辺機器１４３０が作動し得るように、さまざまなサブアセンブリを有していてもよい。たとえば、サージカルヘルメット１４２０は、上述の検出器１７０、２７０、３７０、４７０、５７０、６７０のほか、付加的および／または代替的なガーメント検出器を備えていてもよいことが了解されるものとする。ガーメント検出器としては、サージカルガーメント１４１２のサージカルヘルメット１４２０への取り付けを検出するように構成された圧力センサ、負荷センサ、または同様の種類のセンサが挙げられる。たとえば、下顎バー１４２４は、サージカルガーメント１４１２のサージカルヘルメット１４２０への取り付けを検出するように構成された圧力センサの形態のガーメント検出器を備えていてもよい。
【０１９４】
システム１４１０の別の例示的な構成において、このシステム１４１０は、エネルギー源１８２がサージカルヘルメット１４２０に取り付けられたら、コントローラ１４８０が所定の期間にわたって周辺機器１４３０を起動し得るように構成されていてもよい。これにより、コントローラ１４８０は、ステータス確認を完了して、周辺機器１４３０が適正に機能していることを確認可能となり得る。コントローラ１４８０は、ステータス確認を完了したら、サージカルガーメント１４１２がサージカルヘルメット１４２０に取り付けられたことを示す信号をガーメント検出器から受信するまで、周辺機器１４３０の別途作動を一切阻止するように構成されていてもよい。コントローラ１４８０は、サージカルガーメント１４１２がサージカルヘルメット１４２０に取り付けられたことを示す信号をガーメント検出器から受信したら、エネルギー源１８２から周辺機器１４３０へのエネルギーの伝送を可能にする動作コマンドを生成するように構成されていてもよい。
【０１９５】
たとえば、動作において、着用者は、換気アセンブリ等の周辺機器１４３０を含むサージカルヘルメット１４２０を頭部に載置するとともに、エネルギー源１８２をサージカルヘルメット１４２０に取り付けるようにしてもよい。そして、コントローラ１４８０は、換気アセンブリ１４３０を作動させて、換気アセンブリ１４３０が適正に作動していることを確認するようにしてもよい。その後、コントローラ１４８０は、換気アセンブリ１４３０の動作を停止させてもよい。次に、着用者は、サージカルガーメント１４１２をサージカルヘルメット１４２０に取り付けるようにしてもよい。サージカルガーメント１４１２のサージカルヘルメット１４２０への取り付けは、上述の通り、サージカルガーメント１４１２上のＲＦＩＤタグ１４９２等の電磁タグの存在を検出するように構成された圧力センサ、スイッチ、もしくは送受信機１４９０、または類似の検出器により検出されるようになっていてもよい。そして、検出器は、信号をコントローラ１４８０に送信して、サージカルガーメント１４１２がサージカルヘルメット１４２０に取り付けられたことを確認するようにしてもよい。その後、コントローラ１４８０は、換気アセンブリ１４３０を作動させてもよい。
【０１９６】
システム１４１０のさらに別の構成において、サージカルガーメント１４１２およびサージカルヘルメット１４２０はそれぞれ、相補導体を備えていてもよい。サージカルガーメント１４１２がサージカルヘルメット１４２０に取り付けられた場合は、サージカルガーメント１４１２と一体の導体がサージカルガーメント１４１２とサージカルヘルメット１４２０との接続を閉じる。たとえば、サージカルガーメント１４１２の導体は、フェイスシールド１４１８と一体的に形成されていてもよく、相補導体が下顎バー１４２４に具備されて、フェイスシールド１４１８の導体が下顎バー１４２４中の導体に係合した際に回路が閉じるようになっていてもよい。さらに、導体は、取り付け要素１４５８および／または下顎バー１４２４の対応する結合部材１４４８の磁石／強磁性要素と連通していてもよい。フェイスシールド１４１８の取り付け要素１４５８とサージカルヘルメット１４２０との間の回路の閉鎖は、ガーメント検出器が検知するように構成されていてもよい。この回路状態の変化の検出に応答して、ガーメント検出器は、回路が閉状態で、作動の準備ができていることを示す信号をコントローラ１４８０に対して生成するようにしてもよい。特定の構成において、コントローラ１４８０は、受信した場合に周辺機器１４３０を作動させる動作コマンド信号のみを生成するようにしてもよい。
【０１９７】
当然のことながら、システム１４１０のいくつかの構成においては、サージカルガーメント１４１２をサージカルヘルメット１４２０から取り外すと、サージカルガーメント１４１２の取り付け要素１４５８とサージカルヘルメット１４２０との間の回路がそれぞれ再び開状態となる場合がある。この回路の再開放の検出に応答して、ガーメント検出器は、システム１４１０が開状態であることを示す信号をコントローラ１４８０に対して生成するようにしてもよい。ガーメント検出器からの信号の受信に応答して、コントローラ１４８０は、サージカルヘルメット１４２０の周辺機器１４３０をオフ状態に戻すように構成されていてもよい。このように、システム１４１０の上記構成の別の特徴として、サージカルガーメント１４１２がサージカルヘルメット１４２０から取り外され、換気アセンブリ等の周辺機器１４３０の使用が不必要となった場合は、周辺機器１４３０が自動的に遮断または停止される。また、上述のその他のガーメント検出器アセンブリに関しても、類似の動作モードが考えられる。
【０１９８】
サージカルアパレルシステム１４１０のいくつかの形態においては、サージカルガーメント１４１２の検出／サージカルヘルメット１４２０への取り付けの有無に基づいて、他の周辺機器１４３０の作動の有無をコントローラ１４８０が制御するようにしてもよい。このため、コントローラ１４８０は、適当なサージカルガーメント１４１２がサージカルヘルメット１４２０に取り付けられたか否かに基づいて、照明アセンブリ、通信ユニット、または冷却ストリップのうちの１つまたは複数の作動を阻止するようにしてもよい。
【０１９９】
上記は、サージカルアパレルシステム１０、１１０、６１０、１４１０の特定の構成を対象としていない。システム１０、１１０、６１０、１４１０のさまざまな構成の個々の特徴は、組み合わせによって、システム１０、１１０、６１０、１４１０の代替構成を構築可能であることが了解されるものとする。
【０２００】
また、サージカルアパレルシステム１０、１１０、６１０、１４１０は一般的に、医療処置または外科手術中に医師と患者との間にバリアを設けることを意図するが、その使用はこれに限定されない。個人と周囲環境との間にバリアを設けるのが望ましい他の試みにおいてもサージカルアパレルシステム１０、１１０、６１０、１４１０を使用可能であることは、本開示の範囲内である。このようにシステム１０、１１０、６１０、１４１０を使用するのが望ましいと考えられる代替的な試みとしては、個人が働く環境において、個人と危険物との間にバリアを設けるのが望ましいものが挙げられる。
【０２０１】
上述のシステムの付加的な構成を網羅する条項を示す。
Ｉ．サージカルアパレルシステムであって、
着用者の頭部に装着されるサージカルヘルメットであって、ヘルメット結合器を備え、前記ヘルメット結合器は、
遠位面を備え、第１の領域および第２の領域を有する空隙を規定する筐体と、
前記第１の領域に近接して前記空隙内に少なくとも一部が配設された機械式スイッチと、
前記筐体内で前記機械式スイッチに対して移動可能に配設され、強磁性材料または磁性材料の一方を含む第１の部材と、
を備えた、サージカルヘルメットと、
前記サージカルヘルメットの上方に少なくとも一部が配設され、医療環境と着用者との間に微生物バリアを設けるように構成されたサージカルガーメントであり、第２の部材を備えた、サージカルガーメントと、
を備え、
前記第２の部材が、前記強磁性材料または前記磁性材料の他方を含み、前記ヘルメット結合器の前記遠位面に対して解除可能に係合するように構成され、
前記第１の部材が、前記筐体の前記遠位面に対する前記第２の部材の近接性に少なくとも部分的に基づいて、前記機械式スイッチに対して選択的に接触するように構成された、サージカルアパレルシステム。
ＩＩ．前記サージカルヘルメットが、当該サージカルヘルメットから外方に延び、当該サージカルヘルメットの着用者の顔面の大略前方に位置決めされたコントローラハウジングを備え、前記ヘルメット結合器の少なくとも一部が、前記コントローラハウジング内に配設された、条項Ｉに記載のシステム。
ＩＩＩ．前記筐体の前記遠位面が、前記コントローラハウジング内で窪むように構成された、条項ＩＩに記載のシステム。
ＩＶ．前記ヘルメット結合器の前記第１の部材が、前記機械式スイッチに対して動作可能に取り付けられたトグル部材に対して選択的に係合することにより、前記トグル部材を第１の位置と第２の位置との間で移動させるように構成され、
前記トグル部材が、前記機械式スイッチに前記第１の部材が係合した場合に、前記第２の位置にあり、前記トグル部材が、前記第１の部材が前記筐体の前記遠位面に隣接した場合に、前記第１の位置にある、条項Ｉに記載のシステム。
Ｖ．前記サージカルヘルメットが、換気アセンブリおよびコントローラを備え、
前記コントローラが、前記機械式スイッチと連通し、前記機械式スイッチの前記トグル部材の前記位置に少なくとも部分的に基づいて、前記換気アセンブリの動作特性を制御するように構成された、条項ＩＶに記載のシステム。
ＶＩ．前記ヘルメット結合器の前記第１の部材が、前記磁性材料を含み、前記第２の部材が、前記強磁性材料を含み、
前記第１の部材および前記第２の部材が、磁力で引き付けられて、前記サージカルヘルメットを前記サージカルガーメントに結合する、条項Ｉに記載のシステム。
ＶＩＩ．前記ヘルメット結合器の前記遠位面が、前記サージカルガーメントの前記第２の部材を前記ヘルメット結合器の前記筐体の前記遠位面と位置合わせするように構成された位置合わせ機構を提供するように構成された、条項Ｉに記載のシステム。
ＶＩＩＩ．前記遠位面が、前記位置合わせ機構を規定するように構成された湾曲形状を有する、条項ＶＩＩに記載のシステム。
ＩＸ．サージカルガーメントが、透明フェイスシールドおよびサージカル布をさらに備え、前記透明フェイスシールドが前記サージカル布と一体的に形成された、条項Ｉに記載のシステム。
Ｘ．前記第２の部材が、前記透明フェイスシールドの外周の周りに位置決めされ、前記対応するヘルメット結合器に結合された場合に、前記透明フェイスシールドの曲率を規定するように構成された、条項ＩＸに記載のシステム。
ＸＩ．前記ヘルメット結合器が、前記筐体内で前記筐体の前記第１の領域に近接するとともに前記機械式スイッチに隣接して位置決めされ、前記第２の部材の前記強磁性材料または前記磁性材料を含む第３の部材をさらに備えた、条項Ｉに記載のシステム。
ＸＩＩ．前記第３の部材が、前記筐体の前記遠位面に対する前記第２の部材の近接性に少なくとも部分的に基づいて、前記第１の部材の位置を操作するように構成された、条項ＸＩに記載のシステム。
ＸＩＩＩ．前記ヘルメット結合器の前記第１の部材が、磁石を備え、前記第３の部材が第１の強磁性材料を含み、前記第２の部材が、第２の強磁性材料を含み、
前記第２の部材が前記ヘルメット結合器の前記遠位面に隣接して位置決めされた場合に、前記磁石が前記機械式スイッチから遠位方向に引き離されるように、前記第２の強磁性材料の磁気質量が、前記第１の強磁性材料の磁気質量よりも大きい、条項ＸＩＩに記載のシステム。
ＸＩＶ．前記第１の強磁性材料の磁気質量に対する前記第２の強磁性材料の磁気質量が、１．１〜１以上の比を有する、条項ＸＩＩＩに記載のシステム。
ＸＶ．前記ヘルメット結合器の前記第１の部材が、強磁性材料を含み、前記第３の部材が第１の磁石を備え、前記第２の部材が、第２の磁石を備え、
前記第２の部材が前記ヘルメット結合器の前記遠位面に隣接して位置決めされた場合に、前記強磁性材料が前記機械式スイッチから遠位方向に引き離されるように、前記第２の磁石の磁界が、前記第１の磁石の磁界よりも大きい、条項ＸＩＩに記載のシステム。
ＸＶＩ．前記第１の磁石の磁界に対する前記第２の磁石の磁界が、１．１〜１以上の比を有する、条項ＸＶに記載のシステム。
ＸＶＩＩ．サージカルアパレルシステムであって、
着用者の頭部に装着されるヘッドユニットであって、
遠位面を備え、第１の領域および第２の領域を有する空隙を規定する筐体と、
前記筐体内に位置決めされ、前記第１の領域と前記第２の領域との間で移動可能な第１の部材と、
を備えた第１の結合器を備えた、ヘッドユニットと、
前記筐体の前記第１の領域に近接して位置決めされたセンサと、
前記ヘッドユニットの上方に少なくとも一部が配設され、医療環境と着用者との間に微生物バリアを設けるように構成されたサージカルガーメントであって、第２の部材を備えた、サージカルガーメントと、
を備え、
前記第１の領域が、前記センサの近位にあり、前記第２の領域が、前記センサの遠位にあり、
前記第１の部材が、前記筐体の前記遠位面に対する前記第２の部材の近接性に少なくとも部分的に基づいて、前記筐体の前記第１の領域と前記第２の領域との間で選択的に移動するように構成され、
前記センサが、前記第１の部材が前記第１の領域および前記第２の領域にあるタイミングを検出するように構成された、サージカルアパレルシステム。
ＸＶＩＩＩ．前記センサに結合され、前記センサから信号を受信するように構成されたコントローラをさらに備え、
前記コントローラが、前記センサからの前記信号に基づいて、前記ヘッドユニットの動作特性を制御するように構成された、条項ＸＶＩＩに記載のサージカルアパレルシステム。
ＸＩＸ．前記第２の部材が、前記第１の結合器の前記筐体の前記遠位面と解除可能に結合するように構成された、条項ＸＶＩＩに記載のサージカルアパレルシステム。
ＸＸ．前記第１の部材が、磁性材料を含み、前記センサが、ホール効果センサである、条項ＸＶＩＩに記載のサージカルアパレルシステム。
ＸＸＩ．第２の部材を有するサージカルガーメントと併用されるサージカルヘルメットであり、前記サージカルガーメントが、当該サージカルヘルメットの上方に少なくとも一部が配設されるように構成された、サージカルヘルメットであって、
遠位面を備え、第１の領域および第２の領域を有する空隙を規定する筐体と、
前記第１の領域に近接して前記空隙内に少なくとも一部が配設された機械式スイッチと、
前記筐体内で前記機械式スイッチに対して移動可能に配設され、強磁性材料または磁性材料の一方を含む第１の部材と、
を備えたヘルメット結合器を備え、
サージカルガーメントの第２の部材が、前記強磁性材料または前記磁性材料の他方を含み、前記ヘルメット結合器の前記遠位面に対して解除可能に係合するように構成され、
前記第１の部材が、前記筐体の前記遠位面に対する第２の部材の近接性に少なくとも部分的に基づいて、前記機械式スイッチに対して選択的に接触するように構成された、サージカルヘルメット。
ＸＸＩＩ．換気アセンブリおよびコントローラをさらに備え、前記コントローラが、前記機械式スイッチと連通し、前記機械式スイッチから信号を受信するとともに、前記機械式スイッチからの前記信号に少なくとも部分的に基づいて、前記換気アセンブリの動作特性を制御するように構成された、条項ＸＸＩに記載のサージカルヘルメット。
ＸＸＩＩＩ．サージカルアパレルシステムであって、
着用者の頭部に装着され、第１の部材および機械式スイッチを備えたサージカルヘルメットであって、
前記第１の部材が、開口部を備え、
前記第１の部材が、強磁性材料または磁性材料の一方を含み、
前記機械式スイッチが、トグル部材を備えた、サージカルヘルメットと、
前記サージカルヘルメットの上方に少なくとも一部が配設され、医療環境と着用者との間に微生物バリアを設けるように構成されたサージカルガーメントであり、前記開口部内に嵌合するように構成された突起を備えた第２の部材を備えた、サージカルガーメントと、
を備え、
前記第２の部材が、前記強磁性材料または前記磁性材料の他方を含み、
前記第１の部材および前記第２の部材が、相互に磁力で引き付けられ、前記サージカルガーメントを前記サージカルヘルメットに対して解除可能に結合するように構成され、
前記第２の部材の前記突起が、前記サージカルガーメントが前記サージカルヘルメットに結合された場合に、前記機械式スイッチの前記トグル部材に係合するように構成された、サージカルアパレルシステム。
ＸＸＩＶ．前記第１の部材が、前記磁性材料を含み、
前記第２の部材が、前記強磁性材料を含む、条項ＸＸＩＩＩに記載のサージカルアパレルシステム。
ＸＸＶ．前記第１の部材が、前記強磁性材料を含み、
前記第２の部材が、前記磁性材料を含む、条項ＸＸＩＩＩに記載のサージカルアパレルシステム。
ＸＸＶＩ．前記開口部が、当該開口部を囲む斜面または面取り面をさらに備え、前記斜面または前記面取り面が、前記突起の前記開口部への挿入を補助するように構成された、条項ＸＸＩＩＩに記載のサージカルアパレルシステム。
ＸＸＶＩＩ．前記第１の部材が、遠位面を備え、
前記第２の部材が、基部を備え、前記突起が、前記基部から外方に突出するように構成され、
前記基部が、前記第２の部材が前記第１の部材と結合された場合に、前記遠位面に隣接するように構成された、条項ＸＸＩＩＩに記載のサージカルアパレルシステム。
ＸＸＶＩＩＩ．前記第２の部材の前記強磁性材料または前記磁性材料の他方が、プラスチックポリマーに被覆された、条項ＸＸＩＩＩに記載のサージカルアパレルシステム。
ＸＸＩＸ．前記機械式スイッチと連通し、前記機械式スイッチの前記トグル部材との前記突起の接触の有無に基づいて、前記機械式スイッチから信号を受信するように構成されたコントローラをさらに備えた、条項ＸＸＩＩＩに記載のサージカルアパレルシステム。
ＸＸＸ．前記トグル部材の少なくとも一部が、前記第１の部材の前記開口部内に配設された、条項ＸＸＩＩＩに記載のサージカルアパレルシステム。
ＸＸＸＩ．前記トグル部材が、第１の位置と第２の位置との間で移動可能である、条項ＸＸＸに記載のサージカルアパレルシステム。
ＸＸＸＩＩ．サージカルアパレルシステムであって、
着用者の頭部に装着されるサージカルヘルメットであって、第１の円筒状部材およびセンサを備え、
前記第１の円筒状部材が、側面および遠位面を備え、前記遠位面が、開口部を備え、
前記第１の円筒状部材が、強磁性材料または磁性材料の一方を含み、
前記開口部が、第１の軸を規定し、
前記第１の円筒状部材が、前記第１の軸と垂直な第２の軸を有し、
前記センサが、前記第１の円筒状部材の前記第２の軸と大略整列／平行となるように前記第１の円筒状部材の前記側面に隣接して位置決めされた、サージカルヘルメットと、
前記サージカルヘルメットの上方に少なくとも一部が配設され、医療環境と着用者との間に微生物バリアを設けるように構成されたサージカルガーメントであり、前記開口部内に嵌合するように構成された突起を備えた第２の部材を備えた、サージカルガーメントと、
を備え、
前記第２の部材が、前記強磁性材料または前記磁性材料の他方を含み、
前記第１の円筒状部材および前記第２の部材が、相互に磁力で引き付けられ、前記サージカルガーメントを前記サージカルヘルメットに対して解除可能に結合するように構成され、
前記センサが、前記第１の円筒状部材に対する前記第２の部材の有無により形成された前記第１の円筒状部材を囲む磁界の変化を検出するように構成された、サージカルアパレルシステム。
ＸＸＸＩＩＩ．前記第１の円筒状部材が、磁石を備え、
前記第２の部材が、強磁性材料を含む、条項ＸＸＸＩＩに記載のサージカルアパレルシステム。
ＸＸＸＩＶ．前記第１の円筒状部材が、当該開口部を囲む斜面または面取り面をさらに備え、前記斜面または前記面取り面が、前記突起の前記開口部への挿入を補助するように構成された、条項ＸＸＸＩＩに記載のサージカルアパレルシステム。
ＸＸＸＶ．前記センサと連通し、前記第１の円筒状部材に対する前記第２の部材の有無の検出に基づいて、前記センサから信号を受信するように構成されたコントローラをさらに備えた、条項ＸＸＸＩＩに記載のサージカルアパレルシステム。
ＸＸＸＶＩ．前記センサが、前記第１の円筒状部材に対する前記第２の部材の近接性に少なくとも部分的に基づいて、前記第１の円筒状部材を囲む磁界の変化を検出するように構成されたホール効果センサを含む、条項ＸＸＸＩＩに記載のサージカルアパレルシステム。
ＸＸＸＶＩＩ．サージカルアパレルシステムであって、
個人の頭部に装着されるように構成されたサージカルヘルメットと、
前記サージカルヘルメットの上方に少なくとも一部が配設され、医療環境と着用者との間に微生物バリアを設けるように構成されたサージカルガーメントであって、当該サージカルガーメントを前記サージカルヘルメットに対して取り外し可能に結合するように構成された第１の部材を備えた、サージカルガーメントと、
を備え、
前記サージカルヘルメットが、
外科手術中に当該サージカルヘルメットを着用している個人の動作を容易化するように構成された周辺機器と、
当該サージカルヘルメットに隣接して位置決めされている前記サージカルガーメントの存在を検出するとともに、前記サージカルガーメントが当該サージカルヘルメットに結合されている場合に、信号を生成するように構成された検出器と、
前記検出器および前記周辺機器と連通し、前記検出器からの前記信号に少なくとも部分的に基づいて、前記周辺機器の動作の一態様を調節するように構成されたコントローラと、を備えた、サージカルアパレルシステム。
ＸＸＸＶＩＩＩ．前記サージカルガーメントが、透明シールドをさらに備え、
前記サージカルガーメントの前記第１の部材が、前記透明シールドに結合された、条項ＸＸＸＶＩＩに記載のサージカルアパレルシステム。
ＸＸＸＩＸ．前記検出器が、機械式スイッチであり、
前記サージカルヘルメットおよび前記サージカルガーメントが、前記サージカルガーメントが前記サージカルヘルメットに隣接して位置決めされた場合に前記透明フェイスシールドが前記機械式スイッチに隣接するように構成された、条項ＸＸＸＶＩＩＩに記載のサージカルアパレルシステム。
ＸＬ．前記コントローラが、電源が存在し、サージカルガーメントが存在しないことを前記検出器からの前記信号が示す場合に、周辺機器と関連する前記メモリにデータ／情報を格納するように構成された、条項ＸＸＸＶＩＩに記載のサージカルアパレルシステム。
ＸＬＩ．前記サージカルヘルメットに対して取り外し可能に結合された携帯型エネルギー源をさらに備え、
前記携帯型エネルギー源が、前記コントローラと連通し、
前記コントローラが、前記検出器からの前記信号に少なくとも部分的に基づいて、前記携帯型エネルギー源から前記周辺機器へのエネルギーの伝送を制御するように構成された、条項ＸＸＸＶＩＩに記載のサージカルアパレルシステム。
ＸＬＩＩ．前記コントローラが、前記サージカルガーメントが前記サージカルヘルメットに隣接して位置決めされたことを前記検出器からの前記信号が示す場合に、前記携帯型エネルギー源から前記周辺機器にエネルギーを伝送可能とするように構成された、条項ＸＬＩに記載のサージカルアパレルシステム。
ＸＬＩＩＩ．前記検出器が、磁界の有無をモニタリングするように構成された、条項ＸＸＸＶＩＩに記載のサージカルアパレルシステム。
ＸＬＩＶ．前記サージカルヘルメットの前記周辺機器が、ファンアセンブリ、照明、通信機器、冷却ストリップ、またはビデオレコーダを備え得る、条項ＸＸＸＶＩＩに記載のサージカルアパレルシステム。
ＸＬＶ．サージカルアパレルシステムであって、
個人の頭部に装着されるように構成されたサージカルヘルメットと、
前記サージカルヘルメットの上方に少なくとも一部が配設され、医療環境と着用者との間に微生物バリアを設けるように構成されたサージカルガーメントと、を備え、
前記サージカルヘルメットが、
外科手術中に当該サージカルヘルメットを着用している前記個人の動作を容易化するように構成された周辺機器と、
当該サージカルヘルメットに隣接して位置決めされている前記サージカルガーメントの存在を検出するとともに、前記サージカルガーメントが当該サージカルヘルメットに結合されている場合に、信号を生成するように構成された検出器と、を備えており、
前記検出器および前記周辺機器と連通し、前記検出器からの前記信号に少なくとも部分的に基づいて、前記周辺機器の動作特性を調節するように構成されたコントローラと、
前記サージカルヘルメットと取り外し可能に相互接続され、前記コントローラと連通した携帯型エネルギー源と、を備え、
前記コントローラが、前記検出器からの前記信号に少なくとも部分的に基づいて、前記携帯型エネルギー源から前記周辺機器へのエネルギーの伝送を制御するように構成された、サージカルアパレルシステム。
ＸＬＶＩ．前記検出器が、第１の状態と第２の状態との間で切り替わるように構成され、
前記検出器が、前記サージカルガーメントが前記サージカルヘルメットに隣接して位置決めされた場合に、前記第１の状態となるように構成され、
前記検出器が、前記サージカルガーメントが前記サージカルヘルメットから分離された場合に、前記第２の状態となるように構成され、
前記検出器が、前記コントローラが前記第１の状態または前記第２の状態であることに少なくとも部分的に基づいて、前記信号を生成するように構成された、条項ＸＬＶに記載のサージカルアパレルシステム。
ＸＬＶＩＩ．前記コントローラが、前記サージカルガーメントが前記サージカルヘルメットに隣接して位置決めされたことを示す前記信号を前記検出器から受信した際に、規定の第１の期間にわたって、前記周辺機器への電力の伝送を遅延させるように構成された、条項ＸＬＶＩに記載のサージカルアパレルシステム。
ＸＬＶＩＩＩ．前記コントローラが、前記サージカルガーメントが前記サージカルヘルメットから分離されたことを示す前記信号を前記検出器から受信した際に、規定の第２の期間にわたって、前記周辺機器への電力の伝送を継続するように構成された、条項ＸＬＶＩに記載のサージカルアパレルシステム。
ＸＬＩＸ．前記サージカルヘルメットに結合され、前記コントローラと連通し、前記周辺機器の動作と関連するデータを格納するように構成されたメモリデバイスをさらに備えた、条項ＸＬＶＩに記載のサージカルアパレルシステム。
Ｌ．前記コントローラと連通し、前記携帯型エネルギー源の電力レベルを検出するとともに、前記携帯型エネルギー源の電力レベルに基づいて、エネルギー信号を前記コントローラに伝達するように構成されたエネルギーセンサをさらに備え、
前記コントローラが、前記エネルギーセンサからの前記エネルギー信号に基づいて、前記周辺機器のユーザ設定と関連する前記データを前記メモリデバイスに伝達して格納するように構成された、条項ＸＬＶＩに記載のサージカルアパレルシステム。
ＬＩ．前記コントローラが、前記携帯型エネルギー源の残存電力レベルが閾値に達したことを前記エネルギーセンサからの前記エネルギー信号が示す場合に、前記周辺機器の前記ユーザ設定と関連する前記データを前記メモリデバイスに伝達して格納するように構成された、条項Ｌに記載のサージカルアパレルシステム。
ＬＩＩ．前記メモリデバイスが、前記検出器が前記第１の状態である限り、前記周辺機器の前記ユーザ設定を格納するように構成され、
前記コントローラが、前記携帯型エネルギー源の交換に際し、格納された前記ユーザ設定に基づいて、前記周辺機器の動作を再開させるように構成された、条項ＬＩに記載のサージカルアパレルシステム。
ＬＩＩＩ．前記メモリデバイスが、前記検出器が前記第１の状態から前記第２の状態に切り替わり、前記携帯型エネルギー源が前記サージカルヘルメットから切り離された場合に、前記周辺機器の前記ユーザ設定と関連する前記データをクリアするように構成された、条項ＸＬＶＩに記載のサージカルアパレルシステム。
ＬＩＶ．前記メモリデバイスが、前記サージカルガーメントの複数の特性と関連するデータを格納するように構成され、
前記検出器が、前記サージカルヘルメットに隣接して位置決めされた前記サージカルガーメントの複数の構成のうちの１つを識別するように構成され、
前記コントローラが、前記サージカルガーメントの前記複数の構成のうちの前記識別された１つに少なくとも部分的に基づいて、前記周辺機器の少なくとも１つの動作特性を制御するように構成された、条項ＸＬＶＩに記載のサージカルアパレルシステム。
ＬＶ．前記検出器が、
遠位面を備え、第１の領域および第２の領域を有する空隙を規定する筐体と、
前記第１の領域に近接して前記空隙内に少なくとも一部が配設された機械式スイッチと、
前記筐体内で前記機械式スイッチに対して移動可能に配設され、強磁性材料または磁性材料の一方を含む第１の部材と、
を備え、
前記サージカルガーメントが、第２の部材を備え、前記第２の部材が、前記強磁性材料または前記磁性材料の他方を含み、前記筐体の前記遠位面に対して解除可能に係合するように構成され、
前記第１の部材が、前記筐体の前記遠位面に対する前記第２の部材の近接性に少なくとも部分的に基づいて、前記機械式スイッチに対して選択的に接触するように構成され、
前記検出器が、前記第１の部材が前記機械式スイッチと接触するかに少なくとも部分的に基づいて、前記信号を前記コントローラに伝達するように構成された、条項ＸＬＶに記載のサージカルアパレルシステム。
ＬＶＩ．前記検出器が、
遠位面を備え、第１の領域および第２の領域を有する空隙を規定する筐体と、
前記筐体内に位置決めされ、前記第１の領域と前記第２の領域との間で移動可能な第１の部材と、
前記筐体の前記第１の領域に近接して位置決めされたセンサと、
を備え、
前記サージカルガーメントが、前記筐体の前記遠位面に対して解除可能に結合するように構成された第２の部材を備え、
前記第１の領域が、前記センサの近位にあり、前記第２の領域が、前記センサの遠位にあり、
前記第１の部材が、前記筐体の前記遠位面に対する前記第２の部材の近接性に少なくとも部分的に基づいて、前記筐体の前記第１の領域と前記第２の領域との間で選択的に移動するように構成され、
前記センサが、前記第１の部材が前記第１の領域および前記第２の領域にあるタイミングを検出するように構成され、
前記検出器が、前記第１の部材が前記第１の領域または前記第２の領域のいずれに近接して位置決めされるかに少なくとも部分的に基づいて、前記信号を前記コントローラに伝達するように構成された、条項ＸＬＶに記載のサージカルアパレルシステム。
ＬＶＩＩ．サージカルアパレルシステムを動作させる方法であって、
前記サージカルアパレルシステムを用意するステップであって、前記システムが、
個人の頭部に装着されるように構成されたサージカルヘルメットと、
前記サージカルヘルメットに対して取り外し可能に結合され、医療環境と着用者との間に微生物バリアを設けるように構成されたサージカルガーメントと、を備え、
前記サージカルヘルメットが、
外科手術中に当該サージカルヘルメットを着用している前記個人の動作を容易化するように構成された周辺機器と、
前記サージカルガーメントの当該サージカルヘルメットへの結合を検出するとともに、当該サージカルヘルメットに結合されている前記サージカルガーメントの有無に少なくとも部分的に基づいて信号を生成するように構成された検出器と、
前記検出器および前記周辺機器と連通したコントローラと、を備え、かつ、
前記システムが、前記サージカルヘルメットと取り外し可能に相互接続され、前記コントローラと連通した携帯型エネルギー源を備えている、ステップと、
前記携帯型エネルギー源を前記サージカルヘルメットに結合するステップと、
前記検出器を利用して、前記サージカルガーメントが前記サージカルヘルメットに結合されたかを検出するステップと、
前記ガーメントが結合されているかに少なくとも部分的に基づいて、前記周辺機器の動作特性を制御するステップと、
前記コントローラが前記検出器から前記信号を受信した場合に、前記携帯型エネルギー源から前記周辺機器にエネルギーを伝送するステップと、
を含む、方法。
ＬＶＩＩＩ．サージカルヘルメットが、
当該サージカルヘルメットに結合され、コントローラと連通し、周辺機器の動作と関連するデータを格納するように構成されたメモリデバイスと、
コントローラと連通し、携帯型エネルギー源の残存電力レベルを検出するとともに、携帯型エネルギー源の電力レベルに基づいて、エネルギー信号をコントローラに伝達するように構成されたエネルギーセンサと、
をさらに備えた、条項ＬＶＩＩに記載の方法。
ＬＩＸ．サージカルガーメントの少なくとも一部がサージカルヘルメットの上方に配設されるように、サージカルガーメントをサージカルヘルメットに結合するステップをさらに含む、条項ＬＶＩＩＩに記載の方法。
ＬＸ．エネルギー信号をエネルギーセンサからコントローラに伝達するステップと、
携帯型エネルギー源の残存電力レベルが閾値に達したことをエネルギーセンサからのエネルギー信号が示す場合に、周辺機器のユーザ設定を格納するステップと、
をさらに備えた、条項ＬＩＸに記載の方法。
ＬＸＩ．周辺機器のユーザ設定をメモリデバイスに格納するステップと、
サージカルガーメントがサージカルヘルメットに結合されたことを示す信号を検出器がコントローラに伝達し続ける間、携帯型エネルギー源を第２の携帯型エネルギー源と交換するステップと、
メモリデバイスに格納されたユーザ設定に基づいて、周辺機器を再開させるステップと、
をさらに備えた、条項ＬＸに記載の方法。
ＬＸＩＩ．サージカルガーメントがサージカルヘルメットから分離され、携帯型エネルギー源がサージカルヘルメットから切り離されたことを示す信号を検出器がコントローラに伝達する場合に、メモリデバイスに格納された周辺機器のユーザ設定を消去するステップをさらに含む、条項ＬＸＩに記載の方法。
ＬＸＩＩＩ．周辺機器のユーザ設定をメモリデバイスに格納するステップと、
携帯型エネルギー源がサージカルヘルメットと相互接続されている間に、サージカルガーメントをサージカルヘルメットから分離するステップと、
サージカルガーメントがサージカルヘルメットから分離されたことを示す信号を検出器から受信した際に、周辺機器の動作を停止するステップと、
携帯型エネルギー源がサージカルヘルメットと相互接続され続けている間に、第２のサージカルガーメントをサージカルヘルメットに結合するステップと、
メモリデバイスに格納されたユーザ設定に基づいて、周辺機器を再開させるステップと、
をさらに備えた、条項ＬＩＸに記載の方法。
ＬＸＩＶ．サージカルガーメントがサージカルヘルメットから分離され、携帯型エネルギー源がサージカルヘルメットから切り離されたことを示す信号を検出器がコントローラに伝達する場合に、メモリデバイスに格納された周辺機器のユーザ設定を消去するステップをさらに含む、条項ＬＸＩＩＩに記載の方法。
ＬＸＶ．メモリデバイスが、サージカルガーメントの複数の構成と関連するデータを格納するように構成され、
当該方法が、
検出器を用いて、サージカルヘルメットに結合されたサージカルガーメントの複数の構成のうちの１つを識別するステップと、
サージカルガーメントの識別した構成をコントローラに伝達するステップと、
サージカルガーメントの識別した構成に少なくとも部分的に基づいて、周辺機器の少なくとも１つの動作特性と関連するコマンドを伝達するステップと、
をさらに含む、条項ＬＩＸに記載の方法。
ＬＸＶＩ．サージカルガーメントの少なくとも一部がサージカルヘルメットの上方に配設されるように、サージカルガーメントをサージカルヘルメットに結合するステップをさらに含む、条項ＬＶＩＩに記載の方法。
ＬＸＶＩＩ．サージカルガーメントがサージカルヘルメットに結合されたことを示す信号を検出器から受信するステップと、
検出器からの信号の受信後、規定の第１の期間にわたって、携帯型エネルギー源から周辺機器への電力の伝送を遅延させるステップと、
をさらに含む、条項ＬＸＶＩに記載の方法。
ＬＸＶＩＩＩ．サージカルガーメントがサージカルヘルメットに結合されないように、サージカルガーメントをサージカルヘルメットから分離するステップをさらに含む、条項ＬＸＶＩに記載の方法。
ＬＸＩＸ．サージカルガーメントがサージカルヘルメットから分離されたことを示す信号を検出器から受信するステップと、
検出器からの信号の受信後、規定の第２の期間にわたって、前記周辺機器への電力の伝送を継続するステップと、
をさらに含む、条項ＬＸＶＩＩＩに記載の方法。
ＬＸＸ．サージカルアパレルシステムであって、
サイズを調整する制御要素を有するヘッドバンドを備え、外科手術中にユーザにより装着されるように構成されたヘルメットアセンブリと、
前記ヘルメットアセンブリと環境との間に微生物バリアを規定するように構成されたサージカルガーメントであって、
当該サージカルガーメントと一体の可撓性シールド部材と、
前記可撓性シールド部材の頂部に近接して位置決めされ、前記可撓性シールド部材を前記ヘルメットアセンブリに対して解除可能に結合するように構成された取り付け部材と、を備えているサージカルガーメントと、
を備え、
前記取り付け部材が、前記ヘルメットアセンブリに対して動作可能に係合することにより、前記可撓性シールド部材と前記ユーザの顔面との間の距離を最小化するように前記ヘッドバンドの前記制御要素が操作された場合に、前記ユーザの顔面に対する前記可撓性シールド部材の前記頂部の曲率を変化させるように構成された、サージカルアパレルシステム。
サージカルアパレルシステムであって、
サイズを調整する制御要素を有するヘッドバンドを備え、外科手術中にユーザにより装着されるように構成されたヘルメットアセンブリと、
前記ヘルメットアセンブリと環境との間に微生物バリアを規定するように構成されたサージカルガーメントであって、
当該サージカルガーメントと一体の可撓性シールド部材と、
前記可撓性シールド部材の頂部に近接して位置決めされ、前記可撓性シールド部材を前記ヘルメットアセンブリに対して解除可能に結合するように構成された取り付け部材と、を備えているサージカルガーメントと、
を備え、
前記取り付け部材が、前記ヘルメットアセンブリに対して動作可能に係合することにより、前記可撓性シールド部材と前記ユーザの顔面との間の距離を最小化するように前記ヘッドバンドの前記制御要素が操作された場合に、前記ユーザの顔面に対する前記可撓性シールド部材の前記頂部の曲率を変化させるように構成された、サージカルアパレルシステム。  ＬＸＸＩ．前記ヘルメットアセンブリが、前記可撓性シールド部材とユーザの顔面との間の空間において空気を循環させるように構成された換気システムをさらに備えた、条項ＬＸＸに記載のサージカルアパレルシステム。
ＬＸＸＩＩ．前記取り付け部材が、第１の取り付け部材および第２の取り付け部材を備え、
可撓性シールド部材が、当該可撓性シールド部材を二等分して、両側に第１の領域および第２の領域を規定するように構成された中心線を含み、
前記第１の取り付け部材が、前記可撓性シールド部材の前記第１の領域に位置決めされ、
前記第２の取り付け部材が、前記可撓性シールド部材の前記第２の領域に位置決めされた、条項ＬＸＸに記載のサージカルアパレルシステム。
ＬＸＸＩＩＩ．前記ヘルメットアセンブリが、当該ヘルメットアセンブリを着用しているユーザの顔面の周囲および前方に延びるように前記ヘッドバンドから外方に延びた下顎バーをさらに備えた、条項ＬＸＸＩＩに記載のサージカルアパレルシステム。
ＬＸＸＩＶ．前記下顎バーが、
前記ヘッドバンドの両側から延び、前記ヘッドバンドに連結するように構成された第１の端部および反対の第２の端部をそれぞれ備えた少なくとも２つの可撓性部材と、
前記ヘルメットアセンブリを着用しているユーザの下顎の下方および前方に位置決めされるように前記少なくとも２つの可撓性部材それぞれの前記第２の端部に連結するとともに前記第２の端部間で延びるように構成されたビームと、
を備えた、条項ＬＸＸＩＩＩに記載のサージカルアパレルシステム。
ＬＸＸＶ．前記少なくとも２つの可撓性部材が、前記ヘッドバンドの前記制御要素が操作された場合に、前記ヘッドバンドの円周の変化に少なくとも部分的に基づいて曲がるように構成されるように、前記ヘッドバンドに対して動作可能に係合する、条項ＬＸＸＩＶに記載のサージカルアパレルシステム。
ＬＸＸＶＩ．前記ヘルメットアセンブリが、前記下顎バーの前記少なくとも２つの可撓性部材それぞれの前記第１の端部に近接してそれぞれ位置決めされた第１の結合器および第２の結合器をさらに備え、
前記第１の取り付け部材が、前記第１の結合器に対して解除可能に係合するように構成され、前記第２の取り付け部材が、前記第２の結合器に対して解除可能に係合するように構成された、条項ＬＸＸＩＶに記載のサージカルアパレルシステム。
ＬＸＸＶＩＩ．前記第１の結合器が、強磁性材料または磁性材料の一方を含み、
前記第１の取り付け部材が、前記強磁性材料または前記磁性材料の他方を含む、条項ＬＸＸＶＩに記載のサージカルアパレルシステム。
ＬＸＸＶＩＩＩ．前記取り付け部材が、前記可撓性シールド部材の前記頂部に沿って延びるように構成された細長部材を備えた、条項ＬＸＸに記載のサージカルアパレルシステム。
ＬＸＸＩＸ．サイズを調整するように構成された制御要素を備えたヘッドバンドを有するヘルメットアセンブリとともに着用されるように構成されたサージカルガーメントを調整する方法であって、
外科手術中にユーザにより着用されるように構成された前記サージカルガーメントを用意するステップであり、前記サージカルガーメントが、
当該サージカルガーメントと一体の可撓性シールド部材と、
可撓性シールド部材の頂部に近接して位置決めされ取り付け部材と、
を備え、取り付け部材が、ヘルメットアセンブリに対して動作可能に係合することにより、可撓性シールド部材とユーザの眼との間の距離を最小化するようにヘッドバンドの制御要素が操作された場合に、ユーザに対する可撓性シールド部材の頂部の曲率を変化させるように構成された、ステップと、
取り付け部材をヘルメットアセンブリに取り付けるステップと、
ヘッドバンドの円周を調整するように制御要素を操作することにより、可撓性シールド部材の曲率を変化させるとともに、可撓性シールド部材とユーザの眼との間の距離を最小化するステップと、
を含む、方法。
ＬＸＸＸ．ヘルメットアセンブリが、可撓性シールド部材とユーザの顔面との間の空間において空気を循環させるように構成された換気システムをさらに備え、
制御要素を操作して可撓性シールド部材の曲率を変化させるステップが、可撓性シールド部材とユーザとの間の空間における空気の循環パターンを変更することをさらに含む、条項ＬＸＸＩＸに記載の方法。
ＬＸＸＸＩ．取り付け機構および少なくとも１つの結合部材を備え、ユーザにより装着されるサージカルヘルメットと併用されるサージカルガーメントアセンブリであり、サージカルヘルメットの上方に少なくとも一部が配設されるように構成されるとともに、ユーザと医療環境との間に微生物バリアを設けるように構成された、サージカルガーメントアセンブリであって、
開口を規定するサージカル布と、
前記開口内に配設され、上部、下部、第１の表面、および反対の第２の表面を備えた透明フェイスシールドと、
サージカルヘルメットの取り付け機構に対して取り外し可能に係合することにより、サージカルヘルメットに対して前記透明フェイスシールドを位置合わせするように構成された前記透明フェイスシールドの前記上部中の第１の開口部と、
前記透明フェイスシールドの前記下部に固定された第１の取り付け要素と、
を備え、
前記第１の取り付け要素が、前記透明フェイスシールドの前記第１の表面よりも前記第２の表面に近い保持機構を備え、
前記第１の取り付け要素が、磁性材料を含み、
前記第１の取り付け要素が、サージカルヘルメットの少なくとも１つの結合部材のうちの１つに対して取り外し可能に係合するように構成された結合凹部を前記微生物バリアの前記着用者側に規定する、サージカルガーメントアセンブリ。
ＬＸＸＸＩＩ．周辺機器を含むサージカルアパレルシステムであって、
着用者の頭部に装着され、フェイスフレームを備えたサージカルヘルメットであり、前記フェイスフレームが、
遠位面を有し、前記遠位面において凹部を規定する下顎バーと、
前記凹部内に配設され、前記下顎バーの前記遠位面に近接して位置決めされた遠位面を有し、強磁性材料または磁性材料の一方を含む、第１の結合部材と、
を備えた、サージカルヘルメットと、
前記サージカルヘルメットの上方に少なくとも一部が配設され、医療環境と着用者との間に微生物バリアを設けるように構成されたサージカルガーメントであり、
前記サージカルヘルメットの上方に少なくとも一部配設された場合に、着用者の顔面の前方に位置決めされるように構成された開口を規定するサージカル布と、
前記サージカル布の前記開口内に配設され、上部、下部、第１の表面、および反対の第２の表面を備えた透明フェイスシールドと、
前記透明フェイスシールドに結合され、強磁性材料または磁性材料の他方を含み、近位面を有するヘッドを備えた第１の取り付け要素で、前記サージカルガーメントの少なくとも一部が前記サージカルヘルメットの上方に配設された場合に、前記ヘッドが前記第１の結合部材に対して取り外し可能に係合するように構成された、第１の取り付け要素と、
を備え、
前記ヘッドの前記近位面が、前記第１の取り付け要素が前記第１の結合部材に係合する場合に、前記下顎バーの前記遠位面に近接して位置決めされる、サージカルガーメントと、
を備えた、サージカルアパレルシステム。
ＬＸＸＸＩＩＩ．前記サージカルヘルメットが、前記下顎バー内に配設されるとともに前記第１の結合部材に隣接して位置決めされたセンサをさらに備え、
前記センサが、前記第１の結合部材に隣り合う前記第１の取り付け要素の存在を検出することによって、前記サージカルガーメントの第１の取り付け要素が前記サージカルヘルメットに結合されたタイミングを検出するように構成された、条項ＬＸＸＸＩＩに記載のサージカルアパレルシステム。
ＬＸＸＸＩＶ．前記第１の結合部材が、磁性材料を含み、前記第１の取り付け要素が、強磁性材料を含み、
前記センサが、前記第１の結合部材に対する前記第１の取り付け要素の近接性に少なくとも部分的に基づいて、前記第１の結合部材を囲む磁界の変化を検出するように構成されたホール効果センサである、条項ＬＸＸＸＩＩＩに記載のサージカルアパレルシステム。
ＬＸＸＸＶ．前記第１の結合部材が、強磁性材料を含み、前記第１の取り付け要素が、磁性材料を含み、
前記センサが、前記第１の結合部材に対する前記第１の取り付け要素の近接性に少なくとも部分的に基づいて、前記第１の結合部材を囲む磁界の変化を検出するように構成されたホール効果センサである、条項ＬＸＸＸＩＩＩに記載のサージカルアパレルシステム。
ＬＸＸＸＶＩ．前記第１の結合部材が、
前記遠位面の反対の近位面と、
前記第１の結合部材の前記近位面および前記遠位面を通って延び、前記第１の結合部材の両側部を規定する横断面と、
をさらに備え、
前記第１の結合部材が、前記横断面を横切って分極した磁性材料を含む、条項ＬＸＸＸＩＩに記載のサージカルアパレルシステム。
ＬＸＸＸＶＩＩ．前記第１の結合部材が、
前記遠位面の反対の近位面と、
前記第１の結合部材の前記近位面および前記遠位面を通って延び、前記第１の結合部材の両側部を規定する横断面と、
をさらに備え、
前記第１の結合部材が、当該第１の結合部材の前記両側部の一方が第１の極性を備え、前記両側部の他方が第２の極性を備えるように、前記横断面を横切って分極した磁性材料を含む、条項ＬＸＸＸＩＩに記載のサージカルアパレルシステム。
ＬＸＸＸＶＩＩＩ．前記近位面および前記遠位面それぞれの外縁が前記第１の結合部材の中心軸を規定し、
前記横断面が、前記第１の結合部材の前記中心軸と交差するように構成された、条項ＬＸＸＸＶＩまたはＬＸＸＸＶＩＩに記載のサージカルアパレルシステム。
ＬＸＸＸＩＸ．前記サージカルヘルメットが、前記横断面上で前記第１の結合部材に隣接して位置決めされたセンサをさらに備え、
前記センサが、前記第１の結合部材に隣り合う前記第１の取り付け要素の存在を検出することによって、前記サージカルガーメントの第１の取り付け要素が前記サージカルヘルメットに結合されたタイミングを検出するように構成された、条項ＬＸＸＸＶＩ〜ＬＸＸＸＶＩＩＩのいずれか１項に記載のサージカルアパレルシステム。
ＸＣ．前記第１の取り付け要素の前記近位面が、前記微生物バリアの前記着用者側に結合凹部を規定するとともに、前記サージカルヘルメットの前記第１の結合部材に対して取り外し可能に係合するように構成され、前記結合凹部が、前記透明フェイスシールドへの横力の印加に応じた前記サージカルガーメントのサージカルヘルメットからの分離に抗するように成形された、条項ＬＸＸＸＩＩに記載のサージカルアパレルシステム。
ＸＣＩ．前記第１の取り付け要素が、前記ヘッドの前記近位面に形成された結合凹部をさらに備え、前記第１の結合部材に係合するように構成され、
前記第１の取り付け要素の前記結合凹部が、前記第１の取り付け要素が前記第１の結合部材に係合する場合に、前記下顎バーの前記遠位面に近接して位置決めされる、条項ＬＸＸＸＩＩに記載のサージカルアパレルシステム。
ＸＣＩＩ．前記結合凹部が、前記ヘッドの前記近位面に向かって開き、凹形状を有する結合面を規定する、条項ＸＣＩに記載のサージカルアパレルシステム。
ＸＣＩＩＩ．前記透明フェイスシールドが、前記上部に第１の開口部をさらに備え、
前記サージカルヘルメットが、位置合わせチャネルを備えた頂部ビームをさらに備え、
前記頂部ビームが、前記位置合わせチャネルに少なくとも一部が配設され、前記フェイスシールドの前記上部において前記第１の開口部に係合するように構成された突起をさらに備えた、条項ＬＸＸＸＩＩに記載のサージカルアパレルシステム。
ＸＣＩＶ．記透明フェイスシールドが、当該透明フェイスシールドの前記上部から延び、両外側縁部を備えたタブをさらに備え、
前記透明フェイスシールドの前記第１の開口部の少なくとも一部が、前記タブ内に配設され、
前記タブが、前記第１の開口部が前記突起に係合した場合に、前記位置合わせチャネル内に少なくとも一部が配設されるように構成された、条項ＸＣＩＩＩに記載のサージカルアパレルシステム。
ＸＣＶ．前記第１の取り付け要素の前記ヘッドが、前記近位面の反対の遠位面と、当該ヘッドの前記遠位面から遠位方向に延びたポストとをさらに備えた、条項ＬＸＸＸＩＩに記載のサージカルアパレルシステム。
ＸＣＶＩ．前記第１の取り付け要素の前記ポストが、近位部および遠位部をさらに備え、
前記近位部が第１の寸法を有し、前記遠位部が第２の寸法を有し、前記ポストが、前記第１の寸法が前記第２の寸法よりも大きくなるように構成され、
前記透明フェイスシールドが、前記下部において第２の開口部をさらに備え、
前記第１の取り付け要素の前記ポストの前記遠位部の少なくとも一部が、前記第２の開口部に配設され、前記近位部が、前記透明フェイスシールドに隣接して、前記ヘッドの前記遠位面を前記透明フェイスシールドの前記第１の表面から離間させた、条項ＸＣＶに記載のサージカルアパレルシステム。
ＸＣＶＩＩ．前記サージカルヘルメットが、前記下顎バーの前記遠位面において第２の凹部内に配設され、前記第１の結合部材と同じ材料を含む第２の結合部材を備え、
前記サージカルガーメントが、前記第１の取り付け要素と同じ材料を含む第２の取り付け要素を備え、前記第２の取り付け要素が、前記第１の取り付け要素および当該第２の取り付け要素が前記透明フェイスシールドの両側部に結合されるように、前記透明フェイスシールドに結合され、
前記第２の取り付け要素が、前記サージカルガーメントの少なくとも一部が前記サージカルヘルメットの上方に配設された場合に、前記第２の結合部材に対して取り外し可能に係合するように構成された、条項ＬＸＸＸＩＩに記載のサージカルアパレルシステム。
ＸＣＶＩＩＩ．医療環境と着用者との間に微生物バリアを設けるサージカルアパレルシステムであって、
少なくとも２つの磁性結合部材および突起を含むサージカルヘルメットと、
サージカルヘルメットの上方に少なくとも一部が配設されるように構成され、開口を備えたサージカルガーメントと、
前記サージカルガーメントの前記開口内に配設された透明フェイスシールドであり、
第１の表面および反対の第２の表面と、
上部および下部と、
を備えた、透明フェイスシールドと、
前記透明フェイスシールドの前記上部に形成され、前記サージカルヘルメットの前記突起に対して取り外し可能に係合するように構成された第１の開口部と、
前記透明フェイスシールドの前記下部に固定された第１の取り付け要素および第２の取り付け要素と、
を備え、
前記第１の取り付け要素および前記第２の取り付け要素それぞれが、強磁性材料を含み、
前記第１の取り付け要素および前記第２の取り付け要素がそれぞれ、前記微生物バリアの前記着用者側に各結合凹部を規定するとともに、前記サージカルヘルメットの磁性結合部材に対して取り外し可能に係合するように構成され、前記結合凹部が、前記サージカルガーメントの前記サージカルヘルメットからの分離に抗するように成形された、サージカルアパレルシステム。
ＸＣＩＸ．前記結合凹部が、前記透明フェイスシールドへの横力の印加に応じた前記サージカルガーメントの前記サージカルヘルメットからの分離に抗するように成形された、条項ＸＣＶＩＩＩに記載のサージカルアパレルシステム。
Ｃ．周辺機器を含むサージカルアパレルシステムであって、
着用者の頭部に装着されるサージカルヘルメットであり、
第１の部材を備えた頂部ビームと、
前記頂部ビームから延び、遠位面を備え、前記遠位面において凹部を規定する下顎バーと、
前記下顎バーの前記凹部内に少なくとも一部が配設され、強磁性材料または磁性材料の一方を含む結合部材と、
を備え、前記下顎バーがセンサを備えた、フェイスフレームを備えた、サージカルヘルメットと、
前記サージカルヘルメットの上方に少なくとも一部が配設され、医療環境と着用者との間に微生物バリアを設けるように構成されたサージカルガーメントであり、
開口を備えたサージカル布と、
前記サージカル布の前記開口内に配設され、上部および下部を有する透明フェイスシールドで、前記サージカルヘルメットの前記第１の部材に対して取り外し可能に係合され、前記サージカルヘルメットに対して当該透明フェイスシールドを位置合わせするように構成された、当該透明フェイスシールドの前記上部における第１の開口部を備えた、透明フェイスシールドと、
前記強磁性材料または前記磁性材料の他方を含み、前記結合部材に対して取り外し可能に係合して、前記サージカルガーメントを前記サージカルヘルメットに結合するように構成された取り付け要素と、
を備えた、サージカルガーメントと、
を備え、
前記センサが、前記取り付け要素が前記結合部材と係合したタイミングを検出し、前記取り付け要素の前記結合部材との係合に基づいて、前記周辺機器の動作と関連する信号を送信するように位置決めおよび構成された、サージカルアパレルシステム。
ＣＩ．前記センサに結合され、前記センサから前記信号を受信するように構成されたコントローラをさらに備え、
前記コントローラが、前記センサからの前記信号に基づいて、前記周辺機器の動作特性を制御するように構成された、条項Ｃに記載のサージカルアパレルシステム。
ＣＩＩ．前記センサが、第１の状態と第２の状態との間で切り替わるように構成され、
前記センサが、前記サージカルガーメントの少なくとも一部が前記サージカルヘルメットの上方に配設され、前記取り付け要素が前記結合部材と係合した場合に、前記第１の状態となるように構成され、
前記センサが、前記サージカルガーメントが前記サージカルヘルメットから分離され、前記取り付け要素が前記結合部材から分離された場合に、前記第２の状態となるように構成され、
前記センサが、前記第１の状態または前記第２の状態であることに少なくとも部分的に基づいて、前記信号を生成するように構成された、条項ＣＩに記載のサージカルアパレルシステム。
ＣＩＩＩ．前記コントローラが、前記サージカルガーメントの少なくとも一部が前記サージカルヘルメットの上方に配設されたことを示す前記信号を前記センサから受信した際に、規定の第１の期間にわたって、前記周辺機器への電力の伝送を遅延させるように構成された、条項ＣＩＩに記載のサージカルアパレルシステム。
ＣＩＶ．前記コントローラが、前記サージカルガーメントが前記サージカルヘルメットから分離されたことを示す前記信号を前記センサから受信した際に、規定の第２の期間にわたって、前記周辺機器への電力の伝送を継続するように構成された、条項ＣＩＩに記載のサージカルアパレルシステム。
ＣＶ．前記サージカルヘルメットに結合され、前記コントローラと連通し、前記周辺機器の動作に関連するデータを格納するように構成されたメモリデバイスをさらに備えた、条項ＣＩＩに記載のサージカルアパレルシステム。
ＣＶＩ．前記コントローラと連通し、携帯型エネルギー源の電力レベルを検出するとともに、前記携帯型エネルギー源の電力レベルに基づいて、エネルギー信号を前記コントローラに伝達するように構成されたエネルギーセンサをさらに備え、
前記コントローラが、前記エネルギーセンサからの前記エネルギー信号に基づいて、前記周辺機器のユーザ設定と関連する前記データを前記メモリデバイスに伝達して格納するように構成された、条項ＣＶに記載のサージカルアパレルシステム。
ＣＶＩＩ．前記コントローラが、前記携帯型エネルギー源の残存電力レベルが閾値に達したことを前記エネルギーセンサからの前記エネルギー信号が示す場合に、前記周辺機器の前記ユーザ設定と関連する前記データを前記メモリデバイスに伝達して格納するように構成された、条項ＣＶＩに記載のサージカルアパレルシステム。
ＣＶＩＩＩ．前記メモリデバイスが、前記センサが前記第１の状態である限り、前記周辺機器の前記ユーザ設定を格納するように構成され、
前記コントローラが、前記携帯型エネルギー源の交換に際し、格納された前記ユーザ設定に基づいて、前記周辺機器の動作を再開させるように構成された、条項ＣＶＩＩに記載のサージカルアパレルシステム。
ＣＩＸ．前記メモリデバイスが、前記センサが前記第１の状態から前記第２の状態に切り替わり、前記携帯型エネルギー源が前記サージカルヘルメットから切り離された場合に、前記周辺機器の前記ユーザ設定をクリアするように構成された、条項ＣＶに記載のサージカルアパレルシステム。
ＣＸ．前記メモリデバイスが、前記サージカルガーメントの複数の特性と関連するデータを格納するように構成され、
前記センサが、前記サージカルヘルメットの上方に少なくとも一部が配設された前記サージカルガーメントの複数の構成のうちの１つを識別するように構成され、
前記コントローラが、前記サージカルガーメントの前記複数の構成のうちの前記識別された１つに少なくとも部分的に基づいて、前記周辺機器の少なくとも１つの動作特性を制御するように構成された、条項ＣＶに記載のサージカルアパレルシステム。
ＣＸＩ．前記結合部材が、磁性材料を含み、前記取り付け要素が、強磁性材料を含み、
前記センサが、前記結合部材に対する前記取り付け要素の近接性に少なくとも部分的に基づいて、前記結合部材を囲む磁界の変化を検出するように構成されたホール効果センサである、条項Ｃに記載のサージカルアパレルシステム。
ＣＸＩＩ．前記第１の結合部材が、
前記遠位面の反対の近位面と、
当該第１の結合部材の前記近位面および前記遠位面を通って延び、当該第１の結合部材の両側部を規定する横断面と、
をさらに備え、
前記第１の結合部材が、前記横断面を横切って分極した磁性材料を含む、条項Ｃに記載のサージカルアパレルシステム。
ＣＸＩＩＩ．前記第１の結合部材が、
前記遠位面の反対の近位面と、
当該第１の結合部材の前記近位面および前記遠位面を通って延び、前記第１の結合部材の両側部を規定する横断面と、
をさらに備え、
前記第１の結合部材が、当該第１の結合部材の前記両側部の一方が第１の極性を備え、前記両側部の他方が第２の極性を備えるように、前記横断面を横切って分極した磁性材料を含む、条項Ｃに記載のサージカルアパレルシステム。
ＣＸＩＶ．前記近位面および前記遠位面それぞれの外縁が前記第１の結合部材の中心軸を規定し、
前記横断面が、前記第１の結合部材の前記中心軸と交差するように構成された、条項ＣＸＩＩまたはＣＸＩＩＩに記載のサージカルアパレルシステム。
ＣＸＶ．前記サージカルヘルメットが、前記横断面上で前記第１の結合部材に隣接して位置決めされたセンサをさらに備え、
前記センサが、前記第１の結合部材に隣り合う前記第１の取り付け要素の存在を検出することによって、前記サージカルガーメントの第１の取り付け要素が前記サージカルヘルメットに結合されたタイミングを検出するように構成された、条項ＣＸＩＩ〜ＣＸＩＶのいずれか１項に記載のサージカルアパレルシステム。
ＣＸＶＩ．周辺機器を含むサージカルアパレルシステムであって、
着用者の頭部に装着され、フェイスフレームを備えたサージカルヘルメットであり、前記フェイスフレームが、
当該フェイスフレームの幅方向全体に延び、位置合わせチャネルを規定する頂部ビームと、
前記位置合わせチャネル内に少なくとも一部が配設された突起と、
を備えた、サージカルヘルメットと、
前記サージカルヘルメットの上方に少なくとも一部が配設され、医療環境と着用者との間に微生物バリアを設けるように構成されたサージカルガーメントアセンブリであり、
前記サージカルヘルメットの上方に少なくとも一部配設された場合に、着用者の顔面の前方に位置決めされるように構成された開口を規定するサージカル布と、
前記サージカル布の前記開口内に配設され、上部および下部を備えた透明フェイスシールドと、
前記透明フェイスシールドの前記上部の外周から延びたタブと、
を備え、前記タブが、前記突起の少なくとも一部を受容するようにサイズ規定された結合開口部の少なくとも一部を規定する、サージカルガーメントアセンブリと、
を備え、
前記タブおよび前記位置合わせチャネルが、前記タブが前記位置合わせチャネル内に位置決め可能で、前記結合開口部が前記突起の上方で摺動可能となるように、相補的にサイズ規定された、サージカルアパレルシステム。
ＣＸＶＩＩ．前記サージカルヘルメットが、
前記頂部ビームから延び、フェイスフレームを規定するように構成され、遠位面および前記遠位面における凹部を備えた下顎バーと、
前記下顎バーの前記凹部内に配設され、遠位面を備え、磁性材料で形成された第１の結合部材と、
をさらに備え、
前記透明フェイスシールドが、近位面を備え、強磁性材料で形成され、前記サージカルガーメントの少なくとも一部が前記サージカルヘルメットの上方に配設された場合に、前記第１の結合部材に対して取り外し可能に結合するように構成された第１の取り付け部材をさらに備えた、条項ＣＸＶＩに記載のサージカルアパレルシステム。
ＣＸＶＩＩＩ．前記第１の取り付け部材の前記近位面が、前記サージカルガーメントの少なくとも一部が前記サージカルヘルメットの上方に配設された場合に、前記第１の結合部材の前記遠位面に係合するように構成され、
前記第１の結合部材が、当該第１の結合部材の前記遠位面が、前記下顎バーの前記遠位面に近接して位置決めされるように、前記下顎バーの前記凹部内に配設された、条項ＣＸＶＩＩに記載のサージカルアパレルシステム。
ＣＸＩＸ．前記第１の取り付け部材の前記近位面が、前記サージカルガーメントの少なくとも一部が前記サージカルヘルメットの上方に配設された場合に、前記下顎バーの前記遠位面に近接して位置決めされるように構成された、条項ＣＸＶＩＩＩに記載のサージカルアパレルシステム。
ＣＸＸ．前記結合部材のうちの少なくとも１つが、突出面を備え、
前記取り付け要素が、前記サージカルガーメントの少なくとも一部が前記サージカルヘルメットの上方に配設された場合に、前記サージカルヘルメットの前記結合部材の前記突出面に対して取り外し可能に係合するように構成された前記微生物バリアの前記着用者側の相互凹面を備えた、先行条項のいずれか１項に記載のサージカルアパレルシステム。
ＣＸＸＩ．サージカルガーメントをサージカルヘルメットに取り付ける方法であり、前記サージカルヘルメットが、位置合わせチャネルおよび位置合わせチャネル内に少なくとも一部が配設された第１の部材を規定する頂部ビームと、第１の取り付け凹部および第２の取り付け凹部を規定する下顎バーとを備え、前記下顎バーが、前記第１の取り付け凹部内に少なくとも一部が配設された第１の磁石および前記第２の取り付け凹部内に少なくとも一部が配設された第２の磁石を含む、方法であって、
上部から延びたタブ内に少なくとも一部が配設された第１の開口部を備えた透明フェイスシールドと、前記透明フェイスシールドの底部に結合され、それぞれが凹面を有する第１の取り付け要素および第２の取り付け要素とを含み、裏返しになったサージカルガーメントを用意するステップと、
透明フェイスシールドのタブの少なくとも一部が位置合わせチャネル内となるように、サージカルガーメントを位置決めするステップと、
サージカルヘルメットの第１の部材が第１の開口部を通って延びるように、サージカルガーメントを配置するステップと、
透明フェイスシールドを着用者の顔面の前方に位置決めするように、フェイスシールドの第１の開口部と第１の部材との間の界面周りでサージカルガーメントを操作するステップと、
を含む、方法。
ＣＸＸＩＩ．第１の強磁性取り付け要素の少なくとも一部が第１の取り付け凹部内となり、第２の強磁性取り付け要素の少なくとも一部が第２の取り付け凹部内となって、操作するステップの後に、第１の強磁性取り付け要素および第２の強磁性取り付け要素が第１の磁石および第２の磁石に取り付けられるように、透明フェイスシールドを位置決めするステップをさらに含む、条項ＣＸＸＩに記載の方法。
ＣＸＸＩＩＩ．サージカルガーメントが、無菌パッケージにて提供され、
当該方法が、透明フェイスシールドのタブの少なくとも一部が位置合わせチャネル内となるように、サージカルガーメントを位置決めするステップに先立って、パッケージを開封するとともに、サージカルガーメントの少なくとも一部をパッケージから取り出すステップをさらに含む、条項ＣＸＸＩに記載の方法。
ＣＸＸＩＶ．医療環境と着用者との間に微生物バリアを設けるサージカルガーメントであり、少なくとも２つの磁性結合部材を含むサージカルヘルメットの上方に配設されるように構成された、サージカルガーメントであって、
サージカルヘルメットの上方に少なくとも一部が配設されるように構成され、開口を備えた第１の材料と、
前記第１の材料の前記開口内に配設された透明フェイスシールドであり、
第１の表面および反対の第２の表面と、
上部および下部と、
を備えた、透明フェイスシールドと、
前記透明フェイスシールドに固定された第１の取り付け要素および第２の取り付け要素と、
を備え、
前記第１の取り付け要素および前記第２の取り付け要素の少なくとも一方が、強磁性材料を含み、
前記第１の取り付け要素および前記第２の取り付け要素の少なくとも一方が、前記微生物バリアの前記着用者側に各結合凹部を規定するとともに、サージカルヘルメットの前記磁性結合部材に対して取り外し可能に係合するように構成された、サージカルガーメント。
ＣＸＸＶ．前記取り付け要素および磁性結合部材がそれぞれ、前記取り付け要素の各磁性結合部材への摺動可能な係合を可能にする相補多軸面を備えた、条項ＣＸＸＩＶに記載のサージカルガーメント。
ＣＸＸＶＩ．医療環境と着用者との間に微生物バリアを設けるサージカルガーメントであり、磁性結合部材を含むサージカルヘルメットの上方に配設されるように構成された、サージカルガーメントであって、
当該サージカルガーメントをサージカルヘルメットの磁性結合部材に結合する手段を備え、
磁性結合部材が、凸状面を備えた、サージカルガーメント。
ＣＸＸＶＩＩ．第１の取り付け要素を備え、
前記第１の取り付け要素が、強磁性材料を含み、
前記第１の取り付け要素が、サージカルヘルメットの磁性結合部材に対して取り外し可能に係合するように構成された結合凹部を前記微生物バリアの前記着用者側に規定する、条項ＣＸＸＶＩに記載のサージカルガーメント。
ＣＸＸＶＩＩＩ．医療環境と着用者との間に微生物バリアを設けるサージカルガーメントであり、位置合わせチャネル内に少なくとも一部が配設された突起および少なくとも２つの磁性結合部材を含む下顎バーを含むサージカルヘルメットの上方に配設されるように構成された、サージカルガーメントであって、
サージカルヘルメットの上方に少なくとも一部が配設されるように構成され、開口を備えた第１の材料と、
前記第１の材料の前記開口内に配設された透明フェイスシールドであり、
第１の表面および反対の第２の表面と、
上部および下部と、
サージカルヘルメットの突起に対して取り外し可能に係合することにより、サージカルヘルメットに対して前記第１の材料を位置合わせするように構成された当該透明フェイスシールド中の第１の開口部と、
を備えた、透明フェイスシールドと、
前記第１の開口部の両側部上で前記透明フェイスシールドの前記下部に固定された第１の取り付け要素および第２の取り付け要素と、
を備え、
前記第１の取り付け要素および前記第２の取り付け要素がそれぞれ、保持機構を備え、
前記第１の取り付け要素および前記第２の取り付け要素の少なくとも一方が、少なくとも部分的に強磁性材料を含み、
前記第１の取り付け要素および前記第２の取り付け要素の少なくとも一方が、前記微生物バリアの前記着用者側に各結合凹部を規定し、前記第１の取り付け要素および前記第２の取り付け要素がそれぞれ、サージカルヘルメットの磁性結合部材のうちの１つに対して取り外し可能に係合するように構成された、サージカルガーメント。
ＣＸＸＩＸ．前記取り付け要素がそれぞれ、遠位面および近位面を備えたヘッドを備え、前記遠位面が、前記透明フェイスシールドの前記第２の表面よりも前記第１の表面に近く、
前記結合凹部が、前記ヘッドの前記近位面に形成された、条項ＣＸＸＶＩＩＩに記載のサージカルガーメント。
ＣＸＸＸ．前記結合凹部が、前記ヘッドの前記近位面に向かって開き、サージカルヘルメットの少なくとも２つの磁性結合部材からの前記第１の取り付け要素および前記第２の取り付け要素の分離に抗するように構成された凹形状を有する結合面を規定する、条項ＣＸＸＩＸに記載のサージカルガーメント。
ＣＸＸＸＩ．前記結合凹部が、前記ヘッドの前記近位面に向かって開き、サージカルヘルメットの少なくとも２つの磁性結合部材からの前記第１の取り付け要素および前記第２の取り付け要素の分離に抗するように構成された多面の結合面を規定する、条項ＣＸＸＩＸに記載のサージカルガーメント。
ＣＸＸＸＩＩ．前記結合凹部が、前記ヘッドの前記近位面に向かって開き、サージカルヘルメットの少なくとも２つの磁性結合部材からの前記第１の取り付け要素および前記第２の取り付け要素の分離に抗するように構成された大略半球形状を有する結合面を規定する、条項ＣＸＸＩＸに記載のサージカルガーメント。
ＣＸＸＸＩＩＩ．前記結合凹部が、前記ヘッドの前記近位面に向かって開き、サージカルヘルメットの少なくとも２つの磁性結合部材からの前記第１の取り付け要素および前記第２の取り付け要素の分離に抗するように構成された大略ボウル状の結合面を規定する、条項ＣＸＸＩＸに記載のサージカルガーメント。
ＣＸＸＸＩＶ．前記結合凹部が、少なくとも１つの次元において実質的に弓形であり、サージカルヘルメットの少なくとも２つの磁性結合部材からの前記第１の取り付け要素および前記第２の取り付け要素の分離に抗するように構成された、条項ＣＸＸＩＸに記載のサージカルガーメント。
ＣＸＸＸＶ．前記ヘッドが、前記近位面上で前記結合凹部を環状に囲むリムをさらに備えた、条項ＣＸＸＩＸに記載のサージカルガーメント。
ＣＸＸＸＶＩ．前記第１の取り付け要素および前記第２の取り付け要素それぞれの前記ヘッドが、当該ヘッドの前記遠位面から遠位方向に延びたポストをさらに備えた、条項ＣＸＸＩＸに記載のサージカルガーメント。
ＣＸＸＸＶＩＩ．前記透明フェイスシールドが、当該透明フェイスシールドの前記下部にそれぞれ位置決めされた第２の開口部および第３の開口部をさらに備え、
前記第１の取り付け要素の前記ポストの少なくとも一部が、前記第２の開口部に配設され、前記第２の取り付け要素の前記ポストの少なくとも一部が、前記第３の開口部に配設された、条項ＣＸＸＸＶＩに記載のサージカルガーメント。
ＣＸＸＸＶＩＩＩ．前記第１の取り付け要素の前記ポストが、近位部および遠位部をさらに備え、
前記近位部が第１の寸法を有し、前記遠位部が第２の寸法を有し、前記ポストが、前記第１の寸法が前記第２の寸法よりも大きくなるように構成され、
前記第１の取り付け要素の前記ポストの前記遠位部の少なくとも一部が、前記第２の開口部に配設され、前記近位部が、前記透明フェイスシールドに隣接して、前記ヘッドの前記遠位面を前記透明フェイスシールドの前記第１の表面から離間させた、条項ＣＸＸＸＶＩに記載のサージカルガーメント。
ＣＸＸＸＩＸ．前記微生物バリアの前記環境側で前記透明フェイスシールドに対して取り外し可能に結合された透明層をさらに備え、
前記透明層が、前記透明フェイスシールドを通した着用者の視界の妨げとなり得る前記透明層に堆積した任意のごみを除去するため、前記透明フェイスシールドから除去されるように構成された、条項ＣＸＸＸＶＩＩＩに記載のサージカルガーメント。
ＣＸＬ．前記取り付け要素の前記ポストを少なくとも部分的に受容するとともに、前記透明フェイスシールドの前記第２の表面に隣接して、前記保持機構を規定する保持部材をさらに備えた、条項ＣＸＸＸＶＩＩに記載のサージカルガーメント。
ＣＸＬＩ．前記サージカルガーメントアセンブリが、トーガの形態である、条項ＣＸＸＶＩＩＩに記載のサージカルガーメント。
ＣＸＬＩＩ．前記透明フェイスシールドが、前記上部から前記下部まで延び、当該透明フェイスシールドを二等分する第１の軸をさらに備え、前記第１の取り付け要素および前記第２の取り付け要素が、前記透明フェイスシールドの前記第１の軸に対して対称に離間した、条項ＣＸＸＶＩＩＩに記載のサージカルガーメント。
ＣＸＬＩＩＩ．前記透明フェイスシールドが、当該サージカルガーメントにより覆われた外周部を備えた、条項ＣＸＸＶＩＩＩに記載のサージカルガーメント。
ＣＸＬＩＶ．前記第１の取り付け要素および前記第２の取り付け要素が、前記透明フェイスシールドの前記外周部に結合された、条項ＣＸＬＩＩＩに記載のサージカルガーメント。
ＣＸＬＶ．前記保持機構が、前記透明フェイスシールドの前記第１の表面よりも前記第２の表面に近い、条項ＣＸＸＶＩＩＩに記載のサージカルガーメント。
ＣＸＬＶＩ．前記第１の取り付け要素および前記第２の取り付け要素の少なくとも一方の前記結合凹部が、前記第１の取り付け要素および前記第２の取り付け要素の少なくとも一方と前記透明フェイスシールドの前記第１の表面との組み合わせにより規定された、条項ＣＸＸＶＩＩＩに記載のサージカルガーメント。
ＣＸＬＶＩＩ．医療環境と着用者との間に微生物バリアを設けるサージカルガーメントであり、少なくとも２つの磁性結合部材を含むサージカルヘルメットの上方に配設されるように構成された、サージカルガーメントであって、
サージカルヘルメットの上方に少なくとも一部が配設されるように構成され、開口を備えた第１の材料と、
前記第１の材料の前記開口内に配設された透明フェイスシールドであり、
第１の表面および反対の第２の表面と、
上部および下部と、
を備えた、透明フェイスシールドと、
前記第１の材料の着用者側に配設され、サージカルヘルメットに対して取り外し可能に係合する第１の結合器と、
前記透明フェイスシールドの前記下部に固定された第１の取り付け要素および第２の取り付け要素と、
を備え、
前記第１の取り付け要素および前記第２の取り付け要素がそれぞれ、保持機構を備え、
前記第１の取り付け要素および前記第２の取り付け要素の少なくとも一方が、強磁性材料を含み、
前記第１の取り付け要素および前記第２の取り付け要素の少なくとも一方が、前記微生物バリアの前記着用者側に各結合凹部を規定するとともに、サージカルヘルメットの前記磁性結合部材に対して取り外し可能に係合するように構成された、サージカルガーメント。
ＣＸＬＶＩＩＩ．前記取り付け要素がそれぞれ、遠位面および近位面を有するヘッドをさらに備え、
前記結合凹部が、前記ヘッドの前記近位面に形成された、条項ＣＸＬＶＩＩに記載のサージカルガーメント。
ＣＸＬＩＸ．前記結合凹部が、前記ヘッドの前記近位面に向かって開き、サージカルヘルメットの少なくとも２つの磁性結合部材からの前記第１の取り付け要素および前記第２の取り付け要素の分離に抗するように構成された凹形状を有する結合面を規定する、条項ＣＸＬＶＩＩＩに記載のサージカルガーメント。
ＣＬ．前記第１の取り付け要素の前記ヘッドが、当該ヘッドの前記遠位面から遠位方向に延びたポストをさらに備えた、条項ＣＸＬＶＩＩＩに記載のサージカルガーメント。
ＣＬＩ．前記透明フェイスシールドが、当該透明フェイスシールドの前記下部に位置決めされた第２の開口部をさらに備え、
前記第１の取り付け要素の前記ポストの少なくとも一部が、前記第１の開口部に配設された、条項ＣＬに記載のサージカルガーメント。
ＣＬＩＩ．前記第１の取り付け要素の前記ポストが、近位部および遠位部をさらに備え、
前記近位部が第１の寸法を有し、前記遠位部が第２の寸法を有し、前記ポストが、前記第１の寸法が前記第２の寸法よりも大きくなるように構成され、
前記ポストの前記遠位部の少なくとも一部が、前記第２の開口部に配設され、前記近位部が、前記透明フェイスシールドの前記第１の表面に隣接して、前記ヘッドの前記遠位面を前記透明フェイスシールドの前記第１の表面から離間させた、条項ＣＬに記載のサージカルガーメント。
ＣＬＩＩＩ．前記保持機構が、前記透明フェイスシールドの前記第１の表面よりも前記第２の表面に近い、条項ＣＸＬＶＩＩに記載のサージカルガーメント。
ＣＬＩＶ．前記第１の取り付け要素および前記第２の取り付け要素の少なくとも一方の前記結合凹部が、前記第１の取り付け要素および前記第２の取り付け要素の少なくとも一方と前記透明フェイスシールドの前記第１の表面との組み合わせにより規定された、条項ＣＸＬＶＩＩに記載のサージカルガーメント。
ＣＬＶ．医療環境と着用者との間に微生物バリアを設けるサージカルガーメントであり、少なくとも２つの磁性結合部材を含むサージカルヘルメットの上方に配設されるように構成された、サージカルガーメントであって、
サージカルヘルメットの上方に少なくとも一部が配設されるように構成され、開口を備えた第１の材料と、
前記第１の材料の前記開口内に配設され、上部および下部を備えた透明フェイスシールドと、
サージカルヘルメットに対して取り外し可能に係合する第１の結合器と、
前記透明フェイスシールドの前記下部に固定された第１の取り付け要素および第２の取り付け要素と、
を備え、
前記第１の取り付け要素および前記第２の取り付け要素がそれぞれ、遠位面および近位面を備えたヘッドと、前記遠位面から延びたポストとを備え、
前記ポストが、遠位部および前記ヘッドの前記遠位面に隣接する近位部を備え、
前記近位部が第１の寸法を有し、前記第２の部分が第２の寸法を有し、前記第１の寸法が前記第２の寸法よりも大きく、
前記第１の取り付け要素および前記第２の取り付け要素それぞれの前記ヘッドが、強磁性材料を含み、前記ヘッドそれぞれの前記近位面が、サージカルヘルメットの磁性結合部材のうちの１つに対して取り外し可能に係合するように構成された、サージカルガーメント。
ＣＬＶＩ．医療環境と着用者との間に微生物バリアを設けるサージカルガーメントであり、磁性結合部材を含むサージカルヘルメットの上方に配設されるように構成された、サージカルガーメントであって、
サージカルヘルメットの上方に少なくとも一部が配設されるように構成され、開口を備えた第１の材料と、
前記第１の材料の前記開口内に配設された透明フェイスシールドであり、
第１の表面および反対の第２の表面と、
上部および下部と、
を備えた、透明フェイスシールドと、
前記第１の材料の着用者側に配設され、サージカルヘルメットに対して取り外し可能に係合するように構成された第１の結合器と、
前記透明フェイスシールドの前記下部に固定された第１の取り付け要素と、
を備え、
前記第１の取り付け要素が、強磁性材料を含み、
前記第１の取り付け要素が、サージカルヘルメットの磁性結合部材に対して取り外し可能に係合するように構成された結合凹部を前記微生物バリアの前記着用者側に規定する、サージカルガーメント。
ＣＬＶＩＩ．前記第１の取り付け要素が、当該第１の取り付け要素を前記透明フェイスシールドに固定するように構成された保持機構を備え、
前記保持機構が、前記透明フェイスシールドの前記第１の表面よりも前記第２の表面に近い、条項ＣＬＶＩに記載のサージカルガーメント。
ＣＬＶＩＩＩ．環境と着用者との間にバリアを設けるように構成された医療用ガーメントであり、位置合わせチャネル内に少なくとも一部が配設された突起および磁性結合部材を含む下顎バーを含むヘルメットとの併用が意図された、医療用ガーメントであって、
ヘルメットの上方に少なくとも一部が配設されるように構成され、開口を備えたシェルと、
前記シェルの前記開口内に配設され、上部および下部を備えた透明フェイスシールドと、
ヘルメットの位置合わせチャネルにより、ヘルメットに対して前記シェルを位置合わせする両外側縁部を有する前記シェルの着用者側のタブと、
前記タブに形成され、ヘルメットの突起に対して取り外し可能に係合することにより、ヘルメットに対して前記シェルを位置合わせするように構成された第１の開口部と、
前記透明フェイスシールドの前記下部に固定された第１の取り付け要素と、
を備え、
前記第１の取り付け要素が、少なくとも部分的に強磁性材料を含み、
前記第１の取り付け要素のうちの少なくとも１つが、前記バリアの着用者側に結合凹部を規定するとともに、ヘルメットの磁性結合部材に対して取り外し可能に係合するように構成された、医療用ガーメント。
ＣＬＩＸ．前記取り付け要素が、
遠位面および近位面を備えたヘッドと、
前記ヘッドの前記遠位面から遠位方向に延びたポストと、
をさらに備え、
前記結合凹部が、前記ヘッドの前記近位面に形成された、条項ＣＬＶＩＩＩに記載の医療用ガーメント。
ＣＬＸ．前記結合凹部が、前記ヘッドの前記近位面に対して開き、ヘルメットの磁性結合部材からの前記第１の取り付け要素の分離に抗するように構成された凹形状を有する結合面を規定する、条項ＣＬＩＸに記載の医療用ガーメント。
ＣＬＸＩ．前記結合凹部が、少なくとも１つの次元において実質的に弓形である、条項ＣＬＩＸに記載の医療用ガーメント。
ＣＬＸＩＩ．第１の取り付け要素の結合凹部が、凸面を有する磁性結合部材に対して当該医療用ガーメントを取り付ける手段を提供する、条項ＣＬＩＸに記載の医療用ガーメント。
ＣＬＸＩＩＩ．前記透明フェイスシールドが、当該透明フェイスシールドの前記下部に位置決めされた第２の開口部をさらに備え、
前記第１の取り付け要素の前記ポストの少なくとも一部が、前記第２の開口部に配設された、条項ＣＬＩＸに記載の医療用ガーメント。
ＣＬＸＩＶ．前記第１の取り付け要素および前記第２の取り付け要素がそれぞれ、前記ポストの遠位端に結合された保持機構を備えた、条項ＣＬＸＩＩＩに記載の医療用ガーメント。
ＣＬＸＶ．前記タブが、前記透明フェイスシールドの前記上部から延びるように構成された、条項ＣＬＸＩＩＩに記載の医療用ガーメント。
ＣＬＸＶＩ．前記タブが、前記両外側縁部が相互に大略平行となるように形成された、条項ＣＬＶＩＩＩに記載の医療用ガーメント。
ＣＬＸＶＩＩ．前記第１の取り付け要素が、接着剤によって前記透明フェイスシールドに固定された、条項ＣＬＶＩＩＩに記載の医療用ガーメント。
ＣＬＸＶＩＩＩ．環境と着用者との間にバリアを設ける医療用ガーメントであり、位置合わせチャネル内に少なくとも一部が配設された突起および少なくとも２つの磁性結合部材を含む下顎バーを含むヘルメットとの併用が意図された、医療用ガーメントであって、
ヘルメットの上方に少なくとも一部が配設されるように構成され、開口を備えたシェルと、
前記シェルの前記開口内に配設された透明フェイスシールドであり、
第１の表面および反対の第２の表面と、
上部および下部と、
を備えた、透明フェイスシールドと、
ヘルメットの位置合わせチャネルにより、ヘルメットに対して前記シェルを位置合わせする外側縁部を有する前記シェルの前記着用者側のタブと、
前記タブに少なくとも一部が形成され、ヘルメットの突起に対して取り外し可能に係合することにより、ヘルメットに対して前記シェルを位置合わせするように構成された第１の開口部と、
前記第１の開口部の両側部上で前記透明フェイスシールドの前記下部に固定された第１の取り付け要素および第２の取り付け要素と、
を備え、
前記第１の取り付け要素および前記第２の取り付け要素がそれぞれ、前記透明フェイスシールドの前記第１の表面よりも前記第２の表面に近い保持機構を備え、
前記第１の取り付け要素および前記第２の取り付け要素が、少なくとも部分的に強磁性材料を含み、
前記第１の取り付け要素および前記第２の取り付け要素の少なくとも一方が、前記バリアの前記着用者側に各結合凹部を規定し、前記第１の取り付け要素および前記第２の取り付け要素がそれぞれ、ヘルメットの磁性結合部材のうちの１つに対して取り外し可能に係合するように構成された、医療用ガーメント。
ＣＬＸＩＸ．前記取り付け要素がそれぞれ、遠位面および近位面を備えたヘッドを備え、前記遠位面が、前記透明フェイスシールドの前記第２の表面よりも前記第１の表面に近く、
前記結合凹部が、前記ヘッドの前記近位面に形成された、条項ＣＬＸＶＩＩＩに記載の医療用ガーメント。
ＣＬＸＸ．前記保持機構が、前記透明フェイスシールドの前記第１の表面よりも前記第２の表面に近い、条項ＣＬＸＶＩＩＩに記載の医療用ガーメント。
ＣＬＸＸＩ．前記第１の取り付け要素および前記第２の取り付け要素の少なくとも一方の前記結合凹部が、前記第１の取り付け要素および前記第２の取り付け要素の少なくとも一方と前記透明フェイスシールドの前記第１の表面との組み合わせにより規定された、条項ＣＬＸＶＩＩＩに記載の医療用ガーメント。
ＣＬＸＸＩＩ．前記タブが、前記透明フェイスシールドの前記上部から延びるように構成された、条項ＣＬＸＶＩＩＩに記載の医療用ガーメント。
ＣＬＸＸＩＩＩ．前記第１の取り付け要素および前記第２の取り付け要素がそれぞれ、
遠位面および近位面を備えたヘッドと、
前記ヘッドの前記遠位面から遠位方向に延びたポストと、
をさらに備え、
前記結合凹部が、前記ヘッドの前記近位面に形成された、条項ＣＬＸＶＩＩＩに記載の医療用ガーメント。
ＣＬＸＸＩＶ．前記保持機構が前記ポストの遠位端に結合されて、前記第１の取り付け要素および前記第２の取り付け要素それぞれを前記透明フェイスシールドに固定する、条項ＣＬＸＸＩＩＩに記載の医療用ガーメント。
ＣＬＸＸＶ．環境と着用者との間にバリアを設けるように構成された医療用ガーメントであり、位置合わせチャネル内に少なくとも一部が配設された突起および少なくとも２つの磁性結合部材を含む下顎バーを含むヘルメットとの併用が意図された、医療用ガーメントであって、
ヘルメットの上方に少なくとも一部が配設されるように構成され、開口を備えたシェルと、
前記シェルの前記開口内に配設され、上部、下部、第１の表面、および反対の第２の表面を備えた透明フェイスシールドと、
前記透明フェイスシールドの前記上部から延び、ヘルメットの位置合わせチャネルにより、ヘルメットに対して前記シェルを位置合わせする外側縁部を有するタブと、
前記タブに少なくとも一部が形成され、ヘルメットの突起に対して取り外し可能に係合することにより、ヘルメットに対して前記シェルを位置合わせするように構成された第１の開口部と、
前記第１の開口部の両側部上で前記透明フェイスシールドの前記下部に固定された第１の取り付け要素および第２の取り付け要素と、
を備え、
前記第１の取り付け要素および前記第２の取り付け要素の少なくとも一方が、少なくとも部分的に強磁性材料を含み、
前記第１の取り付け要素および前記第２の取り付け要素の少なくとも一方が、前記バリアの着用者側に各結合凹部を規定するとともに、ヘルメットの磁性結合部材に対して取り外し可能に係合するように構成された、医療用ガーメント。
ＣＬＸＸＶＩ．前記第１の取り付け要素および前記第２の取り付け要素がそれぞれ、
遠位面および近位面を備えたヘッドと、
前記ヘッドの前記遠位面から遠位方向に延びたポストと、
をさら備え、
前記結合凹部が、前記ヘッドの前記近位面に形成された、条項ＣＬＸＸＶに記載の医療用ガーメント。
ＣＬＸＸＶＩＩ．前記第１の取り付け要素および前記第２の取り付け要素がそれぞれ、前記ポストの遠位端に結合され、前記透明フェイスシールドの前記第１の表面よりも前記第２の表面に近い保持機構を備えた、条項ＣＬＸＸＶＩに記載の医療用ガーメント。
ＣＬＸＸＶＩＩＩ．環境と着用者との間にバリアを設けるように構成された医療用ガーメントであり、位置合わせチャネル内に少なくとも一部が配設された突起および磁性結合部材を含む下顎バーを含むヘルメットとの併用が意図された、医療用ガーメントであって、
ヘルメットの上方に少なくとも一部が配設されるように構成され、開口を備えたシェルと、
前記シェルの前記開口内に配設され、上部、下部、第１の表面、および反対の第２の表面を備えた透明フェイスシールドと、
前記透明フェイスシールドの前記上部から延び、ヘルメットの位置合わせチャネルにより、ヘルメットに対して前記シェルを位置合わせする外側縁部を有するタブと、
前記タブに少なくとも一部が形成され、ヘルメットの突起に対して取り外し可能に係合することにより、ヘルメットに対して前記シェルを位置合わせするように構成された第１の開口部と、
前記透明フェイスシールドの前記下部に固定された第１の取り付け要素と、
を備え、
前記第１の取り付け要素が、少なくとも部分的に強磁性材料を含み、
前記第１の取り付け要素が、前記バリアの着用者側に結合凹部を規定するとともに、ヘルメットの磁性結合部材に対して取り外し可能に係合するように構成された、医療用ガーメント。
ＣＬＸＸＶＩＸ．前記取り付け要素が、
遠位面および近位面を備えたヘッドと、
前記ヘッドの前記遠位面から遠位方向に延びたポストと、
をさらに備え、
前記結合凹部が、前記ヘッドの前記近位面に形成された、条項ＣＬＸＸＶＩＩＩに記載の医療用ガーメント。
ＣＬＸＸＸ．前記第１の取り付け要素が、前記ポストの遠位端に結合され、前記透明フェイスシールドの前記第１の表面よりも前記第２の表面に近い保持機構を備えた、条項ＣＬＸＸＩＸに記載の医療用ガーメント。
ＣＬＸＸＸＩ．医療環境と着用者との間に微生物バリアを設けるサージカルガーメントであって、
開口を備えた第１の材料と、
前記第１の材料の前記開口内に配設された透明フェイスシールドであり、
第１の表面および反対の第２の表面と、
上部および下部と、
を備えた、透明フェイスシールドと、
前記透明フェイスシールドに固定された第１の取り付け要素および第２の取り付け要素と、
を備え、
前記第１の取り付け要素および前記第２の取り付け要素の少なくとも一方が、強磁性材料を含み、
前記第１の取り付け要素および前記第２の取り付け要素の少なくとも一方が、前記微生物バリアの前記着用者側に各結合凹部を規定する、サージカルガーメント。
ＣＬＸＸＸＩＩ．前記取り付け要素がそれぞれ、相補多軸面を備えた、条項ＣＬＸＸＸＩに記載のサージカルガーメント。
ＣＬＸＸＸＩＩＩ．医療環境と着用者との間に微生物バリアを設けるサージカルガーメントであって、
当該サージカルガーメントをサージカルヘルメットの磁性結合部材に結合する手段を備え、磁性結合部材が、凸状面を備えた、サージカルガーメント。
ＣＬＸＸＸＩＶ．当該サージカルガーメントを結合する前記手段が、第１の取り付け要素を備え、
前記第１の取り付け要素が、強磁性材料を含み、
前記第１の取り付け要素が、サージカルヘルメットの磁性結合部材に対して取り外し可能に係合するように構成された結合凹部を前記微生物バリアの前記着用者側に規定する、条項ＣＬＸＸＸＩＩＩに記載のサージカルガーメント。
ＣＬＸＸＸＶ．医療環境と着用者との間に微生物バリアを設けるサージカルガーメントであって、
サージカルヘルメットの上方に少なくとも一部が配設されるように構成され、開口を備えた第１の材料と、
前記第１の材料の前記開口内に配設された透明フェイスシールドであり、
第１の表面および反対の第２の表面と、
上部および下部と、
サージカルヘルメットの突起に対して取り外し可能に係合することにより、サージカルヘルメットに対して前記第１の材料を位置合わせするように構成された当該透明フェイスシールド中の第１の開口部と、
を備えた、透明フェイスシールドと、
前記第１の開口部の両側部上で前記透明フェイスシールドの前記下部に固定された第１の取り付け要素および第２の取り付け要素と、
を備え、
前記第１の取り付け要素および前記第２の取り付け要素がそれぞれ、保持機構を備え、
前記第１の取り付け要素および前記第２の取り付け要素の少なくとも一方が、少なくとも部分的に強磁性材料を含み、
前記第１の取り付け要素および前記第２の取り付け要素の少なくとも一方が、前記微生物バリアの前記着用者側に各結合凹部を規定する、サージカルガーメント。
ＣＬＸＸＸＶＩ．前記取り付け要素がそれぞれ、遠位面および近位面を備えたヘッドを備え、前記遠位面が、前記透明フェイスシールドの前記近位面よりも前記第１の表面に近く、
前記結合凹部が、前記ヘッドの前記近位面に形成された、条項ＣＬＸＸＸＶに記載のサージカルガーメント。
ＣＬＸＸＸＶＩＩ．前記結合凹部が、前記ヘッドの前記近位面に向かって開き、凹形状を有する結合面を規定する、条項ＣＬＸＸＸＶＩに記載のサージカルガーメント。
ＣＬＸＸＸＶＩＩＩ．前記結合凹部が、前記ヘッドの前記近位面に向かって開き、多面の結合面を規定する、条項ＣＬＸＸＸＶＩに記載のサージカルガーメント。
ＣＬＸＸＸＩＸ．前記結合凹部が、前記ヘッドの前記近位面に向かって開き、大略半球形状を有する結合面を規定する、条項ＣＬＸＸＸＶＩに記載のサージカルガーメント。
ＣＸＣ．前記結合凹部が、前記ヘッドの前記近位面に向かって開き、大略ボウル状の結合面を規定する、条項ＣＬＸＸＸＶＩに記載のサージカルガーメント。
ＣＸＣＩ．前記結合凹部が、少なくとも１つの次元において実質的に弓形である、条項ＣＬＸＸＸＶＩに記載のサージカルガーメント。
ＣＸＣＩＩ．前記ヘッドが、前記近位面上で前記結合凹部を環状に囲むリムをさらに備えた、条項ＣＬＸＸＸＶＩに記載のサージカルガーメント。
ＣＸＣＩＩＩ．前記第１の取り付け要素および前記第２の取り付け要素それぞれの前記ヘッドが、当該ヘッドの前記遠位面から遠位方向に延びたポストをさらに備えた、条項ＣＬＸＸＸＶＩに記載のサージカルガーメント。
ＣＸＣＩＶ．前記透明フェイスシールドが、当該透明フェイスシールドの前記下部にそれぞれ位置決めされた第２の開口部および第３の開口部をさらに備え、
前記第１の取り付け要素の前記ポストの少なくとも一部が、前記第２の開口部に配設され、前記第２の取り付け要素の前記ポストの少なくとも一部が、前記第３の開口部に配設された、条項ＣＸＣＩＩＩに記載のサージカルガーメント。
ＣＸＣＶ．前記第１の取り付け要素の前記ポストが、近位部および遠位部をさらに備え、
前記近位部が第１の寸法を有し、前記遠位部が第２の寸法を有し、前記ポストが、前記第１の寸法が前記第２の寸法よりも大きくなるように構成され、
前記第１の取り付け要素の前記ポストの前記遠位部の少なくとも一部が、前記第２の開口部に配設され、前記近位部が、前記透明フェイスシールドに隣接して、前記ヘッドの前記遠位面を前記透明フェイスシールドの前記第１の表面から離間させた、条項ＣＸＣＩＩＩに記載のサージカルガーメント。
ＣＸＣＶＩ．前記微生物バリアの前記環境側で前記透明フェイスシールドに対して取り外し可能に結合された透明層をさらに備え、
前記透明層が、前記透明フェイスシールドを通した着用者の視界の妨げとなり得る前記透明層に堆積した任意のごみを除去するため、前記透明フェイスシールドから除去されるように構成された、条項ＣＸＣＶに記載のサージカルガーメント。
ＣＸＣＶＩＩ．前記取り付け要素の前記ポストを少なくとも部分的に受容するとともに、前記透明フェイスシールドの前記第２の表面に隣接して、前記保持機構を規定する保持部材をさらに備えた、条項ＣＸＣＩＶに記載のサージカルガーメント。
ＣＸＣＶＩＩＩ．前記サージカルガーメントアセンブリが、トーガの形態である、条項ＣＬＸＸＸＶに記載のサージカルガーメント。
ＣＸＣＩＸ．前記透明フェイスシールドが、前記上部から前記下部まで延び、当該透明フェイスシールドを二等分する第１の軸をさらに備え、前記第１の取り付け要素および前記第２の取り付け要素が、前記透明フェイスシールドの前記第１の軸に対して対称に離間した、条項ＣＬＸＸＸＶに記載のサージカルガーメント。
ＣＣ．前記透明フェイスシールドが、当該サージカルガーメントにより覆われた外周部を備えた、条項ＣＬＸＸＸＶに記載のサージカルガーメント。
ＣＣＩ．前記第１の取り付け要素および前記第２の取り付け要素が、前記透明フェイスシールドの前記外周部に結合された、条項ＣＣに記載のサージカルガーメント。
ＣＣＩＩ．前記保持機構が、前記透明フェイスシールドの前記第１の表面よりも前記第２の表面に近い、条項ＣＬＸＸＸＶに記載のサージカルガーメント。
ＣＣＩＩＩ．前記第１の取り付け要素および前記第２の取り付け要素の少なくとも一方の前記結合凹部が、前記第１の取り付け要素および前記第２の取り付け要素の少なくとも一方と前記透明フェイスシールドの前記第１の表面との組み合わせにより規定された、条項ＣＬＸＸＸＶに記載のサージカルガーメント。
ＣＣＶＩ．医療環境と着用者との間に微生物バリアを設けるサージカルガーメントであって、
開口を備えた第１の材料と、
前記第１の材料の前記開口内に配設された透明フェイスシールドであり、
第１の表面および反対の第２の表面と、
上部および下部と、
を備えた、透明フェイスシールドと、
前記第１の材料の着用者側に配設され、サージカルヘルメットに対して取り外し可能に係合する第１の結合器と、
前記透明フェイスシールドの前記下部に固定された第１の取り付け要素および第２の取り付け要素と、
を備え、
前記第１の取り付け要素および前記第２の取り付け要素がそれぞれ、保持機構を備え、
前記第１の取り付け要素および前記第２の取り付け要素の少なくとも一方が、強磁性材料を含み、
前記第１の取り付け要素および前記第２の取り付け要素の少なくとも一方が、前記微生物バリアの前記着用者側に各結合凹部を規定するとともに、前記サージカルヘルメットの前記磁性結合部材に対して取り外し可能に係合するように構成された、サージカルガーメント。
ＣＣＶ．前記取り付け要素がそれぞれ、遠位面および近位面を有するヘッドをさらに備え、
前記結合凹部が、前記ヘッドの前記近位面に形成された、条項ＣＣＩＶに記載のサージカルガーメント。
ＣＣＶＩ．前記結合凹部が、前記ヘッドの前記近位面に向かって開き、凹形状を有する結合面を規定する、条項ＣＣＩＶに記載のサージカルガーメント。
ＣＣＶＩＩ．前記第１の取り付け要素の前記ヘッドが、当該ヘッドの前記遠位面から遠位方向に延びたポストをさらに備えた、条項ＣＣＩＶに記載のサージカルガーメント。
ＣＣＶＩＩＩ．前記透明フェイスシールドが、当該透明フェイスシールドの前記下部に位置決めされた第２の開口部をさらに備え、
前記第１の取り付け要素の前記ポストの少なくとも一部が、前記第１の開口部に配設された、条項ＣＣＶＩＩに記載のサージカルガーメント。
ＣＣＩＸ．前記第１の取り付け要素の前記ポストが、近位部および遠位部をさらに備え、
前記近位部が第１の寸法を有し、前記遠位部が第２の寸法を有し、前記ポストが、前記第１の寸法が前記第２の寸法よりも大きくなるように構成され、
前記ポストの前記遠位部の少なくとも一部が、前記第２の開口部に配設され、前記近位部が、前記透明フェイスシールドの前記第１の表面に隣接して、前記ヘッドの前記遠位面を前記透明フェイスシールドの前記第１の表面から離間させた、条項ＣＣＶＩＩに記載のサージカルガーメント。
ＣＣＸ．前記保持機構が、前記透明フェイスシールドの前記第１の表面よりも前記第２の表面に近い、条項ＣＣＩＶに記載のサージカルガーメント。
ＣＣＸＩ．前記第１の取り付け要素および前記第２の取り付け要素の少なくとも一方の前記結合凹部が、前記第１の取り付け要素および前記第２の取り付け要素の少なくとも一方と前記透明フェイスシールドの前記第１の表面との組み合わせにより規定された、条項ＣＣＩＶに記載のサージカルガーメント。
ＣＣＸＩＩ．医療環境と着用者との間に微生物バリアを設けるサージカルガーメントであって、
開口を備えた第１の材料と、
前記第１の材料の前記開口内に配設され、上部および下部を備えた透明フェイスシールドと、
第１の結合器と、
前記透明フェイスシールドの前記下部に固定された第１の取り付け要素および第２の取り付け要素と、
を備え、
前記第１の取り付け要素および前記第２の取り付け要素がそれぞれ、遠位面および近位面を備えたヘッドと、前記遠位面から延びたポストとを備え、
前記ポストが、遠位部および前記ヘッドの前記遠位面に隣接する近位部を備え、
前記近位部が第１の寸法を有し、前記第２の部分が第２の寸法を有し、前記第１の寸法が前記第２の寸法よりも大きく、
前記第１の取り付け要素および前記第２の取り付け要素それぞれの前記ヘッドが、強磁性材料を含む、サージカルガーメント。
ＣＣＸＩＩＩ．医療環境と着用者との間に微生物バリアを設けるサージカルガーメントであって、
開口を備えた第１の材料と、
前記第１の材料の前記開口内に配設された透明フェイスシールドであり、
第１の表面および反対の第２の表面と、
上部および下部と、
を備えた、透明フェイスシールドと、
前記第１の材料の着用者側に配設された第１の結合器と、
前記透明フェイスシールドの前記下部に固定された第１の取り付け要素と、
を備え、
前記第１の取り付け要素が、強磁性材料を含み、
前記第１の取り付け要素が、サージカルヘルメットの磁性結合部材に対して取り外し可能に係合するように構成された結合凹部を前記微生物バリアの前記着用者側に規定する、サージカルガーメント。
ＣＣＸＩＶ．前記第１の取り付け要素が、当該第１の取り付け要素を前記透明フェイスシールドに固定するように構成された保持機構を備え、
前記保持機構が、前記透明フェイスシールドの前記第１の表面よりも前記第２の表面に近い、条項ＣＣＸＩＩＩに記載のサージカルガーメント。
ＣＣＸＶ．環境と着用者との間にバリアを設けるように構成された医療用ガーメントであって、
開口を備えたシェルと、
前記シェルの前記開口内に配設され、上部および下部を備えた透明フェイスシールドと、
両外側縁部を有する前記シェルの着用者側のタブと、
前記タブに形成された第１の開口部と、
前記透明フェイスシールドの前記下部に固定された第１の取り付け要素と、
を備え、
前記第１の取り付け要素が、少なくとも部分的に強磁性材料を含み、
前記第１の取り付け要素のうちの少なくとも１つが、前記バリアの着用者側に結合凹部を規定するとともに、ヘルメットの磁性結合部材に対して取り外し可能に係合するように構成された、医療用ガーメント。
ＣＣＸＶＩ．前記取り付け要素が、
遠位面および近位面を備えたヘッドと、
前記ヘッドの前記遠位面から遠位方向に延びたポストと、
をさらに備え、
前記結合凹部が、前記ヘッドの前記近位面に形成された、条項ＣＣＸＶに記載の医療用ガーメント。
ＣＣＸＶＩＩ．前記結合凹部が、前記ヘッドの前記近位面に対して開き、凹形状を有する結合面を規定する、条項ＣＣＸＶＩに記載の医療用ガーメント。
ＣＣＸＶＩＩＩ．前記結合凹部が、少なくとも１つの次元において実質的に弓形である、条項ＣＣＸＶＩに記載の医療用ガーメント。
ＣＣＸＩＸ．第１の取り付け要素の結合凹部が、凸面を有する磁性結合部材に対して当該医療用ガーメントを取り付ける手段を提供する、条項ＣＣＸＶＩに記載の医療用ガーメント。
ＣＣＸＸ．前記透明フェイスシールドが、当該透明フェイスシールドの前記下部に位置決めされた第２の開口部をさらに備え、
前記第１の取り付け要素の前記ポストの少なくとも一部が、前記第２の開口部に配設された、条項ＣＣＸＶＩに記載の医療用ガーメント。
ＣＣＸＸＩ．前記第１の取り付け要素および前記第２の取り付け要素がそれぞれ、前記ポストの遠位端に結合された保持機構を備えた、条項ＣＣＸＸに記載の医療用ガーメント。
ＣＣＸＸＩＩ．前記タブが、前記透明フェイスシールドの前記上部から延びた、条項ＣＣＸＶに記載の医療用ガーメント。
ＣＣＸＸＩＩＩ．前記タブが、前記両外側縁部が相互に大略平行となるように形成された、条項ＣＣＸＶに記載の医療用ガーメント。
ＣＣＸＸＩＶ．前記第１の取り付け要素が、接着剤によって前記透明フェイスシールドに固定された、条項ＣＣＸＶに記載の医療用ガーメント。
ＣＣＸＸＶ．環境と着用者との間にバリアを設ける医療用ガーメントであって、
開口を備えたシェルと、
前記シェルの前記開口内に配設された透明フェイスシールドであり、
第１の表面および反対の第２の表面と、
上部および下部と、
を備えた、透明フェイスシールドと、
外側縁部を有する前記シェルの前記着用者側のタブと、
前記タブに少なくとも一部が形成された第１の開口部と、
前記第１の開口部の両側部上で前記透明フェイスシールドの前記下部に固定された第１の取り付け要素および第２の取り付け要素と、
を備え、
前記第１の取り付け要素および前記第２の取り付け要素がそれぞれ、前記透明フェイスシールドの前記第１の表面よりも前記第２の表面に近い保持機構を備え、
前記第１の取り付け要素および前記第２の取り付け要素が、少なくとも部分的に強磁性材料を含み、
前記第１の取り付け要素および前記第２の取り付け要素の少なくとも一方が、前記バリアの前記着用者側に各結合凹部を規定し、前記第１の取り付け要素および前記第２の取り付け要素がそれぞれ、ヘルメットの磁性結合部材のうちの１つに対して取り外し可能に係合するように構成された、医療用ガーメント。
ＣＣＸＸＶＩ．前記取り付け要素がそれぞれ、遠位面および近位面を備えたヘッドを備え、前記遠位面が、前記透明フェイスシールドの前記第２の表面よりも前記第１の表面に近く、
前記結合凹部が、前記ヘッドの前記近位面に形成された、条項ＣＣＸＸＶに記載の医療用ガーメント。
ＣＣＸＸＶＩＩ．前記保持機構が、前記透明フェイスシールドの前記第１の表面よりも前記第２の表面に近い、条項ＣＣＸＸＶに記載の医療用ガーメント。
ＣＣＸＸＶＩＩＩ．前記第１の取り付け要素および前記第２の取り付け要素の少なくとも一方の前記結合凹部が、前記第１の取り付け要素および前記第２の取り付け要素の少なくとも一方と前記透明フェイスシールドの前記第１の表面との組み合わせにより規定された、条項ＣＣＸＸＶに記載の医療用ガーメント。
ＣＣＸＸＩＸ．前記タブが、前記透明フェイスシールドの前記上部から延びるように構成された、条項ＣＣＸＸＶに記載の医療用ガーメント。
ＣＣＸＸＸ．前記第１の取り付け要素および前記第２の取り付け要素がそれぞれ、
遠位面および近位面を備えたヘッドと、
前記ヘッドの前記遠位面から遠位方向に延びたポストと、
をさらに備え、
前記結合凹部が、前記ヘッドの前記近位面に形成された、条項ＣＣＸＸＶに記載の医療用ガーメント。
ＣＣＸＸＸＩ．前記保持機構が前記ポストの遠位端に結合されて、前記第１の取り付け要素および前記第２の取り付け要素それぞれを前記透明フェイスシールドに固定する、条項ＣＣＸＸＸに記載の医療用ガーメント。
ＣＣＸＸＸＩＩ．環境と着用者との間にバリアを設けるように構成された医療用ガーメントであって、
開口を備えたシェルと、
前記シェルの前記開口内に配設され、上部、下部、第１の表面、および反対の第２の表面を備えた透明フェイスシールドと、
前記透明フェイスシールドの前記上部から延び、外側縁部を有するタブと、
前記タブに少なくとも一部が形成された第１の開口部と、
前記第１の開口部の両側部上で前記透明フェイスシールドの前記下部に固定された第１の取り付け要素および第２の取り付け要素と、
を備え、
前記第１の取り付け要素および前記第２の取り付け要素の少なくとも一方が、少なくとも部分的に強磁性材料を含み、
前記第１の取り付け要素および前記第２の取り付け要素の少なくとも一方が、前記バリアの着用者側に各結合凹部を規定するとともに、ヘルメットの磁性結合部材に対して取り外し可能に係合するように構成された、医療用ガーメント。
ＣＣＸＸＸＩＩＩ．前記第１の取り付け要素および前記第２の取り付け要素がそれぞれ、
遠位面および近位面を備えたヘッドと、
前記ヘッドの前記遠位面から遠位方向に延びたポストと、
をさらに備え、
前記結合凹部が、前記ヘッドの前記近位面に形成された、条項ＣＣＸＸＸＩＩに記載の医療用ガーメント。
ＣＣＸＸＸＩＶ．前記第１の取り付け要素および前記第２の取り付け要素がそれぞれ、前記ポストの遠位端に結合され、前記透明フェイスシールドの前記第１の表面よりも前記第２の表面に近い保持機構を備えた、条項ＣＣＸＸＸＩＩＩに記載の医療用ガーメント。
ＣＣＸＸＸＶ．環境と着用者との間にバリアを設けるように構成された医療用ガーメントであって、
開口を備えたシェルと、
前記シェルの前記開口内に配設され、上部、下部、第１の表面、および反対の第２の表面を備えた透明フェイスシールドと、
前記透明フェイスシールドの前記上部から延び、外側縁部を有するタブと、
前記タブに少なくとも一部が形成された第１の開口部と、
前記透明フェイスシールドの前記下部に固定された第１の取り付け要素と、
を備え、
前記第１の取り付け要素が、少なくとも部分的に強磁性材料を含み、
前記第１の取り付け要素が、前記バリアの着用者側に結合凹部を規定するとともに、ヘルメットの磁性結合部材に対して取り外し可能に係合するように構成された、医療用ガーメント。
ＣＣＸＸＸＶＩ．前記取り付け要素が、
遠位面および近位面を備えたヘッドと、
前記ヘッドの前記遠位面から遠位方向に延びたポストと、
をさらに備え、
前記結合凹部が、前記ヘッドの前記近位面に形成された、条項ＣＣＸＸＸＶに記載の医療用ガーメント。
ＣＣＸＸＸＶＩＩ．前記第１の取り付け要素が、前記ポストの遠位端に結合され、前記透明フェイスシールドの前記第１の表面よりも前記第２の表面に近い保持機構を備えた、条項ＣＣＸＸＸＶＩに記載の医療用ガーメント。
【０２０２】
上記説明においては、複数の構成について論じた。ただし、本明細書に記載の構成は、何ら網羅的でもなければ、システム１０、１１０、６１０、１４１０を如何なる特定の形態に限定する意図もない。使用した専門用語は、本質的に、限定ではなく説明の用語の範疇に入るものである。上記教示内容に照らして、多くの改良および変形が可能であり、上記システムは、具体的な説明と異なる実施がなされ得る。さらに、種々構成において記載の１００きざみの参照番号を含む要素は、類似の特徴を有し得ることが了解されるものとする。
【図１】
2021512231.tif 000003
【図２】
2021512231.tif 000004
【図３】
2021512231.tif 000005
【図４Ａ】
2021512231.tif 000006
【図４Ｂ】
2021512231.tif 000007
【図５】
2021512231.tif 000008
【図６】
2021512231.tif 000009
【図７】
2021512231.tif 000010
【図８】
2021512231.tif 000011
【図９Ａ】
2021512231.tif 000012
【図９Ｂ】
2021512231.tif 000013
【図１０Ａ】
2021512231.tif 000014
【図１０Ｂ】
2021512231.tif 000015
【図１１】
2021512231.tif 000016
【図１２Ａ】
2021512231.tif 000017
【図１２Ｂ】
2021512231.tif 000018
【図１３Ａ】
2021512231.tif 000019
【図１３Ｂ】
2021512231.tif 000020
【図１４】
2021512231.tif 000021
【図１５Ａ】
2021512231.tif 000022
【図１５Ｂ】
2021512231.tif 000023
【図１６Ａ】
2021512231.tif 000024
【図１６Ｂ】
2021512231.tif 000025
【図１７Ａ】
2021512231.tif 000026
【図１７Ｂ】
2021512231.tif 000027
【図１８Ａ】
2021512231.tif 000028
【図１８Ｂ】
2021512231.tif 000029
【図１８Ｃ】
2021512231.tif 000030
【図１８Ｄ】
2021512231.tif 000031
【図１９Ａ】
2021512231.tif 000032
【図１９Ｂ】
2021512231.tif 000033
【図１９Ｃ】
2021512231.tif 000034
【図２０Ａ】
2021512231.tif 000035
【図２０Ｂ】
2021512231.tif 000036
【図２０Ｃ】
2021512231.tif 000037
【図２０Ｄ】
2021512231.tif 000038
【図２１Ａ】
2021512231.tif 000039
【図２１Ｂ】
2021512231.tif 000040
【図２１Ｃ】
2021512231.tif 000041
【図２２Ａ】
2021512231.tif 000042
【図２２Ｂ】
2021512231.tif 000043
【図２２Ｃ】
2021512231.tif 000044
【図２３Ａ】
2021512231.tif 000045
【図２３Ｂ】
2021512231.tif 000046
【図２４Ａ】
2021512231.tif 000047
【図２４Ｂ】
2021512231.tif 000048
【図２５Ａ】
2021512231.tif 000049
【図２５Ｂ】
2021512231.tif 000050
【図２６Ａ】
2021512231.tif 000051
【図２６Ｂ】
2021512231.tif 000052
【図２７Ａ】
2021512231.tif 000053
【図２７Ｂ】
2021512231.tif 000054
【図２８Ａ】
2021512231.tif 000055
【図２８Ｂ】
2021512231.tif 000056
【図２９Ａ】
2021512231.tif 000057
【図２９Ｂ】
2021512231.tif 000058
【図３０】
2021512231.tif 000059
【図３１】
2021512231.tif 000060
【図３２】
2021512231.tif 000061
【図３３】
2021512231.tif 000062
【図３４】
2021512231.tif 000063
【図３５】
2021512231.tif 000064
【図３６】
2021512231.tif 000065
【手続補正書】
【提出日】令和2年9月28日(2020.9.28)
【手続補正１】
【補正対象書類名】特許請求の範囲
【補正対象項目名】全文
【補正方法】変更
【補正の内容】
【特許請求の範囲】
【請求項１】
周辺機器を含むサージカルアパレルシステム（１０）であって、
着用者の頭部に装着されるサージカルヘルメット（２０）であり、
遠位面（６２５）を有し、前記遠位面において凹部（６２７）を規定する下顎バー（２４，１２４，６２４，１４２４）と、
前記凹部（６２７）内に配設され、前記下顎バー（２４，１２４，６２４，１４２４）の前記遠位面（６２５）に近接して位置決めされた遠位面（６４７）を有し、強磁性材料または磁性材料の一方を含む第１の結合部材（４８，６４８，７４８，８４８，９４８，１０４８，１１４８，１２４８，１３４８，１４４８）と、
を備えたフェイスフレームを備えた、サージカルヘルメット（２０）と、
前記サージカルヘルメット（２０）の上方に少なくとも一部が配設され、医療環境と前記着用者との間に微生物バリアを設けるように構成されたサージカルガーメント（１２，１１２，６１２）であり、
前記サージカルヘルメット（２０）の上方に少なくとも一部が配設された場合に、前記着用者の顔面の前方に位置決めされるように構成された開口を規定するサージカル布（１４，２１４，６１４，１４１４）と、
前記サージカル布の前記開口内に配設され、上部、下部、第１の表面、および反対の第２の表面を備えた透明フェイスシールド（１８，６１８）と、
前記透明フェイスシールド（１８，６１８）に結合され、前記強磁性材料または前記磁性材料の他方を含み、近位面（６５９，７５９，８５９，９５９，１０５９，１１５９，１２５９，１３５９）を有するヘッド（６６０，７６０，８６０，９６０，１０６０，１２６０，１３６０）を備えた第１の取り付け要素（５８，１５８，５５８，６５８，７５８，８５８，９５８，１０５８，１１５８，１２５８，１３５８，１４５８）で、前記ヘッドが、前記サージカルガーメント（１２，１１２，６１２）の少なくとも一部が前記サージカルヘルメット（２０）の上方に配設された場合に、前記第１の結合部材（４８，６４８，７４８，８４８，９４８，１０４８，１１４８，１２４８，１３４８，１４４８）に対して取り外し可能に係合するように構成された、第１の取り付け要素（５８，１５８，５５８，６５８，７５８，８５８，９５８，１０５８，１１５８，１２５８，１３５８，１４５８）と、
を備え、前記ヘッド（６６０，７６０，８６０，９６０，１０６０，１２６０，１３６０）の前記近位面（６５９，７５９，８５９，９５９，１０５９，１１５９，１２５９，１３５９）が、前記第１の取り付け要素（５８，１５８，５５８，６５８，７５８，８５８，９５８，１０５８，１１５８，１２５８，１３５８，１４５８）が前記第１の結合部材（４８，６４８，７４８，８４８，９４８，１０４８，１１４８，１２４８，１３４８，１４４８）に係合した場合に、前記下顎バー（２４，１２４，６２４，１４２４）の前記遠位面（６２５）に近接して位置決めされた、サージカルガーメント（１２，１１２，６１２）と、
を備えた、サージカルアパレルシステム。
【請求項２】
前記サージカルヘルメット（２０）が、前記下顎バー（２４，１２４，６２４，１４２４）内に配設され、前記第１の結合部材（４８，６４８，７４８，８４８，９４８，１０４８，１１４８，１２４８，１３４８，１４４８）に隣接して位置決めされたセンサ（１７０，２７０，３７０，４７０，５７０）をさらに備え、
前記センサ（１７０，２７０，３７０，４７０，５７０）が、前記第１の結合部材（４８，６４８，７４８，８４８，９４８，１０４８，１１４８，１２４８，１３４８，１４４８）に隣り合う前記第１の取り付け要素（５８，１５８，５５８，６５８，７５８，８５８，９５８，１０５８，１１５８，１２５８，１３５８，１４５８）の存在を検出することによって、前記サージカルガーメント（１２，１１２，６１２）が前記サージカルヘルメット（２０）に結合されたタイミングを検出するように構成された、請求項１に記載のサージカルアパレルシステム。
【請求項３】
前記第１の結合部材（４８，６４８，７４８，８４８，９４８，１０４８，１１４８，１２４８，１３４８，１４４８）が、磁性材料を含み、前記第１の取り付け要素（５８，１５８，５５８，６５８，７５８，８５８，９５８，１０５８，１１５８，１２５８，１３５８，１４５８）が、強磁性材料を含み、
前記センサ（１７０，２７０，３７０，４７０，５７０）が、前記第１の結合部材（４８，６４８，７４８，８４８，９４８，１０４８，１１４８，１２４８，１３４８，１４４８）に対する前記第１の取り付け要素（５８，１５８，５５８，６５８，７５８，８５８，９５８，１０５８，１１５８，１２５８，１３５８，１４５８）の近接性に少なくとも部分的に基づいて、前記第１の結合部材（４８，６４８，７４８，８４８，９４８，１０４８，１１４８，１２４８，１３４８，１４４８）を囲む磁界の変化を検出するように構成されたホール効果センサである、請求項２に記載のサージカルアパレルシステム。
【請求項４】
前記第１の結合部材（４８，６４８，７４８，８４８，９４８，１０４８，１１４８，１２４８，１３４８，１４４８）が、強磁性材料を含み、前記第１の取り付け要素（５８，１５８，５５８，６５８，７５８，８５８，９５８，１０５８，１１５８，１２５８，１３５８，１４５８）が、磁性材料を含み、
前記センサ（１７０，２７０，３７０，４７０，５７０）が、前記第１の結合部材（４８，６４８，７４８，８４８，９４８，１０４８，１１４８，１２４８，１３４８，１４４８）に対する前記第１の取り付け要素（５８，１５８，５５８，６５８，７５８，８５８，９５８，１０５８，１１５８，１２５８，１３５８，１４５８）の近接性に少なくとも部分的に基づいて、前記第１の結合部材（４８，６４８，７４８，８４８，９４８，１０４８，１１４８，１２４８，１３４８，１４４８）を囲む磁界の変化を検出するように構成されたホール効果センサである、請求項２に記載のサージカルアパレルシステム。
【請求項５】
前記第１の結合部材（４８，６４８，７４８，８４８，９４８，１０４８，１１４８，１２４８，１３４８，１４４８）が
前記遠位面（６４７）の反対の近位面（６５７）と、
前記第１の結合部材（４８，６４８，７４８，８４８，９４８，１０４８，１１４８，１２４８，１３４８，１４４８）の前記近位面（６５７）および前記遠位面（６４７）を通って延び、前記第１の結合部材（４８，６４８，７４８，８４８，９４８，１０４８，１１４８，１２４８，１３４８，１４４８）の両側部を規定する横断面と、
をさらに備え、
前記第１の結合部材（４８，６４８，７４８，８４８，９４８，１０４８，１１４８，１２４８，１３４８，１４４８）が、前記横断面を横切って分極した磁性材料を含む、請求項１〜４のいずれか１項に記載のサージカルアパレルシステム。
【請求項６】
前記第１の結合部材（４８，６４８，７４８，８４８，９４８，１０４８，１１４８，１２４８，１３４８，１４４８）が
前記遠位面（６４７）の反対の近位面（６５７）と、
前記第１の結合部材（４８，６４８，７４８，８４８，９４８，１０４８，１１４８，１２４８，１３４８，１４４８）の前記近位面（６５７）および前記遠位面（６４７）を通って延び、前記第１の結合部材（４８，６４８，７４８，８４８，９４８，１０４８，１１４８，１２４８，１３４８，１４４８）の両側部を規定する横断面と、
をさらに備え、
前記第１の結合部材（４８，６４８，７４８，８４８，９４８，１０４８，１１４８，１２４８，１３４８，１４４８）が、当該第１の結合部材の前記両側部の一方が第１の極性を備え、前記両側部の他方が第２の極性を備えるように、前記横断面を横切って分極した磁性材料を含む、請求項１〜４のいずれか１項に記載のサージカルアパレルシステム。
【請求項７】
前記近位面（６５７）および前記遠位面（６４７）それぞれの外縁が前記第１の結合部材（４８，６４８，７４８，８４８，９４８，１０４８，１１４８，１２４８，１３４８，１４４８）の中心軸を規定し、
前記横断面が、前記第１の結合部材（４８，６４８，７４８，８４８，９４８，１０４８，１１４８，１２４８，１３４８，１４４８）の前記中心軸と交差するように構成された、請求項５または６に記載のサージカルアパレルシステム。
【請求項８】
前記サージカルヘルメット（２０）が、前記横断面上で前記第１の結合部材（４８，６４８，７４８，８４８，９４８，１０４８，１１４８，１２４８，１３４８，１４４８）に隣接して位置決めされたセンサ（１７０，２７０，３７０，４７０，５７０）をさらに備え、
前記センサ（１７０，２７０，３７０，４７０，５７０）が、前記第１の結合部材（４８，６４８，７４８，８４８，９４８，１０４８，１１４８，１２４８，１３４８，１４４８）に隣り合う前記第１の取り付け要素（５８，１５８，５５８，６５８，７５８，８５８，９５８，１０５８，１１５８，１２５８，１３５８，１４５８）の存在を検出することによって、前記サージカルガーメント（１２，１１２，６１２）が前記サージカルヘルメット（２０）に結合されたタイミングを検出するように構成された、請求項５〜７のいずれか１項に記載のサージカルアパレルシステム。
【請求項９】
前記第１の取り付け要素（５８，１５８，５５８，６５８，７５８，８５８，９５８，１０５８，１１５８，１２５８，１３５８，１４５８）が、前記透明フェイスシールド（１８，６１８）への横力の印加に応じた前記サージカルガーメント（１２，１１２，６１２）の前記サージカルヘルメット（２０）からの分離に抗するように成形された、請求項１〜８のいずれか１項に記載のサージカルアパレルシステム。
【請求項１０】
前記ヘッド（６６０，７６０，８６０，９６０，１０６０，１２６０，１３６０）の前記近位面（６５９，７５９，８５９，９５９，１０５９，１１５９，１２５９，１３５９）が、前記第１の結合部材（４８，６４８，７４８，８４８，９４８，１０４８，１１４８，１２４８，１３４８，１４４８）に係合するように構成され、
前記第１の取り付け要素（５８，１５８，５５８，６５８，７５８，８５８，９５８，１０５８，１１５８，１２５８，１３５８，１４５８）の前記近位面（６５９，７５９，８５９，９５９，１０５９，１１５９，１２５９，１３５９）が、前記第１の取り付け要素（５８，１５８，５５８，６５８，７５８，８５８，９５８，１０５８，１１５８，１２５８，１３５８，１４５８）が前記第１の結合部材（４８，６４８，７４８，８４８，９４８，１０４８，１１４８，１２４８，１３４８，１４４８）に係合した場合に、前記下顎バー（２４，１２４，６２４，１４２４）の前記遠位面に近接して位置決めされた、請求項１〜９のいずれか１項に記載のサージカルアパレルシステム。
【請求項１１】
前記透明フェイスシールド（１８，６１８）が、前記サージカルガーメント（１２，１１２，６１２）の着用者側に配設され、両外側縁部（６４３Ａ，６４３Ｂ）間に配設された開口部を備えたタブ（６５５）をさらに備えた、請求項１〜１０のいずれか１項に記載のサージカルアパレルシステム。
【請求項１２】
前記透明フェイスシールド（１８，６１８）が、前記上部において第１の開口部（５６，６５６）をさらに備え、
前記サージカルヘルメット（２０）が、位置合わせチャネルを備えた頂部ビーム（２９，１２９，６２９）をさらに備え、
前記頂部ビーム（２９，１２９，６２９）が、前記位置合わせチャネルに少なくとも一部が配設され、前記透明フェイスシールド（１８，６１８）の前記上部において前記第１の開口部（５６，６５６）に係合するように構成された突起（４６．６４６）をさらに備えた、請求項１〜１１のいずれか１項に記載のサージカルアパレルシステム。
【請求項１３】
前記透明フェイスシールド（１８，６１８）が、前記サージカルガーメント（１２，１１２，６１２）の着用者側に配設され、かつ、前記透明フェイスシールド（１８，６１８）の前記上部から延び、両外側縁部（６４３Ａ，６４３Ｂ）を備えたタブ（６５５）をさらに備え、
前記透明フェイスシールド（１８，６１８）の前記第１の開口部（５６，６５６）の少なくとも一部が、前記タブ（６５５）によって画定され、
前記タブ（６５５）が、前記第１の開口部（５６，６５６）が前記突起（４６．６４６）に係合した場合に、前記位置合わせチャネル内に少なくとも一部が配設されるように構成された、請求項１２に記載のサージカルアパレルシステム。
【請求項１４】
前記第１の取り付け要素（５８，１５８，５５８，６５８，７５８，８５８，９５８，１０５８，１１５８，１２５８，１３５８，１４５８）の前記ヘッド（６６０，７６０，８６０，９６０，１０６０，１２６０，１３６０）が、前記近位面（６５９，７５９，８５９，９５９，１０５９，１１５９，１２５９，１３５９）の反対の遠位面（６６５，７６５，８６５，９６５，１０６５，１１６５，１２６５，１３６５）と、当該ヘッド（６６０，７６０，８６０，９６０，１０６０，１２６０，１３６０）の前記遠位面（６６５，７６５，８６５，９６５，１０６５，１１６５，１２６５，１３６５）から遠位方向に延びたポスト（６６７，７６７，８６７，９６７，１０６７，１１６７，１２６７，１３６７）と、をさらに備えた、請求項１〜１３のいずれか１項に記載のサージカルアパレルシステム。
【請求項１５】
前記第１の取り付け要素（５８，１５８，５５８，６５８，７５８，８５８，９５８，１０５８，１１５８，１２５８，１３５８，１４５８）の前記ポスト（６６７，７６７，８６７，９６７，１０６７，１１６７，１２６７，１３６７）が、近位部（６６９，７６９，１０６９，１１６９）および遠位部（６７１，７７１，１０７１，１１７１）をさらに備え、
前記近位部（６６９，７６９，１０６９，１１６９）が第１の寸法を有し、前記遠位部（６７１，７７１，１０７１，１１７１）が第２の寸法を有し、前記ポスト（６６７，７６７，８６７，９６７，１０６７，１１６７，１２６７，１３６７）が、前記第１の寸法が前記第２の寸法よりも大きくなるように構成され、
前記透明フェイスシールド（１８，６１８）が、前記下部において第２の開口部をさらに備え、
前記第１の取り付け要素（５８，１５８，５５８，６５８，７５８，８５８，９５８，１０５８，１１５８，１２５８，１３５８，１４５８）の前記ポスト（６６７，７６７，８６７，９６７，１０６７，１１６７，１２６７，１３６７）の前記遠位部（６７１，７７１，１０７１，１１７１）の少なくとも一部が、前記第２の開口部に配設され、前記近位部（６６９，７６９，１０６９，１１６９）が、前記透明フェイスシールド（１８，６１８）に隣接して、前記ヘッド（６６０，７６０，８６０，９６０，１０６０，１２６０，１３６０）の前記遠位面を前記透明フェイスシールド（１８，６１８）の前記第１の表面から離間させた、請求項１４に記載のサージカルアパレルシステム。
【請求項１６】
前記サージカルヘルメット（２０）が、前記下顎バー（２４，１２４，６２４，１４２４）の前記遠位面において第２の凹部（６２７）内に配設され、前記第１の結合部材（４８，６４８，７４８，８４８，９４８，１０４８，１１４８，１２４８，１３４８，１４４８）と同じ材料を含む第２の結合部材（４８，６４８，７４８，８４８，９４８，１０４８，１１４８，１２４８，１３４８，１４４８）を備え、
前記サージカルガーメント（１２，１１２，６１２）が、前記第１の取り付け要素（５８，１５８，５５８，６５８，７５８，８５８，９５８，１０５８，１１５８，１２５８，１３５８，１４５８）と同じ材料を含む第２の取り付け要素（５８，１５８，５５８，６５８，７５８，８５８，９５８，１０５８，１１５８，１２５８，１３５８，１４５８）を備え、前記第２の取り付け要素（５８，１５８，５５８，６５８，７５８，８５８，９５８，１０５８，１１５８，１２５８，１３５８，１４５８）が、前記第１の取り付け要素（５８，１５８，５５８，６５８，７５８，８５８，９５８，１０５８，１１５８，１２５８，１３５８，１４５８）および当該第２の取り付け要素（５８，１５８，５５８，６５８，７５８，８５８，９５８，１０５８，１１５８，１２５８，１３５８，１４５８）が前記透明フェイスシールド（１８，６１８）の両側部に結合されるように、前記透明フェイスシールド（１８，６１８）に結合され、
前記第２の取り付け要素（５８，１５８，５５８，６５８，７５８，８５８，９５８，１０５８，１１５８，１２５８，１３５８，１４５８）が、前記サージカルガーメント（１２，１１２，６１２）の少なくとも一部が前記サージカルヘルメット（２０）の上方に配設された場合に、前記第２の結合部材（４８，６４８，７４８，８４８，９４８，１０４８，１１４８，１２４８，１３４８，１４４８）に対して取り外し可能に係合するように構成された、請求項１〜１５のいずれか１項に記載のサージカルアパレルシステム。 
【国際調査報告】
2021512231.tif 000066
2021512231.tif 000067
2021512231.tif 000068
2021512231.tif 000069
2021512231.tif 000070
2021512231.tif 000071